(57)【特許請求の範囲】
【請求項１】
遊技球が流下可能な遊技領域が画成された遊技盤を備えた遊技機において、
前記遊技領域に対して第１の入球口を閉鎖する閉鎖位置および該第１の入球口を開放する開放位置に変位可能な第１の開閉部材を有する第１の可変入球部と、
前記遊技領域に対して第２の入球口を閉鎖する閉鎖位置および該第２の入球口を開放する開放位置に変位可能な第２の開閉部材を有する複数の第２の可変入球部と、
前記遊技領域に対して第３の入球口を閉鎖する閉鎖位置および該第３の入球口を開放する開放位置に変位可能な第３の開閉部材を有する第３の可変入球部と、
前記遊技領域を流下する遊技球が通過可能な第４の入球口とを備え、
前記第１の可変入球部は、前記第１の開閉部材に電動式駆動手段が接続されて、当該電動式駆動手段の駆動に伴い第１の開閉部材が開放動作および閉鎖動作するよう構成されると共に、前記第３の可変入球部は、前記第３の開閉部材に別の電動式駆動手段が接続されて、当該別の電動式駆動手段の駆動に伴い第３の開閉部材が開放動作および閉鎖動作するよう構成され、
前記第２の入球口への遊技球の入球を契機として前記第３の開閉部材を開放動作させ得るよう構成されると共に、前記第４の入球口への遊技球の入球を契機として前記第１の開閉部材を開放させ得るよう構成され、
前記第４の入球口への遊技球の入球を契機として開放動作する前記第１の開閉部材開放時間に比べて、前記第２の入球口への遊技球の入球を契機として開放動作する前記第３の開閉部材の少なくとも１つの開放態様における開放時間の方が長くなるよう前記各電動式駆動手段が駆動されるよう構成され、
前記各第２の可変入球部は、
遊技球の接触に伴い基準位置から作動位置に変位して前記第２の開閉部材を閉鎖位置から開放位置に変位させ得る第１の作動部材と、
遊技球の接触に伴い入球作動位置から閉鎖保持位置に変位して前記第２の開閉部材を開放位置から閉鎖位置に変位させ得る第２の作動部材とを備え、
前記第１の入球口に連通した第１の球通路に、前記複数の第２の可変入球部の内、所定の第２の可変入球部の第１の作動部材が臨んで、第１の球通路を通過する遊技球が当該第１の作動部材に接触するよう構成され、
前記所定の第２の可変入球部における第２の入球口に連通した第２の球通路に、当該所定の第２の可変入球部における第２の作動部材が臨むと共に、別の第２の可変入球部における第１の作動部材が臨んで、第２の球通路を通過する遊技球が当該第２の作動部材および第１の作動部材に接触するよう構成された
ことを特徴とする遊技機。
【発明の詳細な説明】
【技術分野】
【０００１】
本発明は、遊技領域を流下する遊技球が入球可能な入球口を備えた遊技機に関するものである。
【背景技術】
【０００２】
代表的な遊技機であるパチンコ機は、機内にセットされる遊技盤の盤面に画成した遊技領域の略中央位置に、図柄表示装置等の各種演出装置が配置されると共に、該演出装置の下方や側方等に、パチンコ球(遊技球)のパチンコ球が入球可能な入球口等を備えた入球部が設けられており、遊技者のハンドル操作に応じて遊技領域に向けて発射されたパチンコ球を入球口に入球させることで、演出装置において適宜の遊技が行われるよう構成されている。例えば、前記演出装置として複数の図柄を変動表示する液晶式やドラム式等の図柄表示装置を備えたパチンコ機では、前記遊技領域に打ち出されたパチンコ球が遊技領域内に植設された遊技釘等との接触により跳ね返りながら次第に自重により流下し、該遊技領域を流下する過程で前記入球口としての始動入賞口に入球することにより、所定数の賞球が払い出されると共に、図柄表示装置での図柄変動演出に伴うリーチ演出等の各種の遊技演出がなされ、該図柄表示装置に図柄が所定の組み合わせで停止することにより所謂大当りが発生して多数の賞球を獲得可能な機会が得られるよう構成されている(例えば、特許文献１参照)。
【先行技術文献】
【特許文献】
【０００３】
【特許文献１】特開２００６−２４７１０７号公報
【発明の概要】
【発明が解決しようとする課題】
【０００４】
ところで、従来のパチンコ機の多くには、前記入球口を開閉部材により開閉するよう構成された入球部が設けられており、常には開閉部材により入球部へのパチンコ球の入球を規制し、所定の開放条件が成立した際にソレノイド等の電動式駆動手段を駆動して開閉部材を開放動作させて当該入球口へのパチンコ球の入球を許容するようにすることで、入球口へのパチンコ球の入球に対する関心を高めるようにしたものがある。しかしながら、開閉部材により開閉される入球口は、入球した後のパチンコ球がそのまま取り込まれて排出されていた。
【０００５】
すなわち本発明は、従来の技術に内在する前記問題に鑑み、これらを好適に解決するべく提案されたものであって、開閉部材により入球口が開閉される入球部を用いて新たな遊技性を創出可能な遊技機を提供することを目的とする。
【課題を解決するための手段】
【０００６】
前記課題を克服し、所期の目的を達成するため、本願の請求項１に係る発明は、
遊技球(P)が流下可能な遊技領域(20a)が画成された遊技盤(20)を備えた遊技機において、
前記遊技領域(20a)に対して第１の入球口(101)を閉鎖する閉鎖位置および該第１の入球口(101)を開放する開放位置に変位可能な第１の開閉部材(131)を有する第１の可変入球部(130)と、
前記遊技領域(20a)に対して第２の入球口(102,103)を閉鎖する閉鎖位置および該第２の入球口(102,103)を開放する開放位置に変位可能な第２の開閉部材(165,166)を有する複数の第２の可変入球部(161,162)と、
前記遊技領域(20a)に対して第３の入球口(41)を閉鎖する閉鎖位置および該第３の入球口(41)を開放する開放位置に変位可能な第３の開閉部材(43)を有する第３の可変入球部(40)と、
前記遊技領域(20a)を流下する遊技球(P)が通過可能な第４の入球口(34)とを備え、
前記第１の可変入球部(130)は、前記第１の開閉部材(131)に電動式駆動手段(135)が接続されて、当該電動式駆動手段(135)の駆動に伴い第１の開閉部材(131)が開放動作および閉鎖動作するよう構成されると共に、前記第３の可変入球部(40)は、前記第３の開閉部材(43)に別の電動式駆動手段(42)が接続されて、当該別の電動式駆動手段(42)の駆動に伴い第３の開閉部材(43)が開放動作および閉鎖動作するよう構成され、
前記第２の入球口(102,103)への遊技球(P)の入球を契機として前記第３の開閉部材(43)を開放動作させ得るよう構成されると共に、前記第４の入球口(34)への遊技球(P)の入球を契機として前記第１の開閉部材(131)を開放させ得るよう構成され、
前記第４の入球口(34)への遊技球(P)の入球を契機として開放動作する前記第１の開閉部材(131)開放時間に比べて、前記第２の入球口(102,103)への遊技球(P)の入球を契機として開放動作する前記第３の開閉部材(43)の少なくとも１つの開放態様における開放時間の方が長くなるよう前記各電動式駆動手段(135)が駆動されるよう構成され、
前記各第２の可変入球部(161,162)は、
遊技球(P)の接触に伴い基準位置から作動位置に変位して前記第２の開閉部材(165,166)を閉鎖位置から開放位置に変位させ得る第１の作動部材(176)と、
遊技球(P)の接触に伴い入球作動位置から閉鎖保持位置に変位して前記第２の開閉部材(165,166)を開放位置から閉鎖位置に変位させ得る第２の作動部材(201)とを備え、
前記第１の入球口(101)に連通した第１の球通路(302)に、前記複数の第２の可変入球部(161,162)の内、所定の第２の可変入球部の第１の作動部材(176)が臨んで、第１の球通路(302)を通過する遊技球(P)が当該第１の作動部材(176)に接触するよう構成され、
前記所定の第２の可変入球部(161)における第２の入球口(102)に連通した第２の球通路(115,304)に、当該所定の第２の可変入球部(161)における第２の作動部材(201)が臨むと共に、別の第２の可変入球部(162)における第１の作動部材(176)が臨んで、第２の球通路(115,304)を通過する遊技球(P)が当該第２の作動部材(201)および第１の作動部材(176)に接触するよう構成されたことを要旨とする。
【０００７】
このように、電動式駆動手段の駆動により第１の可変入球部における第１の開閉部材が開放動作するのに伴って第１の入球口に入球した遊技球が、第１の球通路を通過する過程で何れかの第２の可変入球部における第１の作動部材に接触することにより、当該第２の可変入球部における第２の開閉部材が開放位置に切り替わり得るから、当該電動式駆動手段により作動される第１の可変入球部と、当該第１の可変入球部の開閉動作に関連して作動される第２の可変入球部とにより新たな遊技性を創出して遊技の興趣を高めることが可能となる。更に、第２の可変入球部の開放が別の第２の可変入球部の開放に繋がるから、電動式駆動手段により作動される第１の可変入球部に入球した遊技球により、複数の第２の可変入球部が連続して作動させることができる。
そして、第２の入球口への遊技球の入球を契機として第３の開閉部材が開放動作する第３の可変入球部を設けることで、該第２の入球口へ遊技球の入球が可能となる第１の可変入球部への遊技球の入球や、当該第１の可変入球部に入球した後の第２の可変入球部の作動に対する関心を高めることができ、第１の可変入球部および複数の第２の可変入球部により新たな遊技性を創出して遊技の興趣を高めることが可能となる。
また、第４の入球口への遊技球の入球を契機として開放動作する前記第１の開閉部材の開放時間に比べて、第２の入球口への遊技球の入球を契機として開放動作する前記第３の開閉部材の少なくとも１つの開放態様における開放時間の方が長くなるよう構成することで、第１の可変入球部に入球した遊技球により第２の可変入球部が作動されることへの関心を高めることができる。
【発明の効果】
【００１１】
本発明に係る遊技機によれば、開閉部材により入球口を開閉可能な可変入球部に対し、遊技球が入球する前だけでなく、遊技球が入球した後も関心を維持させることができる。
【図面の簡単な説明】
【００１２】
【図１】本発明の実施例に係るパチンコ機を示す正面図である。
【図２】実施例に係る遊技盤を示す正面図であって、特図表示器、普図表示器を拡大して示している。
【図３】実施例に係る可変入球装置を示す斜視図である。
【図４】実施例に係る可変入球装置を示す正面図である。
【図５】実施例に係る可変入球装置を示す背面図である。
【図６】可変入球装置および球通路ユニットを前側から見た状態で示す分解斜視図である。
【図７】実施例に係る可変入球装置を後側から見た状態で示す分解斜視図である。
【図８】実施例に係る電動切替ユニットを前側から見た状態で示す分解斜視図である。
【図９】電動切替ユニットを第１および第２の分岐流入通路の形成位置で縦断した断面図である。
【図１０】実施例に係る始動口開閉部材を省略して可変始動入賞部を示す斜視図であって、(a)は前側から見た状態を示し、(b)は後側から見た状態を示す。
【図１１】始動口開閉部材を省略した可変始動入賞部の分解斜視図である。
【図１２】実施例に係る可変始動入賞部の作動機構と始動口開閉部材とを示す斜視図であって、(a)は前側から見た状態を示し、(b)は後側から見た状態を示す。
【図１３】実施例に係る回転規制部を示す側面図である。
【図１４】(a)は閉鎖位置に保持された始動口開閉部材と可変始動入賞部の作動機構との関係を示す正面図であり、(b)はその平面図であり、(c)はその右側面図である。
【図１５】(a)は、図１４において第１の作動部材が基準位置から作動位置に変位して始動口開閉部材が開放位置に揺動すると共に第２の作動部材が第１入球作動位置に変位した状態を示す正面図であり、(b)は平面図であり、(c)は右側面図である。
【図１６】(a)は、図１４において第２の作動部材が第２入球作動位置に変位した状態を示す斜視図であり、(b)は正面図であり、(c)は右側面図である。
【図１７】(a)は図１４のＡ−Ａ線断面図であり、(b)は図１５のＢ−Ｂ線断面図であって、第１の作動部材が基準位置に復帰した状態を示し、(c)は図１６のＣ−Ｃ線断面図である。
【図１８】第１および第２の分岐流入通路の形成位置における可変入球装置および球通路ユニットの縦断正面図であって、(a)は第１の分岐流入通路から第１の分岐排出通路へのパチンコ球の流れを示し、(b)は第２の分岐流入通路から第２の分岐排出通路へのパチンコ球の流れを示す。
【図１９】作動口開閉部材、第１および第２始動口開閉部材の夫々が閉鎖位置にある状態を示す断面図であって、(a)は図４のＤ−Ｄ線断面図であり、(b)はＥ−Ｅ線断面図であり、(c)はＦ−Ｆ線断面図である。
【図２０】(a)は作動口開閉部材が開放位置にあると共に振分体が第１振分位置にある状態での図４のＤ−Ｄ線断面図であり、(b)は(a)の状態で作動口に入球したパチンコ球により第１可変始動入賞部の第１の作動部材が作動された状態を示すＥ−Ｅ線断面図であり、(c)は(b)の状態から第１の作動部材が復帰した状態を示すＥ−Ｅ線断面図である。
【図２１】(a)は作動口開閉部材が開放位置にあると共に振分体が第２振分位置にある状態での図４のＤ−Ｄ線断面図であり、(b)は(a)の状態で作動口に入球したパチンコ球により第２可変始動入賞部の第１の作動部材が作動された状態を示すＦ−Ｆ線断面図であり、(c)は(b)の状態から第１の作動部材が復帰した状態を示すＦ−Ｆ線断面図である。
【図２２】パチンコ機の制御構成を示すブロック図である。
【図２３】大当り遊技の種類を示す説明図である。
【図２４】普図当りにおける作動口開閉部材の開閉動作パターンと、振分体の動作パターンとの関係を示すタイミングチャートである。
【図２５】別例に係る可変入球装置において、第１および第２の分岐流入通路の形成位置における可変入球装置および球通路ユニットを縦断した正面図であって、作動口入球したパチンコ球および第１可変始動口に入賞したパチンコ球の流れを示している。
【図２６】別例に係る可変入球装置において、作動口、第１可変始動口および第２可変始動口へ入球したパチンコ球の流れを概略的に示す説明図であって、作動口に入球したパチンコ球が第１可変始動入賞部の第１の作動部材に接触し、第１可変始動口に入賞したパチンコ球が第１可変始動入賞部の第２の作動部材および第２可変始動入賞部の第１の作動部材に接触し、第２可変始動口に入賞したパチンコ球が第２可変始動入賞部の第２の作動部材に接触する様子を示している。
【発明を実施するための形態】
【００１３】
次に、本発明に係る遊技機につき、好適な実施例を挙げて、添付図面を参照しながら以下詳細に説明する。なお、遊技機としては、遊技球としてパチンコ球を用いて遊技が行われるパチンコ機を例にして説明する。また、以下の説明において、「前」、「後」、「左」、「右」とは、特に断りのない限り、図１に示すようにパチンコ機１０を前側(遊技者側)から見た状態で指称する。
【実施例】
【００１４】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、所定条件の成立(後述する固定始動入賞部３０の固定始動口３１または可変入球装置１００の各可変始動口１０２,１０３へのパチンコ球Ｐの入賞)を契機として演出用の図柄(以下飾図という)を変動表示させて図柄変動演出を行う演出実行手段としての図柄表示装置１７(図柄表示手段)が着脱可能に配設されている。また、前記中枠１２の前面側には、前記遊技盤２０の遊技領域２１と対応する位置に前後に開口する窓口１３ａが形成された装飾枠としての前枠１３が開閉可能に組み付けられている。そして、前枠１３には、ガラス板や透明な合成樹脂材で形成された透視保護板１８が窓口１３ａを覆うよう配設されており、遊技盤２０を前側から目視可能な状態で保護している。また、前記前枠１３における窓口１３ａの下方位置には、パチンコ球Ｐを貯留可能な球受け皿１４,１５が設けられており、当該前枠１３と一体的に球受け皿１４,１５を開閉し得るようになっている。実施例の前枠１３には、上球受け皿１４および下球受け皿１５が上下の位置関係で組み付けられている。なお、前記上下の球受け皿１４,１５の一方および両方を、前枠１３とは個別に中枠１２に組み付けるようにしてもよい。また、１つの球受け皿１４,１５のみを備える構成とすることもできる。
【００１５】
また、前記中枠１２の右下方位置には、該中枠１２に配設された打球発射装置(図示せず)を作動する操作ハンドル１６が設けられている。前記操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球Ｐが前記遊技盤２０の遊技領域２１に向けて１球ずつ発射されるようになっている。ここで、前記操作レバー１６ａの回動量に応じて前記打球発射装置によるパチンコ球Ｐの打球力が強弱変化するよう構成されており、遊技者が操作レバー１６ａの回動量を調節することで、前記遊技領域２１へのパチンコ球Ｐの発射位置を任意に変更し得るようになっている。なお、実施例では、前記図柄表示装置１７としては、液晶パネルを収容ケースに収容した液晶表示装置が採用されているがこれに限られるものではなく、ドラム式の図柄表示装置１７やドットマトリックス式の表示装置等の各種飾図を停止および変動表示可能な従来公知の各種の表示装置を採用し得る。
【００１６】
(遊技盤２０について)
前記遊技盤２０は、図２に示すように、ベニヤ材や合成樹脂材により形成された略矩形状の板部材であって、遊技盤２０の裏面側に前記図柄表示装置１７が配置されている。前記遊技盤２０の前面には、略円形状に湾曲形成した案内レール２２が配設されており、該案内レール２２により画成される略円形の遊技領域２１内にパチンコ球Ｐが入球可能な複数の入球部(固定始動口３１および変入球装置の各可変始動口１０２,１０３)が設けられて、前記打球発射装置により遊技領域２１に発射されたパチンコ球Ｐが入球部に入球することにより遊技が行われるようになっている。また、前記遊技盤２０には、前後に貫通する装着口(図示せず)が適宜位置に開設されており、各装着口に対して各種の遊技盤２０設置部品が取り付けられると共に、遊技領域２１の最下部位置には、該遊技領域２１に打ち出されたパチンコ球Ｐを排出するアウト口２３が開設されている。後述するように実施例の遊技盤２０には、遊技盤２０設置部品として枠状装飾体２５、固定始動入賞部３０、可変入球装置１００、特別入賞部４０、ゲート部３３等が配設されている。
【００１７】
前記遊技盤２０には、図２に示すように、前記案内レール２２で囲まれた遊技領域２１の略中央に、センター役とも称される枠状装飾体２５が取り付けられている。前記枠状装飾体２５は、前後に開口する枠状に形成されて、遊技盤２０の裏側の図柄表示装置１７の表示部を前面側から視認し得るようになっている。すなわち、実施例の遊技盤２０に画成される遊技領域２１は、打ち出されたパチンコ球Ｐが前記枠状装飾体２５の左側部を流下する第１球流下経路２１ａと、当該打ち出されたパチンコ球Ｐが枠状装飾体２５の右側部を流下する第２球流下経路２１ｂとに区画されており、操作ハンドル１６の操作レバー１６ａを回動操作して打球力を調節することにより、パチンコ球Ｐが第１球流下経路２１ａを流下する遊技形態およびパチンコ球Ｐが第２球流下経路２１ｂを流下する遊技形態の何れかを遊技者が任意に選択し得るようになっている。また、前記遊技領域２１には、前記枠状装飾体２５の下方位置において第１および第２球流下経路２１ａ,２１ｂが合流するようになっており、当該第１および第２球流下経路２１ａ,２１ｂが合流する合流領域２１ｃに、前記アウト口２３が位置するようになっている。そして、前記遊技盤２０における遊技領域２１(第１および第２球流下経路２１ａ,２１ｂ)に多数の遊技釘２６が設けられており、遊技領域２１を流下する過程で遊技釘２６に接触したパチンコ球Ｐの流下方向が不規則に変化させるよう構成されている。なお、枠状装飾体２５は、前後に開口する形態に限らず、当該開口の全部または一部を透明板等で塞ぐ形態とすることも可能である。
【００１８】
(第１球流下経路２１ａの入球部について)
図２に示すように、実施例の遊技盤２０には、パチンコ球Ｐが入球可能な入球部３０が前記第１球流下経路２１ａに設けられている。この第１球流下経路２１ａには、遊技領域２１(第１球流下経路２１ａ内)で入球口３１が常に開口する入球部３０が設けられており、遊技領域２１に打ち出されて第１球流下経路２１ａを流下するパチンコ球Ｐが当該常時開口する入球部３０の入球口３１に一定の確率で入球し得るようになっている。ここで、入球口３１が常時開口する第１球流下経路２１ａの入球部３０に入球したパチンコ球Ｐは、メイン制御基板６０に配線接続された球検出センサ７５に検出されるよう構成されており(図２２参照)、当該球検出センサ７５がパチンコ球Ｐを検出してメイン制御基板６０に検出信号が入力されることを特図変動表示(後述)の開始条件および賞球の払出条件として設定されている。そこで、以下の説明では、第１球流下経路２１ａに設けられた入球口が常時開口する入球部を固定始動入賞部３０と指称し、当該固定始動入賞部３０の入球口を固定始動口３１と指称すると共に、固定始動入賞部３０に入球したパチンコ球Ｐを検出する球検出センサを固定始動検出センサ７５と指称するものとする。
【００１９】
また、前記固定始動入賞部３０の固定始動口３１は、遊技盤２０の裏側に設けられた球排出通路(図示せず)に連通するよう構成されており、当該固定始動口３１に入球したパチンコ球Ｐが球排出通路を介して遊技盤２０の外部に排出されるよう構成されている。そして、この球排出通路に固定始動検出センサ７５が配設されており、球排出通路を介して排出される過程で固定始動検出センサ７５がパチンコ球Ｐを検出し得るようになっている。なお、実施例の固定始動入賞部３０は、前記枠状装飾体２５の下方位置において遊技盤２０の左右方向の略中央に位置に、遊技盤２０の前面側に突出すると共に前記固定始動口３１が上方に開口する樋形状に形成されている。そして、前記第１球流下経路２１ａを流下するパチンコ球Ｐが固定始動口３１に入球し得る一方で、遊技盤２０に設けられた前記枠状装飾体２５や遊技釘２６により、第１球流下経路２１ａを流下するパチンコ球Ｐが固定始動口３１に入球する割合よりも、前記第２球流下経路２１ｂを流下するパチンコ球Ｐが固定始動口３１へ入球する割合が低くなるよう構成されている。実施例では、第２球流下経路２１ｂを流下するパチンコ球Ｐの固定始動口３１への入球が略不可能となるよう構成されている。
【００２０】
(第２球流下経路２１ｂの入球部について)
図２に示すように、前記遊技盤２０には、パチンコ球Ｐが入球可能な入球部３３,１３０,１６１,１６２が前記第２球流下経路２１ｂに設けられている。この第２球流下経路２１ｂには、遊技領域２１(第２球流下経路２１ｂ内)で入球口３４が常に開口する入球部３３が設けられており、遊技領域２１に打ち出されて第２球流下経路２１ｂを流下するパチンコ球Ｐが当該常時開口する入球部３３の入球口３４に一定の確率で入球し得るようになっている。ここで、入球口３４が常時開口する第２球流下経路２１ｂの入球部３３に入球したパチンコ球Ｐは、メイン制御基板６０に配線接続された球検出センサ７６に検出されるよう構成されており(図２２参照)、当該球検出センサ７５がパチンコ球Ｐを検出してメイン制御基板６０に検出信号が入力されることを普図変動表示(後述)の開始条件として設定されている。また、前記第２球流下経路２１ｂ内で入球口３４が常に開口する入球部３３は、当該第２球流下経路２１ｂ内で球出口が常に開口するよう形成されて、当該入球部３３の入球口３４に入球したパチンコ球Ｐがそのまま球出口から通出して第２球流下経路２１ｂを流下するようになっている。そこで、以下の説明では、当該第１球流下経路２１ａの入球部をゲート部３３と指称し、当該ゲート部３３の入球口をゲート入口３４と指称すると共に、ゲート部３３に入球したパチンコ球Ｐを検出する球検出センサをゲートセンサ７６と指称するものとする。なお、前記ゲート部３３は、前記枠状装飾体２５の右側方位置に、遊技盤２０の前面側に突出すると共にゲート入口３４およびゲート出口が上下に連通する門型に形成されて、当該遊技盤２０の前面側に突出するゲート部３３に前記ゲートセンサ７６が配置されている。すなわち、実施例のパチンコ機１０では、前記第２球流下経路２１ｂを流下するパチンコ球Ｐのみがゲート部３３のゲート入口３４に入球し得るよう構成されている。また、前記ゲート部３３は、遊技盤２０の前面側に突出したゲートセンサ７６を装飾する装飾部やゲートセンサ７６を保護する保護部としての機能を具有している。
【００２１】
(可変入球装置１００について)
また、図２に示すように、前記遊技盤２０の第２球流下経路２１ｂには、前記ゲート部３３とは別に、パチンコ球Ｐが入球する入球口１０１,１０２,１０３を開閉可能な開閉部材１３１,１６５,１６６を備えた可変入球部１３０,１６１,１６２を有する可変入球装置(可変入球ユニット)１００が設けられている。前記可変入球装置１００は、図３〜図７に示すように、前記可変入球部として、開閉部材１３１にソレノイド(電動式駆動手段)が接続されてソレノイドの駆動に伴い開閉部材が開閉動作する第１の可変入球部１３０と、該第１の可変入球部１３０の入球口１０１に入球したパチンコ球Ｐとの接触に伴い作動して開閉部材１６５,１６６の開閉状態を切り替え可能な第２の可変入球部１６１,１６２とを備えており、各対応の開閉部材１３１,１６５,１６６の開閉状態に応じて、第２球流下経路２１ｂを流下するパチンコ球Ｐが第１の可変入球部１３０や第２の可変入球部１６１,１６２に入球し得るよう構成されている。すなわち、実施例の遊技盤２０には、電気的に作動される第１の可変入球部１３０と、該電気的に作動する第１の可変入球部１３０に入球したパチンコ球Ｐにより機械的に作動される第２の可変入球部１６１,１６２とが設けられている。
【００２２】
ここで、前記第２の可変入球部１６１,１６２に入球したパチンコ球Ｐは、メイン制御基板６０に配線接続された球検出センサ７７,７８に検出されるよう構成されており(図２２参照)、当該球検出センサ７７,７８がパチンコ球Ｐを検出してメイン制御基板６０に検出信号が入力されることを特図変動表示(後述)の開始条件および賞球の払出条件として設定されている。そこで、以下の説明では、前記第２の可変入球部の開閉作動条件となる第１の可変入球部を可変作動入球部１３０と指称し、当該可変作動入球部１３０の入球口を作動口１０１と指称すると共に、特図変動表示の開始条件および賞球の払出条件となる第２の可変入球部を可変始動入賞部１６１,１６２と指称し、当該可変始動入賞部１６１,１６２の入球口を可変始動口１０２,１０３と指称し、当該可変始動入賞部１６１,１６２に入球したパチンコ球Ｐを検出する球検出センサを可変始動検出センサ７７,７８と指称する。また、前記可変入球装置１００には、複数(実施例では２つ)の可変始動入賞部１６１,１６２が設けられており、上側に位置する可変始動入賞部を第１可変始動入賞部１６１と指称すると共に、下側に位置する可変始動入賞部を第２可変始動入賞部１６２と指称して、可変始動入賞部１６１,１６２を区別する場合がある。
【００２３】
なお、実施例の可変入球装置１００は、前記枠状装飾体２５の右下方位置に、前記ゲート部３３の下方に位置するよう設けられており、該ゲート部３３を通過したパチンコ球Ｐが前記可変作動入球部１３０や第１および第２可変始動入賞部１６１,１６２に入球し得るよう構成されている(図２参照)。そして、前記第２球流下経路２１ｂを流下するパチンコ球Ｐが可変作動入球部１３０や第１および第２可変始動入賞部１６１,１６２に入球し得る一方で、遊技盤２０に設けられた前記枠状装飾体２５や遊技釘２６により、第２球流下経路２１ｂを流下するパチンコ球Ｐが固定始動口３１に入球する割合よりも、前記第１球流下経路２１ａを流下するパチンコ球Ｐが固定始動口３１へ入球する割合が低くなるよう構成されている。実施例では、第１球流下経路２１ａを流下するパチンコ球Ｐの可変作動入球部１３０や第１および第２可変始動入賞部１６１,１６２への入球が略不可能となるよう構成されている。
【００２４】
(球通路ユニット８０について)
また、前記遊技盤２０の裏側には、図５〜図６、図１８に示すように、前記可変入球装置１００の後方位置に球通路ユニット８０が設けられており、当該可変入球装置１００の作動口１０１や可変始動口１０２,１０３に入球したパチンコ球Ｐが球通路ユニット８０の球排出通路を介して遊技盤２０の外部に排出されるよう構成されている。ここで、前記球通路ユニット８０は、前記可変入球装置１００に前記作動口１０１に連通する作動口排出通路８１,８３と、前記可変始動口１０２,１０３に連通する始動口排出通路８８,８９とが形成されており、作動口１０１に入球したパチンコ球Ｐが作動口排出通路８１,８３を介して遊技盤２０の外部に排出されると共に、各可変始動口１０２,１０３に入賞したパチンコ球Ｐが始動口排出通路８８,８９を介して遊技盤２０の外部に排出されるようになっている。
【００２５】
前記作動口排出通路８１,８３は、図１８に示すように、前記可変入球装置１００に形成された第１の分岐流入通路１４５(後述)に繋がる第１の分岐排出通路８１と、当該可変入球装置１００に形成された第２の分岐流入通路１４６(後述)に繋がる第２の分岐排出通路８３とが設けられており、各分岐流入通路１４５,１４６を通出したパチンコ球Ｐが対応する分岐排出通路８１,８３を介して排出される。すなわち、実施例のパチンコ機１０では、前記作動口１０１に接続する球通路は、前記可変入球装置１００に設けられた第１の分岐流入通路１４５および球通路ユニット８０に設けられた第１の分岐排出通路８１からなる第１の分岐通路と、可変入球装置１００に設けられた第２の分岐流入通路１４６および球通路ユニット８０に設けられた第２の分岐排出通路８３からなる第２の分岐通路とに分岐するようになっている。そして、前記第１および第２の分岐通路の分岐位置に設けられた後述する通路振分部１５０により、前記作動口１０１に入球したパチンコ球Ｐが何れかの分岐通路に振り分けられるようになっている。
【００２６】
ここで、図５、図１８に示すように、前記第１の分岐排出通路８１は、第１可変始動入賞部１６１(具体的には後述する機構設置ケース１７０の作動球出口１７０ｂ)に接続すると共に遊技盤２０の下端部で開口するよう形成されており、第１の分岐流入通路１４５を介して第１可変始動入賞部１６１(球受け部１７９)に誘導されたパチンコ球Ｐを遊技盤２０の外部へ排出するようになっている。一方で、前記第２の分岐排出通路８３は、前記第２の分岐流入通路１４６の球出口および前記第２可変始動入賞部１６２(より具体的には後述する機構設置ケース１７０の作動球入口１７０ａ)に連通接続させてパチンコ球Ｐを第２可変始動入賞部１６２(具体的には球受け部１７９)へ案内する上流側分岐排出通路８４ａと、当該第２可変始動入賞部１６２(具体的には後述する機構設置ケース１７０の作動球出口１７０ｂ)に連通接続して遊技盤２０の下端部で開口する下流側分岐排出通路８４ｂとから構成されており、前記作動口１０１から離れた第２可変始動入賞部１６２(球受け部１７９)へパチンコ球Ｐを誘導しつつ、当該第２可変始動入賞部１６２(球受け部１７９)に誘導されたパチンコ球Ｐを遊技盤２０の外部へ排出するようになっている。
【００２７】
また、前記第２の分岐排出通路８３(詳細には下流側分岐排出通路８４ｂ)および第１の分岐排出通路８１には、図５、図１８に示すように、当該第１および第２の分岐排出通路８１,８３を通過するパチンコ球Ｐを検出する球検出センサ８５,８６が設置されている。以下の説明では、第１の分岐排出通路８１に設けられた球検出センサを第１通過検出センサ８５と指称し、第２の分岐排出通路８３に設けられた球検出センサを第２通過検出センサ８６と指称する。そして、この第１および第２通過検出センサ８５,８６の夫々は、メイン制御基板６０に配線接続されており(図２２参照)、当該各通過検出センサ８５,８６がパチンコ球Ｐを検出してメイン制御基板６０に検出信号が入力されることで、各通過検出センサ８５,８６に対応した分岐排出通路８１,８３の可変始動入賞部１６１,１６２の作動を、メイン制御基板６０が把握し得るようになっている。
【００２８】
前記始動口排出通路８８,８９は、図５〜図６、図１８に示すように、前記第１可変始動入賞部１６１の第１可変始動口１０２(具体的には可変入球装置１００に形成された第１取込口１１５ａ)に繋がる第１の始動口排出通路８８と、前記第２可変始動入賞部１６２の第２可変始動口１０３(具体的には可変入球装置１００に形成された第２取込口１１６ａ)に繋がる第２の始動口排出通路８９とが設けられており、各可変始動口１０２,１０３に入賞したパチンコ球Ｐが対応する始動口排出通路８８,８９を介して排出されるようになっている。そして、前記第１可変始動入賞部１６１に対応した第１可変始動検出センサ７７が前記第１の始動口排出通路８８に設置されると共に、前記第２可変始動入賞部１６２に対応した第２可変始動検出センサ７８が前記第２の始動口排出通路８９に設置されている。なお、前記球通路ユニット８０には、後述するアウト球取込通路１１９に連通するアウト通路９３が設けられており、当該アウト通路９３に対して、第１および第２の始動口排出通路８８,８９が合流するようになっている。
【００２９】
図５、図１８に示すように、前記球通路ユニット８０および前記可変入球装置１００を遊技盤２０に設置した状態で、前記第１可変始動入賞部１６１の配設位置に対応して、前後に開口する第１設置窓部９０が開設されるようになっている。前記球通路ユニット８０には、前記第２可変始動入賞部１６２の配設位置に対応して、前後に開口する第２設置窓部９１が開設されている。また、前記第１設置窓部９０および第２設置窓部９１は、対応する可変始動入賞部１６１,１６２(具体的に後述する機構設置ケース１７０)の外形よりも一回り大きな形状に形成されており、当該設置窓部９０,９１を介して可変始動入賞部１６１,１６２の後部が球通路ユニット８０の後方に露出するようになっている。
【００３０】
ここで、実施例のパチンコ機１０では、前記固定始動検出センサ７５、第１および第２可変始動検出センサ７７,７８の何れかがパチンコ球Ｐを検出した検出信号がメイン制御基板６０へ入力された場合に、所定数(実施例では３個)の賞球を払い出させるようメイン制御基板６０に設けられたメイン制御ＣＰＵ６０ａが図示しない球払出装置を制御するよう設定されている。また、前記固定始動検出センサ７５、第１および第２可変始動検出センサ７７,７８によるパチンコ球Ｐの検出に伴って各種入賞情報(後述する各種乱数情報)がメイン制御ＣＰＵ６０ａに取得され、この取得した情報に基づいて特図当り抽選(当り判定)が行われるよう構成されている。そして、特図当り抽選の結果に基づいて特図表示部５０Ａ,５０Ｂ(後述)において特図変動表示が実行されると共に、前記図柄表示装置１７において図柄変動演出が実行されるようになっている。そして、特図表示部５０Ａ,５０Ｂでの特図変動表示の結果、所定の当り表示となる図柄が確定停止表示されると共に、前記図柄表示装置１７での図柄変動演出の結果として、該図柄表示装置１７に所定の当り表示となる図柄組み合わせ(例えば同一飾図の３つ揃い等)で飾図が確定停止表示されることで、遊技者に有利な大当り遊技が付与され、大当り遊技の発生に伴って前記特別入賞部４０を所定の開放条件で開放して、遊技者が賞球を獲得し得る機会が与えられるよう構成されている。
【００３１】
(特別入賞部４０について)
前記特別入賞部４０(特別入賞手段)は、図２に示すように、遊技領域２１に開口する入球口としての特別入賞口４１(図示せず)を開閉自在に閉成する開閉扉４３(開閉手段)を備えており、駆動手段としての特別入賞ソレノイド４２(図２２参照)の駆動に伴って開閉扉４３が閉鎖する閉鎖位置と開放する開放位置に変位するよう構成されている。なお、実施例では、前記開閉扉４３が前後方向へ揺動することで特別入賞口４１を開閉するよう構成されており、該開閉扉４３により特別入賞口４１が閉鎖された状態を図２に示す。また、前記特別入賞部４０には、前記特別入賞口４１に入球したパチンコ球Ｐを検出する特別入賞検出手段としての特別入賞検出センサ７９(図２２参照)が設けられている。前記特別入賞検出センサ７９は、前記メイン制御基板６０に配線接続されており、該特別入賞検出センサ７９からメイン制御基板６０への入賞検出信号の入力に伴って所定数(実施例では１５個)の賞球が払い出されるようになっている。ここで、前記特別入賞ソレノイド４２は、前記固定始動入賞部３０または可変始動入賞部１６１,１６２へのパチンコ球Ｐの入球を契機として特別入賞部４０を開放する大当り遊技が付与される場合に、大当り遊技の種類に応じた所定の開閉条件に従ってメイン制御基板６０によって駆動制御される。ここで、前記特別入賞部４０は、前記固定始動入賞部３０の下方位置に配置されると共に、前記第１および第２球流下経路２１ａ,２１ｂが合流する合流領域２１ｃに位置するよう構成されており、第１および第２球流下経路２１ａ,２１ｂの何れを流下するパチンコ球Ｐであっても、開閉扉４３の開閉状態に応じて、特別入賞部４０の特別入賞口４１に入球し得るよう構成されている。
【００３２】
(可変入球装置１００)
前記可変入球装置１００は、図３〜図７に示すように、遊技盤２０に固定される本体部材１０５の裏側に、前記可変作動入球部１３０、第１および第２の可変始動入賞部１６１,１６２の夫々が配設されて、当該本体部材１０５が遊技盤２０の前面から固定される。また、前記可変入球装置１００は、前記可変作動入球部１３０の作動口１０１に入球したパチンコ球Ｐを、複数の球通路(具体的には第１および第２の分岐流入通路１４５,１４６)に振り分けて通出させる通路振分部(振分手段)１５０が設けられている。ここで、実施例の通路振分部１５０は、第１可変始動入賞部１６１に連通する前記第１の分岐通路および第２可変始動入賞部１６２に連通する前記第２の分岐通路の何れかにパチンコ球Ｐを振り分けるよう構成されており、当該通路振分１５０での通路振分により、作動口１０１に入球したパチンコ球Ｐが第１または第２可変始動入賞部１６１,１６２の何れかへ誘導されるようになっている。すなわち、可変入球装置１００は、可変作動入球部１３０、第１および第２の可変始動入賞部１６１,１６２、通路振分部１５０を備えた単一のユニット部材として遊技盤２０に着脱し得るよう構成されている。
【００３３】
(本体部材１０５について)
前記本体部材１０５は、図６〜図７に示すように、前記遊技盤２０の前面側に取り付けられる取付ベース部１０６と、該取付ベース部１０６の前面側に配設されたカバー部１０８とから形成されている。そして、本体部材１０５の上部位置に可変作動入球部１３０および通路振分部１５０が配置され、本体部材１０５の下部位置に第２可変始動入賞部１６２が配置され、該可変作動入球部１３０および第２可変始動入賞部１６２の間に位置するよう第１可変始動入賞部１６１が配置されている。ここで、実施例の可変入球装置１００では、前記可変作動入球部１３０および通路振分部１５０をケース体１２１,１４０に組み付けてユニット化した電動切替ユニット１２０が前記本体部材１０５の上部裏側に配設されている。
【００３４】
また、前記本体部材１０５は、後方を透視可能な部材により形成されており、前記作動口１０１や固定始動口３１、可変始動口１０２,１０３を介して装置内部に流入したパチンコ球Ｐを前側(遊技者側)から目視し得るよう構成されている。なお、前記本体部材１０５の全体が透視可能に形成されている必要はなく、パチンコ球Ｐの通過経路を透視可能に構成するようにしてもよい。また、パチンコ球Ｐの流通経路の全体を透視可能に形成されている必要はなく、作動口１０１に入球したパチンコ球Ｐが前記通路振分部１５０により第１および第２の分岐流入通路１４５,１４６に振り分けられる様子を透視し得る構成であってもよい。このように、作動口１０１に入球したパチンコ球Ｐの第１および第２の分岐流入通路１４５,１４６への振分態様を視認し得るようにすることで、作動口１０１に入球したパチンコ球Ｐの通過経路に対する関心を高めることができる。
【００３５】
図３〜図４に示すように、前記本体部材１０５の外周面には、パチンコ球Ｐが通過可能な大きさで遊技領域２１内に開口する開口部(具体的には球流入口１１０ａ、球流出口１１０ｂ、第１可変始動口１０２、第２可変始動口１０３、第２のアウト口１０４)が外周面の複数箇所に開設されると共に、前記取付ベース部１０６の適宜位置には、パチンコ球Ｐが通過可能な大きさで前後に貫通する通孔(具体的には作動口１０１、第１取込口１１５ａ、第２取込口１１６ａ)が複数箇所に開設されている。そして、前記本体部材１０５に、外周面に設けた開口部１０２,１０３と取付ベース部１０６の通孔１１５ａ,１１６ａとを連通させた球通路(以下、取込通路１１５,１１６という)や、外周面に設けた開口部１１０ａ,１１０ｂを連通させた球通路(以下、通出通路１１０という)が画成されている。ここで、実施例の可変入球装置１００には、本体部材１０５の上面に１つの開口部１１０ａが形成されると共に、遊技領域２１(第２球流下経路２１ｂ)に露出する左側面に４つの開口部１０２,１０３,１０４,１１０ｂが形成され、前記取付ベース部１０６には、前記可変作動入球部１３０、第１および第２可変始動入賞部１６１,１６２の配設位置に、前後に貫通する通孔１０１,１１５ａ,１１６ａが夫々形成されている。なお、実施例の可変入球装置１００では、後述するように前記可変作動入球部１３０の配設位置に対応して形成された通孔が前記作動口１０１となっている。また以下の説明において、第１可変始動入賞部１６２の配設位置に対応して形成された通孔を第１取込口１１５ａと指称し、第２可変始動入賞部１６１の配設位置に対応して形成された通孔を第２取込口１１６ａと指称する場合がある。
【００３６】
(通出通路１１０について)
前記通出通路１１０は、図４に示すように、前記本体部材１０５の上面に形成された開口部１１０ａと、当該本体部材１０５の左側面の上部位置に形成された開口部１１０ｂとを連通するよう構成されており、遊技領域２１(第２球流下経路２１ｂ)を流下するパチンコ球Ｐが、当該上面に形成された開口部１１０ａから通出通路１１０に流入して、左側面に形成された開口部１１０ｂから遊技領域２１(第２球流下経路２１ｂ)に通出し得るようになっている。ここで、前記通出通路１１０は、上面の開口部１１０ａから下方に延在する縦通路１１１と、当該縦通路１１１の下端部に連通すると共に左側面の開口部１１０ｂへ向けて下方傾斜する傾斜通路１１２とから構成されて、当該通出通路１１０(具体的には縦通路１１１)に開口するよう前記取付ベース部１０６に通孔１０１が形成されている。この通出通路１１０に開口する通孔は、前記可変作動入球部１３０の作動口開閉部材(開閉部材)１３１の作動により開閉されるようになっている。すなわち、通出通路１１０に開口するよう設けられた通孔が、前記可変作動入球部１３０の作動口１０１となっており、可変作動入球部１３０の作動口開閉部材１３１の開放に伴って、パチンコ球Ｐが作動口１０１に入球し得るようになっている。なお、以下の説明において、本体部材１０５の上面に形成された開口部を球流入口１１０ａと指称し、本体部材１０５の左側面の上部位置に形成された開口部を球流出口１１０ｂと指称して区別する場合がある。
【００３７】
ここで、図３に示すように、前記球流入口１１０ａは、前記ゲート部３３の球出口と上下に整列して位置しており、当該ゲート部３３を通過したパチンコ球Ｐが、球流入口１１０ａに通入して通出通路１１０に導入されるようになっている。また、前記通出通路１１０における縦通路１１１の側面を画成する左右の側壁部１１１ａは、上端面１１１ｂが球流入口１１０ａへ向けて下方傾斜する傾斜状に形成されており、前記ゲート部３３を通出した際に左右に逸れたパチンコ球Ｐを、当該左右の側壁部１１１ａにおける上端面１１１ｂの傾斜により略確実に球流入口１１０ａへ誘導するようになっている。すなわち、前記通出通路１１０における縦通路１１１の側面を画成する左右の側壁部１１１ａの上端面１１１ｂを傾斜状に形成することで、可変作動入球部１３０の作動口開閉部材１３１が開放した際における遊技領域２１(第２球流下経路２１ｂ)を流下するパチンコ球Ｐの作動口１０１への入球割合を高めている。
【００３８】
また、図４に示すように、前記通出通路１１０における縦通路１１１の側面を画成する左右の側壁部１１１ａの上端面１１１ｂとゲート部３３との間は、パチンコ球Ｐが通過可能な間隔で離間するよう構成されており、ゲート部３３を通過することなく遊技領域２１(第２球流下経路２１ｂ)を流下するパチンコ球Ｐが、当該通出通路１１０の側壁部１１１ａの上端面１１１ｂとゲート部３３との間の隙間を介して通出通路１１０に流入し得るようになっている。すなわち、通出通路１１０にパチンコ球Ｐが流入可能な経路として、ゲート部３３とは別の経路を確保することで、可変作動入球部１３０の作動口開閉部材１３１が開放した際における遊技領域２１(第２球流下経路２１ｂ)を流下するパチンコ球Ｐの作動口１０１への入球割合を向上している。ここで、前記通出通路１１０における縦通路１１１の側面を画成する左右の側壁部１１１ａの上端面１１１ｂとゲート部３３は、１球のパチンコ球Ｐが通過可能な間隔で離れる程度にゲート部３３に近接して設けられている。すなわち、前記左右の側壁部１１１ａの上端面１１１ｂとゲート部３３とが近接することで、ゲート部３３を通出したパチンコ球Ｐが通出通路１１０(球流入口１１０ａ)から逸れるのを防止している。また、前記縦通路１１１の側面を画成する左右の側壁部１１１ａは、前記作動口１０１の左右の開口縁に沿って延在するよう形成されており、作動口１０１の開放時に縦通路１１１を通過するパチンコ球Ｐが入球し易くしている。なお、実施例の本体部材１０５では、前記作動口１０１の左右の開口縁から前方へ突出するよう前記左右の側壁部１１１ａが取付ベース部１０６に形成されているが、当該縦通路１１１における左右の側壁部１１１ａを前記カバー部１０８の裏面に形成することも可能である。
【００３９】
(取込通路１１５,１１６について)
また前記本体部材１０５には、図３〜図４に示すように、本体部材１０５の左側面に形成された開口部１０２と、取付ベース部１０６の第１可変始動入賞部１６１の配設位置に形成された第１取込口１１５ａとを連通する第１取込通路１１５が設けられていると共に、本体部材１０５の左側面に形成された開口部１０３と前記取付ベース部１０６の第２可変始動入賞部１６２の配設位置に形成された第２取込口１１６ａとを連通する第２取込通路１１６が設けられる。すなわち、遊技領域２１(第２球流下経路２１ｂ)を流下する過程で、前記本体部材１０５の左側面に形成された開口部１０２,１０３から第１または第２取込通路１１５,１１６に流入したパチンコ球Ｐを、各取込通路１１５,１１６に対応する第１取込口１１５ａまたは第２取込口１１６ａから取り込み得るようになっている。なお、実施例では、前記球流出口１１０ｂの下方に隣接して位置する開口部１０２に前記第１取込通路１１５が連通し、前記本体部材１０５の左側面の最下方に位置する開口部１０３に前記第２取込通路１１６が連通するよう構成されている。
【００４０】
ここで、前記第１取込通路１１５に対応する開口部１０２は、前記第１可変始動入賞部１６１の第１始動口開閉部材(開閉部材)１６５により開閉されるよう構成されており、当該第１取込通路１１５に対応した開口部が第１可変始動入賞部１６１の第１可変始動口１０２として機能するようになっている。そして、前記第２取込通路１１６に対応する開口部１０３は、図４に示すように、前記第２可変始動入賞部１６２の第２始動口開閉部材(開閉部材)１６６により開閉されるよう構成されており、当該第２取込通路１１６に対応した開口部が第２可変始動入賞部１６２の第２可変始動口１０３として機能するようになっている。すなわち、第１可変始動入賞部１６１の第１始動口開閉部材１６５の開放に伴ってパチンコ球Ｐが第１取込通路１１５に流入し得ると共に、第２可変始動入賞部１６２の第２始動口開閉部材１６６の開放に伴ってパチンコ球Ｐが第２取込通路１１６に流入し得るようになっている。換言すれば、前記第１取込通路１１５は、第１可変始動入賞部１６１の第１可変始動口１０２に入賞したパチンコ球Ｐが流下する入賞経路を構成すると共に、前記第２取込通路１１６は、第２可変始動入賞部１６２の第２可変始動口１０３に入賞したパチンコ球Ｐが流下する入賞経路を構成している。なお、実施例の第１取込通路１１５および第２取込通路１１６は、基本的に同一形態に形成されていることから、同一の機能を有する構成に関しては同じ符号を付して説明する。
【００４１】
前記第１および第２可変始動入賞部１６１,１６２に対応する各取込通路１１５,１１６は、図３〜図４に示すように、対応する可変始動入賞部１６１,１６２の可変始動口１０２,１０３が本体部材１０５の左側方へ開口するよう形成されており、当該可変始動口１０２,１０３から対応する取込口１１５ａ,１１６ａの上部まで延在する入口通路１１７と、当該入口通路１１７の下流端に連通すると共に取込口１１５ａ,１１６ａが開口する作動通路１１８とから構成されている。ここで、前記第１および第２可変始動入賞部１６１,１６２を構成する後述の機構設置ケース１７０の前方開口部１７１が対応する取込口１１５ａ,１１６ａを介して作動通路１１８内に突出するよう構成されており、各取込通路１１５,１１６(作動通路１１８)をパチンコ球Ｐが通過する過程で、対応する可変始動入賞部１６１,１６２の入球作動部２０６,２０７にパチンコ球Ｐが接触するようになっている。
【００４２】
また、図７、図１９〜図２１に示すように、前記作動通路１１８の下端部には、該作動通路１１８を通過するパチンコ球Ｐを対応する取込口１１５ａ,１１６ａへ案内する案内部１１８ａが形成されて、取込通路１１５,１１６(作動通路１１８)を通過するパチンコ球Ｐを対応の取込口１１５ａ,１１６ａへ案内し得るようになっている。また、前記案内部１１８ａの上部位置には、該案内部１１８ａよりも作動通路１１８内(取込口１１５ａ,１１６ａ側)に突出する付勢突部１１８ｂが設けられ、作動通路１１８を流下するパチンコ球Ｐが付勢突部１１８ｂに当接することにより、取込口１１５ａ,１１６ａ側へ弾かれることで、速やかに対応の可変始動検出センサ７７,７８で検出されるようになっている。なお、前記案内部１１８ａおよび付勢突部１１８ｂは、前記作動通路１１８の前面を画成する前記カバー部１０８に、当該作動通路１１８内に突出するよう形成されている。
【００４３】
また、前記本体部材１０５には、図４、図６に示すように、前記第２可変始動口１０３と第１可変始動口１０２との間に位置する開口部としての第２アウト口１０４と、前記取付ベース部１０６における第１取込口１１５ａ(第１可変始動入賞部１６１)の下方に形成された通孔(アウト球取込口１１９ａ)とを連通するアウト球取込通路１１９が設けられている。ここで、前記アウト球取込口１１９ａは、遊技盤２０(本体部材１０５)の裏側において前記球通路ユニット８０に形成されたアウト通路９３に連通するよう構成されており、前記遊技領域２１(第２球流下経路２１ｂ)を流下する過程で第２アウト口１０４に通入したパチンコ球Ｐが遊技盤２０の外部へ排出されるようになっている。
【００４４】
(電動切替ユニット１２０について)
前記電動切替ユニット１２０は、図６、図８〜図９に示すように、前記可変作動入球部１３０が配設される第１の本体ケース１２１と、前記通路振分部１５０が配設される第２の本体ケース１４０とを備え、両本体ケース１２１,１４０を組み付けることで、可変作動入球部１３０および通路振分部１５０を単一のユニットとして取り扱い可能に構成されている。具体的に、前記第２の本体ケース１４０の後方上部位置に前記第１の本体ケース１２１を固定した状態で、前記可変入球装置１００の本体部材１０５の裏側上部位置に、当該第２の本体ケース１４０が取り付けられる。
【００４５】
(第１の本体ケース１２１について)
前記第１の本体ケース１２１は、図８に示すように、前記第２の本体ケース１４０に固定される第１の前側ケース体１２２と、該第１の前側ケース体１２２の裏側に固定される第１の後側ケース体１２３とから構成され、当該第１の前側ケース体１２２および第１の後側ケース体１２３の間に、前記可変作動入球部１３０の駆動手段としての第１ソレノイド１３５を収容する収容部１２４が画成されている。ここで、前記第１の後側ケース体１２３には、前方へ開口する矩形箱状に形成され、当該第１の後側本体ケースの前方開口を第１の前側ケース体１２２で塞ぐことにより前記収容部１２４が画成されるようになっている。
【００４６】
また、前記第１の後側ケース体１２３には、図８に示すように、前記第１ソレノイド１３５を収容する収容部１２４の下方位置に、前後方向に延在する第１ガイド凹部１２５が前方へ開口するよう形成されて、当該第１ガイド凹部１２５に、前記可変作動入球部１３０の作動口開閉部材１３１が前後方向へ摺動可能に挿入されている。ここで、前記第１の本体ケース１２１は、前記第１の前側ケース体１２２と第１の後側ケース体１２３とを組み付けた状態において、当該第１の前側ケース体１２２により塞がれることなく前記第１ガイド凹部１２５が前方へ開口するよう構成されている。
【００４７】
(可変作動入球部１３０について)
前記可変作動入球部１３０は、図８に示すように、前記作動口１０１を閉鎖する閉鎖位置(図１９(a)参照)および該作動口１０１を開放する開放位置(図２０(a)参照)に変位可能な作動口開閉部材１３１と、該作動口開閉部材１３１を駆動する電動式駆動手段としての第１ソレノイド１３５と、当該第１ソレノイド１３５を作動口開閉部材１３１に連繋接続する第１連繋部１３６とを備え、第１ソレノイド１３５が駆動制御することで作動口開閉部材１３１が開放位置および閉鎖位置に変位するようされる。すなわち、前記第１ソレノイド１３５の駆動に伴って作動された作動部が前記作動口開閉部材１３１を閉鎖位置および開放位置に変位させることで、前記通出通路１１０(縦通路１１１)を流下するパチンコ球Ｐの作動口１０１への入球が許容された状態と、入球が阻止された状態と切り替わるよう構成されている。ここで、作動口開閉部材１３１が作動口１０１を閉鎖する状態としては、当該作動口開閉部材１３１により作動口１０１が完全に塞がれて前記通出通路１１０(縦通路１１１)に開口しない状態である必要はなく、当該作動口１０１をパチンコ球Ｐが入球不能な程度に塞ぐ状態であれば、作動口１０１が通出通路１１０(縦通路１１１)に開口している状態であってもよい。
【００４８】
(作動口開閉部材１３１)
ここで、前記作動口開閉部材１３１は、図８に示すように、前後方向に長尺な平板状に形成されて、前記第１の本体ケース１２１(第１の後側ケース体１２３)に形成された前記第１ガイド凹部１２５に作動口開閉部材１３１の後側部分が摺動可能に挿入され、当該第１ガイド凹部１２５の前方開口から作動口開閉部材１３１の前側部分が突出するよう構成されている。すなわち、作動口開閉部材１３１は、前側部分が第１ガイド凹部１２５(第１の本体ケース１２１)から前方へ突出した状態で、前後方向に移動し得るよう構成されている。
【００４９】
また、図８、図１９に示すように、前記作動口開閉部材１３１の前端部は、後方へ向かうにつれて下方傾斜する傾斜状に形成された球誘導片１３２が上方へ突出するよう形成されている。そして、前記作動口開閉部材１３１が開放位置に移動した状態では、前記球誘導片１３２が前記作動口１０１を介して遊技盤２０の前側(通出通路１１０の内側)に突出するようになっている。すなわち、前記作動口開閉部材１３１が開放位置に移動した状態では、前記通出通路１１０(縦通路１１１)を流下するパチンコ球Ｐが球誘導片１３２で受け止められて、該球誘導片１３２の傾斜により後方(すなわち作動口１０１側)へ案内されるようになっている。また、前記作動口開閉部材１３１が閉鎖位置に移動した状態では、前記球誘導片１３２が作動口１０１を介して遊技盤２０の裏側(通出通路１１０の外側)に退避すると共に、当該作動口開閉部材１３１により作動口１０１の下部側が塞がれて、当該作動口１０１へのパチンコ球Ｐの入球を阻止するよう構成されている。また、前記作動口開閉部材１３１には、図１９〜図２１に示すように、前記第１ガイド凹部１２５から前方へ突出する前側部分に、パチンコ球Ｐが通過可能な球通過孔１３３が上下方向に開口するよう開設されており、作動口開閉部材１３１が開放位置に移動して作動口１０１から取り込まれたパチンコ球Ｐが球通過孔１３３を介して後述する連絡通路１４４へ移動し得るようになっている。
【００５０】
前記第１ソレノイド１３５は、図８に示すように、前側にプランジャ１３５ａを位置させた姿勢で前記第１の本体ケース１２１の収容部１２４に設置されて、当該第１の本体ケース１２１に揺動可能に支持された前記第１連繋部１３６がプランジャ１３５ａに接続されている。前記第１連繋部１３６は、前記第１ソレノイド１３５のプランジャ１３５ａに連繋接続されて当該プランジャ１３５ａと一体的に前後移動する連結部１３６ａと、該連結部１３６ａの左右両端部に設けられて前記作動口開閉部材１３１に連繋接続されると共に前記第１の本体ケース１２１に揺動可能に支持された揺動アーム１３６ｂとを備えており、プランジャ１３５ａの前後移動に伴って揺動する揺動アーム１３６ｂにより作動口開閉部材１３１が閉鎖位置と開放位置との間で前後移動するようになっている。
【００５１】
(第２の本体ケース１４０について)
前記第２の本体ケース１４０は、図８に示すように、前記可変入球装置１００の本体部材１０５(取付ベース部１０６)に固定される第２の前側ケース体１４１と、該第２の前側ケース体１４１の裏側に固定される第２の後側ケース体１４２とから構成され、当該第２の本体ケース１４０に、パチンコ球Ｐが通過可能な球通路(導入通路１４３、連絡通路１４４、第１および第２の分岐流入通路１４５,１４６)が画成されている。前記第２の前側ケース体１４１には、前後および上方へ開口する導入通路１４３が形成され、該第２の前側ケース体１４１を本体部材１０５に固定した際に、当該導入通路１４３が作動口１０１に連通するよう構成されている。なお、前記導入通路１４３の上方開口は、前記作動口１０１の開口上縁に沿って後方へ突出するよう前記取付ベース部１０６の後面に形成された通路画壁１０７(図７参照)により塞がれ、導入通路１４３の上方開口からパチンコ球Ｐが零れ落ちないようになっている。なお、前記可変作動入球部１３０の作動口開閉部材１３１は、図１９〜図２１に示すように、前記第１の本体ケース１２１と第２の本体ケース１４０とを組み付けた状態において、当該作動口開閉部材１３１の前側部分が前記導入通路１４３内に位置して、当該導入通路１４３に沿って前後に移動するよう構成されている。
【００５２】
また、前記第２の前側ケース体１４１には、図８、図２０、図２１に示すように、前記導入通路１４３の後端位置に、下方へ延在すると共に上方および後方へ開口する前記連絡通路１４４が画成されて、導入通路１４３を通過したパチンコ球Ｐが連絡通路１４４の後方開口を介して第２の前側ケース体１４１の裏側に通出するようになっている。そして、前記連絡通路１４４の上流端に、当該連絡通路１４４を通過するパチンコ球Ｐを検出する球検出センサ１４７が配設されている。前記連絡通路１４４の上流端に設けられた球検出センサ１４７は、前記メイン制御基板６０に電気的に配線接続されており、当該球検出センサ１４７からの検出信号が入力されることで、作動口１０１へのパチンコ球Ｐの入球が発生したことをメイン制御ＣＰＵ６０ａが認識し得るようになっている。なお、以下の説明では、前記連絡通路１４４に配設された球検出センサを入球検出センサ１４７と指称する場合がある。すなわち、前記連絡通路１４４を通過するパチンコ球Ｐの通出口１４４ａは、入球検出センサ１４７の下方位置で後方に開口している。
【００５３】
図８〜図９に示すように、前記第２の本体ケース１４０には、前記第１および第２の分岐流入通路１４５,１４６が前記連絡通路１４４の通出口１４４ａから分岐するよう形成されている。すなわち、実施例では連絡通路１４４の通出口１４４ａが前記第１および第２の分岐流入通路１４５,１４６が分岐する分岐位置となっている。前記第１の分岐流入通路１４５は、連絡通路１４４の通出口１４４ａから下方へ延在するよう形成されると共に、前記第２の分岐流入通路１４６は、前記連絡通路１４４の通出口１４４ａから側方(実施例では左側方)へ延在するよう形成されている。すなわち、連絡通路１４４の通出口１４４ａを通出した領域が、第１および第２の分岐流入通路１４５,１４６にパチンコ球Ｐが振り分けられる分岐領域となっている。なお、図９において通出口１４４ａの開口位置を二点鎖線で示してある。
【００５４】
(通路振分部１５０について)
前記通路振分部１５０は、図８に示すように、前記連絡通路１４４を通過したパチンコ球Ｐを第１および第２の分岐流入通路１４５,１４６の何れかに振り分けて通出させる振分体(振分手段)１５１と、該振分体１５１を駆動する電動式駆動手段としての第２ソレノイド１５２と、当該第２ソレノイド１５２を振分体１５１に連繋接続する第２連繋部１５６,１５７とを備えている。前記振分体１５１は、前記連絡通路１４４を通過したパチンコ球Ｐを第１の分岐流入通路１４５へ通出させる第１振分位置(図９(a)参照)と、該連絡通路１４４を通過したパチンコ球Ｐを第２の分岐流入通路１４６へ通出させる第２振分位置(図９(b)参照)との間を移動し得るよう設けられており、第２ソレノイド１５２を駆動制御することで振分体１５１が第１振分位置および第２振分位置に移動するようになっている。
【００５５】
(振分体１５１について)
前記振分体１５１は、図９に示すように、前記第１の分岐流入通路１４５の球入口を閉塞可能な大きさに形成された板状に形成されて、前記第２の本体ケース１４０に形成された第２ガイド凹部１４８に左右方向に摺動可能に配設されている。また、前記振分体１５１には、後方へ突出する軸部１５１ａが後端部に形成されており、前記第２の後側ケース体１４２に形成された挿通孔１４２ａを介して当該軸部１５１ａが第２の本体ケース１４０の裏側に突出するようになっている。そして、前記挿通孔１４２ａから突出した振分体１５１の軸部１５１ａに前記第２連繋部１５６,１５７が接続されて、前記第２ガイド凹部１４８に振分体１５１が収容された位置(第１振分位置)と、第２ガイド凹部１４８から振分体１５１が突出して第１の分岐流入通路１４５の球入口を閉塞する位置(第２振分位置)との間を移動するようになっている。ここで、振分体１５１が第１振分位置にある状態では、第１の分岐流入通路１４５の球入口が振分体１５１により閉塞されることなく上方に開口するよう構成され、連絡通路１４４の通出口１４４ａを通出したパチンコ球Ｐがそのまま第１の分岐流入通路１４５へ流入(落下)し得るようになっている。また、前記振分体１５１が第２振分位置にある状態では、振分体１５１の上面が第２の分岐流入通路１４６の底面と略同じ高さか或いは振分体１５１の上面が第２の分岐流入通路１４６の底面より僅かに上方に位置するよう構成され、前記連絡通路１４４の通出口１４４ａを通出したパチンコ球Ｐが第２の分岐流入通路１４６へ流入し得るようになっている。
【００５６】
前記第２ソレノイド１５２は、図８に示すように、下側にプランジャ１５２ａ位置させた下向き姿勢で前記第２の本体ケース１４０(第２の前側ケース体１４１)の前面に配設されている。すなわち、第２ソレノイド１５２を励磁駆動することで、プランジャ１５２ａが上下に進退移動するようになっている。また、前記第２ソレノイド１５２の前側には、当該第２ソレノイド１５２を第２の前側ケース体１４１との間で挟持する前側保護部材１５３が配置されており、当該前側保護部材１５３と第２の前側ケース体１４１により第２ソレノイド１５２が挟持固定されている。なお、第２ソレノイド１５２のプランジャ１５２ａは、図示しないバネ等の付勢手段により下方へ付勢されており、第２ソレノイド１５２を励磁することによりプランジャ１５２ａが引き込まれて上方移動し、励磁停止することによりプランジャ１５２ａが下方移動するようになっている。
【００５７】
前記第２連繋部１５６,１５７は、前記第２ソレノイド１５２のプランジャ１５２ａに取り付けられて当該プランジャ１５２ａと一体的に上下移動するスライダ１５６と、前記第２の本体ケース１４０に揺動可能に支持された揺動部材１５７とから構成されて、当該スライダ１５６と揺動部材１５７が連繋接続されると共に当該揺動部材１５７と振分体１５１が連繋接続されており、スライダ１５６の上下移動に伴って揺動部材１５７が揺動することにより、当該振分体１５１が前記第１振分位置および第２振分位置に変位するようになっている。ここで、上下方向に延在するよう前記スライダ１５６に形成されたガイド突片１５６ａが、前記前側保護部材１５３に形成された上下方向に延在するガイド溝１５３ａに後方から差し込まれており、当該スライダ１５６が一定の姿勢を保持したまま上下移動させ得るようになっている。また、前記スライダ１５６の後端部には、前記揺動部材１５７が接続される横長の第１連繋孔１５６ｂが後方へ開口するよう形成されている。
【００５８】
前記揺動部材１５７は、図８に示すように、前記第２の本体ケース１４０に枢支される支軸１５７ａと、該支軸１５７ａから径方向に離間する位置に設けられた連携軸１５７ｂと、該支軸１５７ａから径方向に離間する位置に設けられた第２連繋孔１５７ｃとを備えている。前記揺動部材１５７は、前記支軸１５７ａが前後に延在する姿勢で前記第２の本体ケース１４０の第２の後側ケース体１４２の後方側で揺動するよう配設されて、前記スライダ１５６の第１連繋孔１５６ｂに対して連携軸１５７ｂが後方から遊嵌されると共に、前記振分体１５１の軸部１９１ａが第２連繋孔１５７ｃに対して前方から遊嵌されるようになっている．これにより、前記スライダ１５６の上下移動に伴って前記揺動部材１５７が前後に延在する支軸１５７ａを中心にして回動(揺動)し、当該揺動部材１５７の回動に伴って前記振分体１５１が第１振分位置および第２振分位置にスライド変位するよう構成されている。
【００５９】
(第１および第２可変始動入賞部１６１,１６２について)
前記第１可変始動入賞部１６１は、図３、図４、図６、図７、図１０〜図１７に示すように、前記第１可変始動口１０２を閉鎖する閉鎖位置(図４の実線参照)および該第１可変始動口１０２を開放する開放位置(図４の二点鎖線参照)に変位可能な前記第１始動口開閉部材１６５(開閉部材)と、前記作動口１０１に連通した第１の分岐通路を通過するパチンコ球Ｐが接触し得るよう設けられてパチンコ球Ｐの接触に伴い作動する第１作動機構１７５と、前記第１可変始動口１０２に連通した前記第１取込通路１１５を通過するパチンコ球Ｐが接触し得るよう設けられてパチンコ球Ｐの接触に伴い作動する第２作動機構２００とを備えている。そして、第１始動口開閉部材１６５が閉鎖位置にある状態で、前記作動口１０１に入球したパチンコ球Ｐとの接触に伴い作動した第１作動機構１７５が、当該第１始動口開閉部材１６５を閉鎖位置から開放位置に変位させ、第１始動口開閉部材１６５が開放位置にある状態で、第１可変始動口１０２に入賞したパチンコ球Ｐとの接触に伴い作動した第２作動機構２００が、当該第１始動口開閉部材１６５を開放位置から閉鎖位置に変位させるよう構成されている。
【００６０】
同様に、前記第２可変始動入賞部１６２は、図３、図４、図６、図７、図１０〜図１７に示すように、前記第２可変始動口１０３を閉鎖する閉鎖位置(図４の実線参照)および該第２可変始動口１０３を開放する開放位置(図４の二点鎖線参照)に変位可能な前記第２始動口開閉部材１６６と、前記作動口１０１に連通した第２の分岐通路を通過するパチンコ球Ｐが接触し得るよう設けられてパチンコ球Ｐの接触に伴い作動する第１作動機構１７５と、前記第２可変始動口１０３に連通した前記第２取込通路１１６を通過するパチンコ球Ｐが接触し得るよう設けられてパチンコ球Ｐの接触に伴い作動する第２作動機構２００とを備えている。そして、第２始動口開閉部材１６６が閉鎖位置にある状態で、前記作動口１０１に入球したパチンコ球Ｐとの接触に伴い作動した第１作動機構１７５が、当該第２始動口開閉部材１６６を閉鎖位置から開放位置に変位させ、第２始動口開閉部材１６６が開放位置にある状態で、第２可変始動口１０３に入賞したパチンコ球Ｐとの接触に伴い作動した第２作動機構２００が、当該第２始動口開閉部材１６６を開放位置から閉鎖位置に変位させるよう構成されている。
【００６１】
ここで、第１および第２可変始動入賞部１６１,１６２における第１および第２始動口開閉部材１６５,１６６、第１作動機構１７５および第２作動機構２００の夫々は、基本的に同一構成とされており、以下の説明では、主として第１可変始動入賞部１６１に関して詳細に説明し、必要に応じて第２可変始動入賞部１６２の説明を補足する。
【００６２】
(第１始動口開閉部材１６５および第２始動口開閉部材１６６について)
前記第１および第２始動口開閉部材１６５,１６６は、図４、図７、図１２に示すように、上方に向かって徐々に薄肉となる所謂フラップ状に形成されおり、各始動口開閉部材１６５,１６６の下部に形成された軸孔１６５ａ,１６６ａに、前記可変入球装置１００の本体部材１０５に形成された前後に延在する支軸１０５ａが挿通されている。ここで、第２始動口開閉部材１６６を枢支する支軸１０５ａは、前記第２取込口１１６ａの側方(実施例では左側方)に位置すると共に前記第１始動口開閉部材１６５を枢支する支軸１０５ａは、第１取込口１１５ａの側方(実施例では左側方)に位置するよう前記本体部材１０５(取付ベース部１０６)に夫々形成されており、当該支軸１０５ａを中心にして、先端部(端部)を上方に指向させた閉鎖位置(図１４参照)と、該先端部を斜め左上方に指向させた開放位置(図１５、図１６参照)との間で各始動口開閉部材１６５,１６６が揺動するように構成される。また、前記各始動口開閉部材１６５,１６６は、前記閉鎖位置において前記支軸１０５ａよりも左側方(対応する第１取込口１１５ａおよび第２取込口１１６ａから離間する方向)に重心が偏倚するよう形成され、常には自重により閉鎖位置から開放位置へ向けて回転する方向へ付勢されている。
【００６３】
また、前記各始動口開閉部材１６５,１６６の後端部には、図７に示すように、対応する第１取込口１１５ａおよび第２取込口１１６ａ側の下端部に、揺動中心から径方向へ突出する係合片１６７が形成されている。前記各始動口開閉部材１６５,１６６の係合片１６７は、閉鎖位置においては対応する第1取込口１１５ａおよび第２取込口１１６ａの開口側縁(実施例では開口左側縁)の左側方に位置して当該取込口１１５ａ,１１６ａから離間すると共に、開放位置においては対応する第１取込口１１５ａおよび第２取込口１１６ａの開口前側に臨む大きさおよび形状で形成されている。そして、前記閉鎖位置では、対応の可変始動入賞部１６１,１６２の第２作動機構２００に設けられた閉鎖保持部２０４(後述)に係合片１６７が当接するよう構成されており(図１２、図１４参照)、当該係合片１６７および閉鎖保持部２０４の当接作用により、自重による閉鎖位置から開放位置への始動口開閉部材１６５,１６６の回転が規制されるようになっている。また、前記開放位置では、対応する可変始動入賞部１６１,１６２の第２作動機構２００における閉鎖作動部２０５(後述)の移動軌跡に各始動口開閉部材１６５,１６６の係合片１６７が位置するようになっており(図１５〜図１７参照)、当該第２作動機構２００の作動に伴って移動する閉鎖作動部２０５と係合片１６７との当接作用により、各始動口開閉部材１６５,１６６が開放位置から閉鎖位置へ向けて回転付勢されるよう構成されている。
【００６４】
(機構設置ケース１７０について)
前記第１作動機構１７５および第２作動機構２００は、図１０、図１１に示すように、前記本体部材１０５の裏側に配設される機構設置ケース１７０に組み付けられている。機構設置ケース１７０は、前方および下方へ開口する矩形箱状に形成されており、当該機構設置ケース１７０の内部空間に、前記第１作動機構１７５および第２作動機構２００が配設されるようになっている。また、前記各機構設置ケース１７０は、前記取付ベース部１０６(本体部材１０５)に形成された前記第１取込口１１５ａおよび第２取込口１１６ａに機構設置ケース１７０の前方開口部１７１が連通すると共に、取付ベース部１０６(本体部材１０５)に各取込口１１５ａ,１１６ａに対応して形成された球誘導樋１０６ａ,１０６ａ(図７、図１９〜図２１参照)の上部開口と機構設置ケース１７０の下方開口部１７２が連通する状態で、当該取付ベース部１０６の裏側に取り付けられている。ここで、前記第２取込口１１６ａに対応した球誘導樋１０６ａは、当該第２取込口１１６ａと前記球通路ユニット８０の第１の始動口排出通路８８の球入口とを連通するよう形成されると共に、第１取込口１１５ａに対応した球誘導樋１０６ａは、当該第１取込口１１５ａと球通路ユニット８０の第２の始動口排出通路８９の球入口とを連通するよう形成されている。すなわち、前記第１および第２可変始動口１０２,１０３に入賞したパチンコ球Ｐは、対応する第１取込口１１５ａおよび第２取込口１１６ａから機構設置ケース１７０の内部空間に通過して球誘導樋１０６ａへ移動し、当該球誘導樋１０６ａを介して前記球通路ユニット８０に形成された対応する始動口排出通路８８,８９へ誘導されるようになっている。
【００６５】
また、図１０に示すように、前記各機構設置ケース１７０の上面には、上方へ開口する開口部１７０ａが形成されて、前記第１または第２の分岐流入通路１４５,１４６と連通するようになっている(図１８参照)。なお、以下の説明において、各機構設置ケース１７０において上方開口を作動球入口１７０ａと指称するものとする。すなわち、第１可変始動入賞部１６１における機構設置ケース１７０の作動球入口１７０ａに第１の分岐流入通路１４５が連通して、第１の分岐流入通路１４５に振り分けられたパチンコ球Ｐが当該第１可変始動入賞部１６１の機構設置ケース１７０の内部空間に流入すると共に、第２可変始動入賞部１６２における機構設置ケース１７０の作動球入口１７０ａに、第２の分岐流入通路１４６(より正確には、上流側分岐排出通路８４ａ)が連通して、第２の分岐流入通路１４６に振り分けられたパチンコ球Ｐが当該第２可変始動入賞部１６２の機構設置ケース１７０の内部空間に流入して、各機構設置ケース１７０に収容された第１作動機構１７５と接触するよう構成されている。
【００６６】
更に、前記各機構設置ケース１７０の左側面には、図１０、図１８に示すように、左右方向へ開口する開口部１７０ｂが形成されており、前記作動球入口１７０ａを介して流入して第１作動機構１７５と接触したパチンコ球Ｐが、当該機構設置ケース１７０の左側面の開口部１７０ｂから排出されるようになっている。なお、以下の説明において、各機構設置ケース１７０において、パチンコ球Ｐが排出される開口部を作動球出口１７０ｂと指称するものとする。ここで、前記各機構設置ケース１７０の作動球出口１７０ｂは、前記球通路ユニット８０に形成された第１または第２の分岐排出通路８１,８３の球入口と左右方向に略整列するよう構成されており、各機構設置ケース１７０の第１作動機構１７５と接触して作動球出口１７０ｂから排出されたパチンコ球Ｐが、整列した第１または第２の分岐排出通路８１,８３に流入し得るようになっている。具体的には、第１可変始動入賞部１６１における機構設置ケース１７０の作動球出口１７０ｂに第１の分岐排出通路８１の球入口が整列し、第２可変始動入賞部１６２における機構設置ケース１７０の作動球出口１７０ｂに第２の分岐排出通路８３(正確には下流側分岐排出通路８４ｂ)の球入口が整列するようになっている。なお、実施例では、後述するように、前記第１作動機構１７５に設けられた球受け部１７９(第１および第２誘導片１８１,１８２)が、前記機構設置ケース１７０の作動球出口１７０ｂを介して対応する分岐排出通路の球入口まで延出するよう構成されており、当該球受け部１７９を介して作動球出口１７０ｂから排出されたパチンコ球Ｐが対応の分岐排出通路の球入口まで誘導されるよう構成されている。更に、前記各機構設置ケース１７０右側面には、左右方向へ開口する開口部１７０ｃが形成されており、当該の左側面の開口部１７０ｃを介して前記第１作動機構１７５の操作部１７９ａ(後述)がケース外部に突出するようになっている。なお、以下の説明において、各機構設置ケース１７０において、操作部１７９ａが突出する開口部を操作口１７０ｃと指称するものとする。
【００６７】
(第１作動機構１７５について)
前記可変始動入賞部１６１,１６２の第１作動機構１７５は、図１１、図１８、図２０(b)、図２１(b)に示すように、前記作動口１０１に連通した対応する分岐通路(分岐流入通路１４５,１４６)を通過するパチンコ球Ｐが接触し得るよう設けられてパチンコ球Ｐの接触に伴い基準位置から作動位置に変位可能な第１の作動部材１７６と、当該第１の作動部材１７６の基準位置から作動位置への変位を制止する制止部材１９０とを備えている。そして、前記第１の作動部材１７６が基準位置から作動位置へ変位することで、第２作動機構２００を作動させて始動口開閉部材１６５,１６６を閉鎖位置から開放位置へ変位させ得るよう構成されている。
【００６８】
(第１の作動部材１７６)
前記第１の作動部材１７６は、図１１、図１２、図１４〜図１７に示すように、前記機構設置ケース１７０に揺動可能に支持される第１基体部１７７と、該第１基体部１７７に設けられて前記分岐流入通路１４５,１４６を通過するパチンコ球Ｐが接触する球受け部１７９と、当該第１基体部１７７に設けられ、基準位置から作動位置への変位に伴って前記第２作動機構２００を作動させる第１の押上げ部１８３とを備えており、球受け部１７９へのパチンコ球Ｐの接触に伴って第１の作動部材１７６が基準位置から作動位置へ変位することにより、前記第２始動口開閉部材１６６を閉鎖位置から開放位置へ変位させ得るようになっている。なお、実施例では、前記第１基体部１７７、球受け部１７９および第１の押上げ部１８３の夫々が合成樹脂材により一体形成されている。そして、前記第１基体部１７７の端部に偏った位置に左右に貫通するよう形成された軸孔１７７ａに、前記機構設置ケース１７０の左右側壁に支持される支軸１７７ｃが挿通されて、当該支軸１７７ｃを中心に第１の作動部材１７６が枢支されている。また、前記第１基体部１７７の略中央位置に形成された嵌合孔１７７ｂに、当該第１基体部１７７より比重の大きな錘部材１７８が嵌め込まれて、当該第１基体部１７７の重心が支軸１７７ｃから偏るよう構成されている。すなわち、前記第１の作動部材１７６(第１基体部１７７)は、静止状態において揺動中心が上側に位置する姿勢で前記機構設置ケース１７０に揺動自在に支持されている。なお、前記錘部材１７８は鋼や真鍮等の金属材により形成されているが、これに限られるものでない。また、静止状態は、前記球受け部１７９にパチンコ球Ｐが接触していない状態を基準としている。
【００６９】
(球受け部１７９)
前記球受け部１７９は、図１１、図１４〜図１５に示すように、前記第１の作動部材１７６が静止状態にある状態で、前記第１基体部１７７の上端部から後方へ延出する球受け片１８０と、当該球受け片１８０の後部から側方(左側方)へ延出する第１誘導片１８１と、当該球受け片１８０および第１誘導片１８１の後端部から上方へ延出する第２誘導片１８２とを備えており、前記機構設置ケース１７０の作動球入口１７０ａの下方に、当該球受け片１８０が臨むようになっている。すなわち、前記第１および第２の分岐流入通路１４５,１４６を通出したパチンコ球Ｐが、機構設置ケース１７０の作動球入口１７０ａを介して対応する可変始動入賞部１６１,１６２の球受け片１８０上に落下するようになっており、当該球受け部１７９(球受け片１８０)上に落下したパチンコ球Ｐの重みにより、前記第１の作動部材１７６が揺動するようになっている。また、前記第１の作動部材１７６は、パチンコ球Ｐの重みにより揺動した際に、前記第２誘導片１８２の下端部が前記機構設置ケース１７０の下壁部１７３に当接して揺動規制されるようになっている。これにより、前記第１の作動部材１７６は、前記球受け部１７９(球受け片１８０)にパチンコ球Ｐが接触していない静止状態にある基準位置(図１４参照)と、球受け部１７９(球受け片１８０)上に落下したパチンコ球Ｐの重みにより揺動した作動位置(図１５参照)との間で変位するようになっている。そして、前記第１の作動部材１７６が作動位置に変位した状態では、前記第１および第２誘導片１８１,１８２の端縁部によりパチンコ球Ｐが支持されるよう構成されている。
【００７０】
ここで、前記第２誘導片１８２は、図１１、図１２に示すように、前記第１誘導片１８１の延出端部(球受け片１８０から離間する端部)に向かうにつれて、当該第１誘導片１８１に近接する傾斜状に形成されており、作動位置に第１の作動部材１７６が変位した際に第１および第２誘導片１８１,１８２の端縁部で支持されたパチンコ球Ｐが、当該第２誘導片１８２の傾斜によって第１誘導片１８１の延出端部へ向けて移動するようになっている。そして、前記第１誘導片１８１の延出端部(第１および第２誘導片１８１,１８２により案内されるパチンコ球Ｐの下流端部)が、前記排出通路ユニットに設けられた第１または第２の分岐排出通路８１,８３の球入口に臨むよう構成されて、第２誘導片１８２の傾斜によって第１誘導片１８１の延出端部へ向けて移動したパチンコ球Ｐが、対応する第１または第２の分岐排出通路８１,８３に流入して遊技盤２０の外部に排出されるようになっている。すなわち、前記第１および第２誘導片１８１,１８２は、前記第１の作動部材１７６を作動位置に変位させたパチンコ球Ｐを対応する分岐排出通路へ案内するガイド部として機能している。
【００７１】
また、前記第１の作動部材１７６には、図１０、図１１に示すように、前記球受け部１７９の右端面から側方(右側方)へ突出する操作部１７９ａが形成されて、前記機構設置ケース１７０に開設された操作口１７０ｃを介して当該操作部１７９ａが機構設置ケース１７０の外部に突出するよう構成されている。すなわち、前記操作口１７０ｃを介して機構設置ケース１７０の外部に突出した操作部１７９ａが、前記可変入球装置１００(本体部材１０５)の裏側に露出している。また、前記可変入球装置１００(本体部材１０５)の裏側に露出した前記操作部１７９ａは、前記球通路ユニット８０に形成された各可変始動入賞部１６１,１６２に対応する設置窓部９０,９１に臨んでおり、当該設置窓部９０,９１を介して球通路ユニット８０(すなわち遊技盤２０)の裏側から操作可能に露出するようになっている。すなわち、前記設置窓部９０,９１を介して操作部１７９ａを操作することで、第１および第２可変始動入賞部１６１,１６２の第１の作動部材１７６を手動で操作して確認検査等を容易に行い得るよう構成されている。
【００７２】
(第１の押上げ部１８３について)
前記第１の押上げ部１８３は、図１１、図１４に示すように、前記第１の作動部材１７６が基準位置にある状態で、前記第１基体部１７７の前側下部位置から前方へ突出するよう形成されており、該第１の作動部材１７６が基準位置から作動位置に揺動するのに伴い第１の押上げ部１８３が上方へ変位するよう構成されている。そして、前記第１の作動部材１７６の基準位置から作動位置への揺動に伴う前記第１の押上げ部１８３の移動軌跡Ｌ(図１７参照)に、前記第２作動機構２００における第２の作動部材２０１の開放作動部２０３(何れも後述)が位置する場合に、当該第１の押上げ部１８３が第２の作動部材２０１(開放作動部２０３)を上方へ押し上げて、当該第２の作動部材２０１が後述する閉鎖保持位置から第１入球作動位置へ回転変位されて、各可変始動入賞部１６１,１６２に対応の始動口開閉部材１６５,１６６が閉鎖位置から開放位置に変位するようになっている。すなわち、前記第１の作動部材１７６における第１の押上げ部１８３は、始動口開閉部材１６５,１６６を閉鎖位置から開放位置に変位させる作動部として機能する。なお、前記第１の押上げ部１８３は、前記第１基体部１７７の右端部に設けられており、各可変始動入賞部１６１,１６２に対応の球取込口１１５ａ,１１６ａを通過したパチンコ球Ｐと干渉しないよう構成されている。
【００７３】
(第２の押上げ部１８４について)
前記第１の作動部材１７６には、図１１、図１４、図１５に示すように、前記第１の押上げ部１８３から上方に離間した位置に、上方へ突出する第２の押上げ部１８４が形成されている。前記第２の押上げ部１８４は、前記第１の作動部材１７６の基準位置と作動位置の間の位置(以下、制止位置という)において前記制止部材１９０(具体的には後述の揺動制止部１９２)と当接するよう構成されており、当該第２の押上げ部１８４が制止部材１９０に接触することで、制止位置から作動位置への第１の作動部材１７６の揺動を抑制させるようになっている。ここで、前記第１の押上げ部１８３が第２作動機構２００の第２の作動部材２０１(開放作動部２０３)を押し上げる前(閉鎖保持位置から第１入球作動位置へ変位する前)に、前記第２の押上げ部１８４が制止位置まで移動して制止部材１９０に当接するよう構成され、当該制止部材１９０との当接により第１の作動部材１７６の揺動を抑制するようになっている。具体的には、前記第１の押上げ部１８３が第２作動機構２００の第２の作動部材２０１(開放作動部２０３)に当接する前に、前記第２の押上げ部１８４が制止位置に移動して制止部材１９０と当接するよう構成されている。なお、前記第２の押上げ部１８４は、前記第１の押上げ部１８３と同様に、前記第１基体部１７７の右端部に設けられている。
【００７４】
(制止部材１９０について)
前記制止部材１９０は、図１１、図１２、図１４〜図１７に示すように、前記機構設置ケース１７０の内部空間において前後方向に延在する矩形板状に形成されると共に当該機構設置ケース１７０に揺動可能に支持された揺動板１９１と、前記第１の作動部材１７６に形成された第２の押上げ部１８４に当接する揺動制止部１９２とを備えており、当接した第２の押上げ部１８４が揺動制止部１９２を押し上げることで、制止部材１９０が強制的に揺動されるよう構成される。前記揺動板１９１は、左右側端面の前端部に、前記機構設置ケース１７０に枢支される軸部１９１ａが形成されている。
【００７５】
そして、図１４、図１７に示すように、前記揺動板１９１の後端部が前記第１の作動部材１７６における第１基体部１７７の上面に載置されると共に、当該揺動板１９１の右端部に下方へ向けて突出するよう前記揺動制止部１９２が形成されて、前記第１の作動部材１７６が基準位置から作動位置へ揺動する際に前記第２の押上げ部１８４が移動する移動軌跡に揺動制止部１９２が臨むよう構成されている。前記揺動制止部１９２は、前記第１の作動部材１７６が基準位置から作動位置へ揺動する過程において当該第１の作動部材１７６が制止位置まで揺動した際に、前記第２の押上げ部１８４が当接するよう構成されており、第２の押上げ部１８４が揺動制止部１９２に当接することで、制止位置から第２作動位置へ向けての第１の作動部材１７６の揺動を抑制するようになっている。
【００７６】
すなわち、パチンコ機１０に発生する振動等により前記第１の作動部材１７６が自然に揺動した場合に、前記制止位置において第２の押上げ部１８４が制止部材１９０の揺動制止部１９２に当接することで、当該制止部材１９０の重みが当該第１の作動部材１７６が揺動する抵抗となり、制止位置から第２作動位置への第１の作動部材１７６の揺動が規制されて、前記第２の作動部材２０１(開放作動部２０３)の作動を防止するようになっている。一方で、前記球受け部１７９に落下したパチンコ球Ｐにより前記第１の作動部材１７６が強制的に揺動された場合には、前記制止位置において第２の押上げ部１８４が制止部材１９０の揺動制止部１９２に当接した後も第１の作動部材１７６が作動位置へ向けて揺動を継続し、第２の押上げ部１８４が揺動制止部１９２を押し上げて揺動板１９１(制止部材１９０)を揺動させることで、当該第１の作動部材１７６が作動位置に揺動することにより、前記第２の作動部材２０１(開放作動部２０３)を作動させ得るようになっている。なお、前記第１の作動部材１７６が基準位置にある状態では、前記第２の押上げ部１８４と揺動制止部１９２とが離間しており、パチンコ機１０に発生する振動等による第１の作動部材１７６の自然な揺動を許容している。
【００７７】
また、前記制止部材１９０には、前記揺動板１９１の後端上部位置に、ネジやピン等の錘部材の錘取付部１９４が設けられている(図１２参照)。すなわち、前記揺動板１９１の錘取付部１９４に錘部材を取り付けることで、前記第２の押上げ部１８４が揺動制止部１９２に当接してから作動位置まで第１の作動部材１７６が揺動するための抵抗が高まり、パチンコ機１０の設置環境等によって大きな振動の発生が懸念される場合でも、前記第１の作動部材１７６が基準位置から作動位置へ自然に揺動するのを抑制し得る。
【００７８】
また、前記制止部材１９０には、図１１、図１２、図１４〜図１７に示すように、前記揺動板１９１の下面に下方へ向けて突出するよう回転制止部１９３が設けられている。そして、前記第２作動機構２００の第２の作動部材２０１が回転変位する際に、前記制止部材１９０の回転制止部１９３に対して、当該第２の作動部材２０１に設けた入球作動部２０６,２０７(何れも後述)が当接し得るようになっており、当該第２の作動部材２０１(入球作動部２０６,２０７)と回転制止部１９３とが当接することで、第２の作動部材２０１の回転変位を抑制するようになっている。すなわち、実施例の制止部材１９０は、前記第１および第２の作動部材１７６,２０１の作動を制止する機能を備えている。
【００７９】
ここで、前記回転制止部１９３は、図１７に示すように、前記第２作動機構２００の第２の作動部材２０１が回転する際に入球作動部２０６,２０７が移動する移動軌跡に臨むよう前記揺動板１９１の下面に設けられている。すなわち、前記第２作動機構２００の第２の作動部材２０１が順回転方向(閉鎖保持位置から第１入球作動位置へ向かう回転方向)へ回転する過程において、前記入球作動部２０６,２０７が前記回転制止部１９３に対して下方から当接し得るよう構成されており、当該入球作動部２０６,２０７が回転制止部１９３に当接することで、当該制止部材１９０の重みが当該第２の作動部材２０１の回転抵抗となるようになっている。また、前記回転制止部１９３の前面下部は、下方へ向かうにつれて後方へ退避するよう湾曲した曲面形状に形成されており、当該曲面形状をなす回転制止部１９３の曲面部に、前記第２の作動部材２０１の入球作動部２０６,２０７が下方から当接するよう構成される。すなわち、前記第２作動機構２００の第２の作動部材２０１が順回転方向に強制的に回転した場合には、前記入球作動部２０６,２０７が回転制止部１９３を押し上げて揺動板１９１を揺動させることにより、当該第２の作動部材２０１の順回転方向への回転を継続し得るようになっている。
【００８０】
(第２作動機構２００について)   
前記第２作動機構２００は、図１０、図１１、図１２〜図１７に示すように、各可変始動入賞部１６１,１６２に対応する始動口開閉部材１６５,１６６を閉鎖位置に保持する閉鎖保持位置(基準位置、図１４参照)と、当該始動口開閉部材１６５,１６６の閉鎖位置での保持を解除して開放位置への変位を許容する入球作動位置(作動位置、図１５、図１６参照))との間で変位可能な第２の作動部材２０１を備えている。そして、前記第１作動機構１７５の第１の作動部材１７６により第２の作動部材２０１が作動されると共に、各可変始動入賞部１６１,１６２に対応する可変始動口１０２,１０３に連通した取込通路１１５,１１６を通過するパチンコ球Ｐとの接触に伴って第２の作動部材２０１が作動されるようになっている。
【００８１】
具体的に、前記第２の作動部材２０１は、前記閉鎖保持位置において、前記第１の作動部材１７６により作動可能で、かつ対応する取込通路１１５,１１６を通過するパチンコ球Ｐと非接触(作動不能)となるよう構成され、当該第１の作動部材１７６が基準位置から作動位置へ変位するのに伴って、当該第２の作動部材２０１を閉鎖保持位置から入球作動位置に変位させるよう構成されている。また、前記第２の作動部材２０１は、前記入球作動位置において、前記第１の作動部材１７６により作動不能で、かつ対応する取込通路１１５,１１６を通過するパチンコ球Ｐと接触可能(作動可能)となるよう構成され、当該第１の作動部材１７６が基準位置から作動位置へ変位した際には第２の作動部材２０１が作動されることなく入球作動位置に保持されると共に、対応する取込通路１１５,１１６を通過するパチンコ球Ｐとの接触に伴って、当該第２の作動部材２０１を入球作動位置から閉鎖保持位置に変位させ得るよう構成されている。
【００８２】
ここで、前記第２の作動部材２０１は、対応する取込通路１１５,１１６を通過するパチンコ球Ｐとの接触可能な複数(実施例では２つ)の入球作動位置に変位し得るよう構成されている。すなわち、前記閉鎖保持位置において前記第１の作動部材１７６が基準位置から作動位置へ変位するのに伴って、前記第２の作動部材２０１が閉鎖保持位置から第１入球作動位置(図１５参照)に変位され、当該第１入球作動位置において、対応する取込通路１１５,１１６を通過するパチンコ球Ｐとの接触に伴って、第２の作動部材２０１が第１入球作動位置から第２入球作動位置(図１６参照)に変位されると共に、当該第２入球作動位置において、対応する取込通路１１５,１１６を通過するパチンコ球Ｐとの接触に伴って、第２の作動部材２０１が第２入球作動位置から閉鎖保持位置(図１４参照)に変位されるようになっている。このように、前記第２作動機構２００(第２の作動部材２０１)は、前記第１作動機構１７５(第１の作動部材１７６)の作動および各可変始動入賞部１６１,１６２に対応する可変始動口１０２,１０３へ入賞したパチンコ球Ｐとの接触に伴って、閉鎖保持位置、第１および第２入球作動位置に順次切り替えられるよう構成されている。言い換えると、第１および第２可変始動入賞部１６１,１６２は、前記第１ソレノイド１３５の駆動に伴い開放した前記作動口１０１に入球したパチンコ球Ｐとの接触に伴い入球作動位置に変位された前記第１の作動部材１７６が対応する始動口開閉部材１６５,１６６の開閉状態を切り替えるようになっている。ここで、第２の作動部材２０１は、機構設置ケース１７０に回転可能に配設されており、閉鎖保持位置から第１入球作動位置へ向けて変位する第２の作動部材２０１の変位方向(図１３における右回転方向)を順回転方向(順方向)と指称し、第１入球作動位置から閉鎖保持位置へ向けて回転する第２の作動部材２０１の回転方向(図１３における左回転方向)を逆回転方向(逆方向)と指称している。
【００８３】
(第２の作動部材２０１について)
前記第２の作動部材２０１は、図１１に示すように、前記機構設置ケース１７０に回転可能に支持される第２基体部２０２と、前記閉鎖保持位置において前記第１作動機構１７５(第１の作動部材１７６)の作動に伴って第２の作動部材２０１を入球作動位置へ向けて順回転方向に変位させる開放作動部２０３と、閉鎖保持位置において対応する始動口開閉部材１６５,１６６を閉鎖位置に保持すると共に閉鎖保持位置から変位することで始動口開閉部材１６５,１６６の開放位置への変位を許容する閉鎖保持部２０４と、第２入球作動位置から閉鎖保持位置へ向けて順回転方向に変位する際に始動口開閉部材１６５,１６６を開放位置から閉鎖位置に変位させる閉鎖作動部２０５と、前記第１または第２入球作動位置において前記可変始動口１０２,１０３に連通した取込通路１１５,１１６を通過するパチンコ球Ｐと接触し得るよう設けられ、当該パチンコ球Ｐとの接触に伴い第２の作動部材２０１を閉鎖保持位置へ向けて順回転方向に変位させる入球作動部２０６,２０７とを備えている。なお、実施例では、前記第２基体部２０２、開放作動部２０３、入球作動部２０６,２０７、閉鎖保持部２０４および閉鎖作動部２０５の夫々が合成樹脂材により一体形成されている。
【００８４】
図１１に示すように、前記第２基体部２０２には、貫通する軸孔２０２ａが形成されて、当該軸孔２０２ａに挿通された支軸２０２ｂが前記機構設置ケース１７０の左右側壁に支持されている。そして、前記第２基体部２０２の軸方向の一方端部(実施例では右側端部)に偏った位置に、当該第２基体部２０２から径方向外方へ突出するよう前記開放作動部２０３が形成されている。前記開放作動部２０３は、前記第２の作動部材２０１が閉鎖保持位置にある状態で、前記第１の作動部材１７６が基準位置から作動位置へ変位する際に前記第１の押上げ部１８３が移動する移動軌跡に延出して、当該第１の押上げ部１８３の上方に位置するようになっている。すなわち、前記第２の作動部材２０１が閉鎖保持位置にある状態では、前記第１の作動部材１７６の基準位置から作動位置への変位に伴って、前記開放作動部２０３の下側から当接する前記第１の押上げ部１８３が開放作動部２０３を押し上げることにより、前記第２の作動部材２０１が閉鎖保持位置から第１入球作動位置へ強制的に変位されるようになっている。また、前記第２の作動部材２０１が閉鎖保持位置以外にある状態(すなわち第１または第２入球作動位置にある状態)では、前記第１の押上げ部１８３の移動軌跡から開放作動部２０３が離脱して、開放作動部２０３に対して第１の押上げ部１８３が当接しないよう構成されている。すなわち、前記第２の作動部材２０１が閉鎖保持位置以外にある状態では、前記第１の作動部材１７６が基準位置から作動位置へ変位した際に、第２の作動部材２０１が第１または第２入球作動位置で保持されるようになっている。
【００８５】
また、前記第２の作動部材２０１が閉鎖保持位置にある状態では、図１７に示すように、前記基準位置にある第１の作動部材１７６の第１の押上げ部１８３と、前記開放作動部２０３が所定間隔で離間するようになっている。この第１の押上げ部１８３と開放作動部２０３との離間間隔は、前記第１の作動部材１７６が基準位置から制止位置へ変位する間、第１の押上げ部１８３と開放作動部２０３との非当接状態が保たれる間隔に設定されており、パチンコ機１０の振動等により第１の作動部材１７６が基準位置および制止位置の間で自然に揺動した際に、前記第１の押上げ部１８３が開放作動部２０３を押し上げることなく第２の作動部材２０１を閉鎖保持位置で保持し得るよう構成されている。
【００８６】
(閉鎖保持部２０４)
前記閉鎖保持部２０４は、図１１、図１２、図１４〜図１７に示すように、前記第２基体部２０２の軸方向の端部に、当該第２基体部２０２から径方向外方へ突出するよう形成されている。実施例では、第２基体部２０２の軸方向の左右両端部に閉鎖保持部２０４が左右対称に形成されているが、当該第２基体部２０２の軸方向の左端部に設けられた閉鎖保持部２０４が対応する始動口開閉部材１６５,１６６を閉鎖位置に保持するよう構成され、第２基体部２０２の軸方向の右端部に設けられた閉鎖保持部２０４は始動口開閉部材１６５,１６６の閉鎖位置への保持に対して実質的に寄与していない。なお実施例では、第２基体部２０２の軸方向の両端部に前記閉鎖保持部２０４が左右対称に形成されているが、対応の始動口開閉部材１６５,１６６側に位置する端部だけに閉鎖保持部２０４を形成してもよく、また閉鎖保持部２０４の形成位置としては、第２基体部２０２の軸方向端部である必要はない。
【００８７】
前記閉鎖保持部２０４は、図１１、図１２、図１４〜図１７に示すように、前記第２の作動部材２０１(第２基体部２０２)の回転方向(周方向)へ所定角度範囲に亘って延在する平板状に形成されている。そして、前記第２の作動部材２０１が閉鎖保持位置にある状態では、各可変始動入賞部１６１,１６２に対応する取込口１１５ａ,１１６ａを介して取込通路１１５,１１６(作動通路１１８)へ閉鎖保持部２０４が突出し、第２の作動部材２０１が第１または第２入球作動位置にある状態では、各可変始動入賞部１６１,１６２に対応する取込口１１５ａ,１１６ａの後方に退避して取込通路１１５,１１６(作動通路１１８)へ閉鎖保持部２０４が突出しないようよう構成されている。ここで、前記閉鎖保持部２０４は、対応する取込口１１５ａ,１１６ａの開口側縁(開口左側縁)に近接位置するよう形成されて、前記第２の作動部材２０１が閉鎖保持位置にある状態において、前記閉鎖位置および開放位置の間で始動口開閉部材１６５,１６６が変位する際に係合片１６７が移動する移動軌跡内に、各始動口開閉部材１６５,１６６に対応した可変始動入賞部１６１,１６２の閉鎖保持部２０４が臨むよう形成される。
【００８８】
すなわち、前記第２の作動部材２０１が閉鎖保持位置にある状態では、前記閉鎖保持部２０４の側面(左側面)に対応の始動口開閉部材１６５,１６６の係合片１６７が当接して、当該各始動口開閉部材１６５,１６６の自重による開放位置への揺動が規制され、これにより始動口開閉部材１６５,１６６が閉鎖位置に保持されるようになっている。そして、前記第２の作動部材２０１が第１入球作動位置に変位した状態では、前記各始動口開閉部材１６５,１６６の開閉変位に伴う係合片１６７の移動軌跡から各対応の閉鎖保持部２０４が離脱して閉鎖保持部２０４による係合片１６７の当接規制が解除され、第１入球作動位置へ変位した第２の作動部材２０１に対応した始動口開閉部材１６５,１６６が、自重により閉鎖位置から開放位置へ開放変位するようになっている。
【００８９】
(閉鎖作動部２０５について)
図１１、図１２、図１４〜図１７に示すように、前記閉鎖保持部２０４における前記第２の作動部材２０１の順回転方向の前側に位置する端部に、前記閉鎖作動部２０５が設けられている。すなわち、第２の作動部材２０１が第２入球作動位置から閉鎖保持位置へ回転変位する際に、当該第２の作動部材２０１に対応した始動口開閉部材１６５,１６６の係合片１６７に対して閉鎖作動部２０５が上方から当接して押し下げることにより、当該始動口開閉部材１６５,１６６を強制的に開放位置から閉鎖位置へ変位させるようになっている。そして、前記第２の作動部材２０１が第２入球作動位置から閉鎖保持位置に変位した際には、前述のように当該閉鎖保持位置に保持された第２の作動部材２０１の閉鎖保持部２０４により係合片１６７が当接規制されて、対応する始動口開閉部材１６５,１６６が閉鎖位置に保持されるようになっている。ここで、前記閉鎖作動部２０５は、前記第２の作動部材２０１の第２基体部２０２から径方向外方に離間する端部が前記第２の作動部材２０１の順回転方向前側へ延出する鉤状に屈曲形成されており、第２入球作動位置から閉鎖保持位置に第２の作動部材２０１が回転変位した際に、閉鎖作動部２０５の屈曲部が対応の始動口開閉部材１６５,１６６の係合片１６７に引っ掛かることで、閉鎖作動部２０５と係合片１６７との係合が解除されるのを防止するようになっている。
【００９０】
(入球作動部２０６,２０７について)
前記入球作動部２０６,２０７は、図１１、図１２、図１４〜図１７に示すように、前記第２基体部２０２から径方向外方へ突出するよう形成されている。実施例の第２の作動部材２０１には、前記第２基体部２０２の周方向に離間する複数箇所(実施例では２箇所)に前記入球作動部２０６,２０７が突出するよう形成され、当該第２の作動部材２０１の回転変位位置(第１または第２入球作動位置)に応じて、各可変始動入賞部１６１,１６２に対応する可変始動口１０２,１０３に連通した取込通路１１５,１１６(作動通路１１８)に入球作動部２０６,２０７が突出するようになっている。また、前記各入球作動部２０６,２０７は、前記第２基体部２０２の軸方向の中間位置に設けられて、対応する取込口１１５ａ,１１６ａの取込通路１１５,１１６(作動通路１１８)に対して左右幅方向の略中央に位置するようになっており、前記第１または第２入球作動位置に第２の作動部材２０１がある状態で、当該取込通路１１５,１１６(作動通路１１８)を通過するパチンコ球Ｐが入球作動部２０６,２０７に対して確実に接触し得るようになっている。
【００９１】
具体的に、前記第２の作動部材２０１には、前記第２の作動部材２０１が第１入球作動位置に回転変位した状態で対応する取込口１１５ａ,１１６ａを介して取込通路１１５,１１６(作動通路１１８)に突出する第１入球作動部２０６と、第２の作動部材２０１が第２入球作動位置に回転変位した状態で対応する取込口１１５ａ,１１６ａを介して取込通路１１５,１１６(作動通路１１８)に突出する第２入球作動部２０７とが設けられている。すなわち、第１入球作動位置では、前記第１入球作動部２０６に接触したパチンコ球Ｐが第２の作動部材２０１を順回転方向へ付勢して、当該第２の作動部材２０１を第２入球作動位置へ回転変位させ、第２入球作動位置では、前記第２入球作動部２０７に接触したパチンコ球Ｐが第２の作動部材２０１を順回転方向へ付勢して、当該第２の作動部材２０１を閉鎖保持位置へ回転変位させるようになっている。
【００９２】
また、図１４〜図１７に示すように、前記第２の作動部材２０１の回転変位に伴う前記第１および入球作動部２０６,２０７の移動軌跡に、前記制止部材１９０の回転制止部１９３が延出するよう構成されている。具体的に、前記第２の作動部材２０１が閉鎖保持位置にある状態で、当該第２の作動部材２０１が順回転方向に変位する際に前記第２入球作動部２０７が移動する移動方向前側に回転制止部１９３が位置している(図１７参照)。また、前記第２の作動部材２０１が第２入球作動位置にある状態で、第２の作動部材２０１が順回転方向に変位する際に前記第１入球作動部２０６が移動する移動方向前側に回転制止部１９３が位置するようになっている(図１７参照)。すなわち、パチンコ機１０に発生する振動等により、前記第２の作動部材２０１が自然に揺動した場合に、前記第１入球作動部２０６や第２入球作動部２０７が制止部材１９０の回転制止部１９３に当接することで、当該制止部材１９０の重みが第２の作動部材２０１の回転抵抗となり、第２の作動部材２０１の順回転方向への回転変位を防止し得るようになっている。一方で、前記第１の作動部材１７６の球受け部１７９にパチンコ球Ｐが落下して作動位置に変位した第１の作動部材１７６が前記制止部材１９０を強制的に揺動させた際に、前記第２の作動部材２０１の回転変位に伴う第１および入球作動部２０６,２０７の移動軌跡から回転制止部１９３が退避するよう構成されている。従って、前記第１の作動部材１７６の作動位置への変位に伴って前記第１の押上げ部１８３が開放作動部２０３を押し上げることで、第２入球作動部２０７が制止部材１９０の回転制止部１９３に当接することなく前記第２の作動部材２０１の順回転方向への回転変位が許容されるようになっている。
【００９３】
このように、可変始動入賞部１６１,１６２は、閉鎖位置にある始動口開閉部材１６５,１６６に対して対応する第１の作動部材１７６が間接的に接続(すなわち第２の作動部材２０１を介して接続)し得るよう構成されると共に、始動口開閉部材１６５,１６６および第１の作動部材１７６の接続状態において第１ソレノイド１３５の駆動に伴い開放した作動口１０１に入球したパチンコ球との接触に伴い作動位置に変位された第１の作動部材１７６が、当該始動口開閉部材１６５,１６６を閉鎖位置から開放位置に変位させるよう構成されている。そして、開放位置にある始動口開閉部材１６５,１６６に対して対応の第２の作動部材１７６が接続し得るよう構成され、始動口開閉部材１６５,１６６との接続状態において可変始動口１０２,１０２に入賞したパチンコ球Ｐとの接触に伴い閉鎖保持位置に変位した第２の作動部材１７６が、当該始動口開閉部材１６５,１６６を開放位置から閉鎖位置に変位させるようになっている。
【００９４】
(回転規制部２１０について)
前記回転規制部２１０は、前記機構設置ケース１７０に枢支された係止アーム２１１と、前記第２の作動部材２０１に設けられて係止アーム２１１と係脱可能に係合する係止受け部２１３とから構成され、当該係止アーム２１１と係止受け部２１３との係合により第２の作動部材２０１の逆回転方向への回転変位を規制するようになっている。前記係止アーム２１１は、前後方向に長尺な棒状に形成されて、当該係止アーム２１１の一端部(実施例では後端部)が前記機構設置ケース１７０の左壁部に揺動可能に枢支されている。そして、前記係止アーム２１１の他端部(実施例では前端部)に、第２作動部材側へ向けて突出する係止突部２１１ａが設けられており、当該係止突部２１１ａが前記係止受け部２１３に係脱可能に係合するようになっている。また、前記係止アーム２１１は、付勢手段２１２により前記係止突部２１１ａを下方へ向けて付勢されている。なお、実施例では、付勢手段として係止アーム２１１の軸部１９１ａにねじりバネ２１２を巻き掛けて係止突部２１１ａを下方へ向けて付勢するよう構成されているが、付勢手段としては従来公知の各種手段を採用可能である。
【００９５】
前記係止受け部２１３は、図１１に示すように、前記第２の作動部材２０１における第２基体部２０２の左端部に設けられている。前記係止受け部２１３は、前記機構設置ケース１７０の左壁部側に開口する筒状に形成され、当該係止受け部２１３の内部に、前記係止アーム２１１の係止突部２１１ａが挿入されている。すなわち、前記ねじりバネ２１２の付勢により常には前記係止アーム２１１の係止突部２１１ａが前記係止受け部２１３の内周面を摺動するよう構成されている。そして、前記係止受け部２１３には、前記内周面から内方に突出する係止爪２１３ａが第２の作動部材２０１の回転方向へ離間する複数箇所(実施例では３箇所)に形成されており、当該係止受け部２１３の内周面を摺動する前記係止突部２１１ａが係止爪２１３ａに係合することで、当該第２の作動部材２０１の回転が規制されるようになっている。ここで、前記係止爪２１３ａは、前記第２の作動部材２０１が順回転方向に回転した際に前記係止突部２１１ａが係合することなく摺動し得るよう形成される一方、第２の作動部材２０１が逆回転方向に回転した際に係止突部２１１ａが係合して第２の作動部材２０１の回転を規制するよう傾斜状に形成されている。すなわち、前記係止受け部２１３に設けた係止爪２１３ａの傾斜により、前記第２の作動部材２０１の順回転方向への回転が許容される一方で、逆回転方向への回転を規制している。
【００９６】
ここで、前記係止受け部２１３の各係止爪２１３ａは、図１３に示すように、前記第２の作動部材２０１が閉鎖保持位置、第１および第２入球作動位置にある状態で、前記係止アーム２１１の係止突部２１１ａと係合するよう形成されている。従って、前記第２の作動部材２０１が閉鎖保持位置にある状態では、前記球受け部１７９へのパチンコ球Ｐの落下により前記第１の作動部材１７６が作動された場合に、第２の作動部材２０１が逆回転方向に回転変位することなく閉鎖保持位置から第１入球作動位置に回転変位され、第２の作動部材２０１が第１入球作動位置にある状態では、各可変始動入賞部１６１,１６２に対応する可変始動口１０２,１０３に入賞したパチンコ球Ｐとの接触により第１入球作動部２０６が作動された場合に、第２の作動部材２０１が逆回転方向に回転変位することなく第１入球作動位置から第２入球作動位置に回転変位され、第２の作動部材２０１が第２入球作動位置にある状態では、各可変始動入賞部１６１,１６２に対応する可変始動口１０２,１０３に入賞したパチンコ球Ｐとの接触により第２入球作動部２０７が作動された場合に、第２の作動部材２０１が逆回転方向に回転変位することなく第２入球作動位置から閉鎖保持位置に回転変位されるようになっている。
【００９７】
(特図表示部について)
図２に示すように、前記遊技盤２０の所定位置(実施例では、遊技領域２１の外側右下部位置)には、前記固定始動口３１、第１または第２可変始動口１０２,１０３への入賞(各始動口に対応の検出センサ７５,７７,７８による球検出)を契機として作動する特図表示部(特図表示手段)５０Ａ,５０Ｂが設けられている。ここで、特図表示部５０Ａ,５０Ｂは、前記固定始動口３１または第１可変始動口１０２への入賞を契機として変動表示を開始する第１特図表示部５０Ａと、第２可変始動口１０３への入賞を契機として変動表示を開始する第２特図表示部５０Ｂとからなり、各特図表示部５０Ａ,５０Ｂの何れも複数個(実施例では８個ずつ)のＬＥＤランプにより構成されている。そして、前記固定始動口３１または第１可変始動口１０２へのパチンコ球Ｐの入賞を契機として、第１特図表示部５０ＡのＬＥＤランプが順次点灯・消灯する点滅変動する特図変動表示が行われ、最終的にＬＥＤランプが確定的に点灯した点灯位置(点灯パターン)により複数種類の特別図柄(以下、特図という)を表示するようになっている。また、第２可変始動口１０３へのパチンコ球Ｐの入賞を契機として、第２特図表示部５０ＢのＬＥＤランプが点灯・消灯する点滅変動する変動表示が行われて、最終的に発光部が確定的に点灯した点灯位置(点灯パターン)により特図を表示するよう構成されている。
【００９８】
ここで、前記特図は、特図当り抽選の結果が当り(大当り)か否かなどの内部抽選の結果を示す報知用の図柄とされて、前記各特図表示部では、ＬＥＤランプの点灯位置により大当りを認識し得る当り表示(大当り図柄)としての特図と、はずれを認識し得るはずれ表示結果としての特図とが表示可能に構成されて、特図当り抽選の結果に応じて１つの特図が特図表示部５０Ａ,５０Ｂに確定停止表示される。なお、以下の説明では、第１特図表示部５０Ａで行われる特図変動表示を「第１特図変動表示」と称し、該第１特図変動表示の結果、第１特図表示部５０Ａに確定停止表示される特図を特図１と称する場合がある。同様に、第２特図表示部５０Ｂで行われる特図変動表示を「第２特図変動表示」と称し、該第２特図変動表示の結果、第２特図表示部５０Ｂに確定停止表示される特図を特図２と称する場合がある。
【００９９】
(普図表示部５５について)
また、図２に示すように、前記遊技盤２０には、前記遊技領域２１の外側右下部位置に、複数のＬＥＤ(実施例では２個)からＬＥＤランプが構成された普図表示部５５が配設されている。この普図表示部５５では、ゲートセンサ７６のパチンコ球Ｐの検出(ゲート部３３のパチンコ球Ｐの通過)を契機として、複数種類の普通図柄(以下、「普図」と示す場合がある)を変動させて１つの普図を導出する普図変動表示が行われるようになっている。実施例では、２つのＬＥＤの発光態様にて普図抽選の結果を表示するようになっている。そして、前記普図表示部５５の最終的な表示結果から普図当りまたははずれを認識できるようになっている。
【０１００】
(確変について)
また、実施例のパチンコ機１０は、大当り遊技終了後に遊技者に有利な遊技状態として第１特典遊技状態を付与する機能を備えている。ここで、第１特典遊技状態としては、前記特別入賞口４１へのパチンコ球Ｐの入賞契機が、当該第１特典遊技状態が付与されていない状態に較べて増加する状態である。具体的には、第１特典遊技状態では、特図当り確率を低確率から高確率に変動することにより特別入賞口４１へのパチンコ球Ｐの入賞契機の発生割合を高くすることができる。以下の説明では、第１特典遊技状態を、便宜的に「確変状態」というものとする。
【０１０１】
確変機能は、確定停止表示された大当り図柄(特図１または特図２)の種類が予め定めた図柄(特定図柄)であることを条件として、大当り遊技の終了後に大当りの抽選確率(大当り確率)が低確率(例えば、１／３９９)から高確率(例えば、１／６０)に変動させる確変状態を付与する機能である。なお、確変状態が付与されていない状態を非確変状態というものとする。実施例では、大当り遊技終了後に確変状態が付与される大当りが確変大当りであり、確変状態が付与されない大当りが非確変大当りとなる。このように、確変状態が付与されると、大当りの抽選確率が高確率に変動して大当りが生起され易くなるため、確変状態は遊技者にとって有利であり、遊技者は確変大当りになることを期待しつつ遊技を行っている。また、実施例では、確変状態が付与される大当りの場合には、大当り遊技終了後、所定回数の図柄変動演出(特図変動)が実行されるまでの間継続して確変状態が付与される。
【０１０２】
(変短状態について)
また、実施例のパチンコ機１０は、大当り遊技終了後に遊技者に有利な遊技状態として第２特典遊技状態(第２の遊技状態)を付与する機能を備えている。ここで、第２特典遊技状態としては、作動口開閉部材１３１により開閉される前記作動口１０１へのパチンコ球Ｐの入賞契機が、当該第２特典遊技状態が付与されていない状態(第１の遊技状態)と較べて増加する入賞率向上状態である。具体的には、第２特典遊技状態では、(1)普図変動表示の変動時間の短縮、(2)普図当り確率を低確率から高確率に変動、(3)普図当り１回についての作動口１０１を開放する作動口開閉部材１３１の開放時間を増やすこと、により作動口１０１へのパチンコ球Ｐの入賞契機を増加することができる。なお、第２特典遊技状態では、上記(1)〜(3)を単独または複数を組み合わせることができる。なお普図当り１回についての作動口１０１を開放する作動口開閉部材１３１の開放時間を増やすに際しては、作動口開閉部材１３１の開放時間を単純に延長することで実現してもよく、また作動口開閉部材１３１の開放回数を増やすことで実現することもでき、またこれらを複合させてもよい。なお、実施例では、第２特典遊技状態として上記(1)〜(3)を組み合わせており、以下の説明では、これら(1)〜(3)を組み合わせた状態を便宜的に「変短状態」というものとする。すなわち、変短状態は、作動口１０１へのパチンコ球Ｐの入賞率が向上した入賞率向上状態である。なお、実施例の変短状態では、大当り遊技終了後の前記普図表示部５５で行われる普図変動表示の変動時間を短縮すると共に、普図当り確率を低確率低確率(実施例では、１／６５５３６)から高確率(実施例では、６５５３５／６５５３６)に変動させるよう設定してある。ここで、変短状態の付与条件は、後述するように大当り図柄の種類毎に定められている。
【０１０３】
(大当り遊技について)
次に、実施例のパチンコ機１０で付与される大当り遊技について説明する。大当り遊技は、特図変動表示の結果として特図表示部に大当り図柄が停止表示された後に開始されるよう設定されており、当選した大当り図柄の種類に応じて特別入賞部４０の開閉扉４３が開閉動作される。なお実施例の大当り遊技では、特別入賞部４０の開閉扉４３を開放するラウンド遊技を規定ラウンド数実行することで、大当り遊技が終了するようになっている。１回のラウンド遊技は、特別入賞口４１に規定個数(例えば１０個)のパチンコ球Ｐが入賞するか、あるいは各ラウンド遊技の開始から規定時間(ラウンド遊技時間)が経過することで終了する。なお、大当り遊技における各ラウンド遊技の間は、所定時間だけ開閉扉４３が閉鎖状態で保持されるラウンド間インターバル時間が設定されている。
【０１０４】
(大当り遊技の種類について)
実施例のパチンコ機１０では、図２３に示すように、大当り判定に当選した場合に、遊技者に与える価値が異なる複数種類の大当り遊技の中から１つの大当り遊技が決定され、その決定された大当り遊技が付与される。ここで、複数種類の大当り遊技の内で何れの大当り遊技が付与されるかは、大当り判定に当選した際に決定される大当り図柄(特図１および特図２)の種類に基づいて決定されるようになっている。
【０１０５】
(固定始動口３１または第１可変始動口１０２への入賞に基づく大当り図柄について)
前記固定始動口３１または第１可変始動口１０２へのパチンコ球Ｐの入賞に基づく大当り判定の判定結果が肯定判定の場合には、前記メイン制御ＣＰＵ６０ａは、予め定められた複数種類の大当り図柄の中から１つの大当り図柄を決定するよう設定されている。具体的に、実施例では、固定始動口３１または第１可変始動口１０２へパチンコ球Ｐが入賞した際に取得された特図決定用乱数に基づいて、３種類の大当り図柄(図柄Ａ〜図柄Ｃ)の中から１つの大当り図柄を決定するようになっている。実施例のパチンコ機１０では、固定始動口３１または第１可変始動口１０２へのパチンコ球Ｐの入賞に基づく大当り判定の判定結果が肯定判定の場合に、７０％の割合で大当り図柄としての図柄Ａが選択され、１５％の割合で大当り図柄としての図柄Ｂが選択され、１５％の割合で大当り図柄としての図柄Ｃが選択されるよう特図決定用判定値が割り当てられている。なお、前述した大当り図柄の振分割合は一例であり、これに限られるものではない。
【０１０６】
前記図柄Ａに対応した第１の大当り遊技は、第１の大当り遊技の終了後に次の大当り遊技に当選するまで確変状態が継続して付与されると共に、該確変状態が継続する間、変短状態が付与される大当り図柄として設定されている。また、前記図柄Ａに対応した第１の大当り遊技は、第１の大当り遊技の終了後に次の大当り遊技に当選するまでの間、普図当りに当選した際に前記可変作動入球部１３０の作動口開閉部材１３１を第１開閉動作パターンＰ１で動作させる大当り図柄として設定される。また、前記第１の大当り遊技は、規定ラウンド数が「１６回」に設定されたラウンド大当り遊技である。この第１の大当り遊技では、１ラウンド目〜４ラウンド目のラウンド遊技は、ラウンド遊技の開始から終了まで継続して特別入賞口を開放する長時間開放動作を開閉扉４３に行わせるよう設定されている。一方で、第１の大当り遊技における５ラウンド目〜１６ラウンド目のラウンド遊技は、ラウンド遊技の開始から終了まで継続して特別入賞口４１を開放させるものの、４ラウンド目までに開閉扉４３に行わせる前記長時間開放動作よりも特別入賞口４１の開放時間が短くなる短時間開放動作を開閉扉４３に行わせるよう設定されている。ここで、第１の大当り遊技における１ラウンド目〜４ラウンド目のラウンド遊技は、１回のラウンド遊技に定められた規定個数(例えば１０個)のパチンコ球が入賞可能な開放時間で開閉扉４３が開放動作するよう設定され、５ラウンド目〜１６ラウンド目のラウンド遊技は、パチンコ球が略入賞不能な開放時間で開閉扉４３が開放動作するよう設定されている。
【０１０７】
具体的に、第１の大当り遊技では、図２３に示すように、１ラウンド目(１Ｒ)〜４ラウンド目(４Ｒ)の１回のラウンド遊技のラウンド遊技時間として「２５．０(秒)」が設定されており、各ラウンド遊技において前記開閉扉４３が最大で「２５．０(秒)」の長時間に亘って開放動作するようになっている。一方で、５ラウンド目(５Ｒ)〜１６ラウンド目(１６Ｒ)の１回のラウンド遊技のラウンド遊技時間として「０．０４(秒)」が設定されている。なお、第１の大当り遊技では、ラウンド間インターバル時間(Ｉｎｔ)が「２．０(秒)」に設定されている。すなわち実施例において、第１の大当り遊技は、１ラウンド目〜４ラウンド目のラウンド遊技におけるパチンコ球の入賞により５００個前後の賞球を獲得し得る形態で特別入賞部４０の開閉扉４３を開閉させるよう構成されている。
【０１０８】
前記図柄Ｂに対応した第２の大当り遊技は、第２の大当り遊技の終了後に次の大当り遊技に当選するまで確変状態が継続して付与されると共に、該確変状態が継続する間、変短状態が付与される大当り図柄として設定されている。また、前記図柄Ｂに対応した第２の大当り遊技は、第２の大当り遊技の終了後に次の大当り遊技に当選するまでの間、普図当りに当選した際に前記可変作動入球部１３０の作動口開閉部材１３１を第２開閉動作パターンＰ２で動作させる大当り図柄として設定される。また、前記第２の大当り遊技は、規定ラウンド数が「１６回」に設定されたラウンド大当り遊技である。この第２の大当り遊技の各ラウンド遊技における開閉扉４３の開閉動作は、前述した第１の大当り遊技と同じに設定されていることから、その詳細は省略する。すなわち実施例では、第２の大当り遊技は、第１の大当り遊技と同様に当該第２の大当り遊技において５００個前後の賞球を獲得し得る形態で前記特別入賞部４０の開閉扉４３を開閉させるよう構成されている。このように、図柄Ａおよび図柄Ｂは、対応する大当り遊技終了後の普図当りの当選に伴う前記可変作動入球部１３０の作動口開閉部１３１の開閉動作態様が異なった大当り図柄として設定されている。
【０１０９】
前記図柄Ｃに対応した第３の大当り遊技は、第２の大当り遊技の終了後に確変状態が付与されない一方で変短状態が付与される大当り遊技として設定されている。具体的に、実施例では、図柄Ｃ(第３の大当り遊技)が決定された場合に付与される変短状態の付与期間として、当該第３の大当り遊技終了後に１０回の図柄変動演出(第１特図変動表示または第２特図変動表示)が実行される期間に設定されている。また、前記図柄Ｃに対応した第３の大当り遊技は、第３の大当り遊技の終了後に次の大当り遊技に当選するまでの間、普図当りに当選した際に前記可変作動入球部１３０の作動口開閉部材１３１を第２開閉動作パターンＰ２で動作させる大当り図柄として設定される。また、前記第３の大当り遊技は、規定ラウンド数が「１６回」に設定されたラウンド大当り遊技である。この第３の大当り遊技の各ラウンド遊技における開閉扉４３の開閉動作は、前述した第１の大当り遊技と同じに設定されていることから、その詳細は省略する。すなわち実施例では、第３の大当り遊技は、第１の大当り遊技と同様に当該第３の大当り遊技において５００個前後の賞球を獲得し得る形態で前記特別入賞部４０の開閉扉４３を開閉させるよう構成されている。
【０１１０】
(第２可変始動口１０３への入賞に基づく大当り図柄について)
前記第２可変始動口１０３へのパチンコ球Ｐの入賞に基づく大当り判定の判定結果が肯定判定の場合には、前記メイン制御ＣＰＵ６０ａは、予め定められた複数種類の大当り図柄の中から１つの大当り図柄を決定するよう設定されている。具体的に、実施例では、第２可変始動口１０３へパチンコ球Ｐが入賞した際に取得された特図決定用乱数に基づいて、３種類の大当り図柄(図柄ａ〜図柄ｃ)の中から１つの大当り図柄を決定するよう設定される。更に、実施例のパチンコ機１０では、７０％の割合で大当り図柄としての図柄ａが選択され、１５％の割合で大当り図柄としての図柄ｂが選択され、１５％の割合で大当り図柄としての図柄ｃが選択されるよう特図決定用判定値が割り当てられている。なお、前述した大当り図柄の振分割合は一例であり、これに限られるものではない。
【０１１１】
前記図柄ａに対応した第４の大当り遊技は、第４の大当り遊技の終了後に次の大当り遊技に当選するまで確変状態が継続して付与されると共に、該確変状態が継続する間、変短状態が付与される大当り図柄として設定されている。また、図柄ａに対応した第４の大当り遊技は、第４の大当り遊技の終了後に次の大当り遊技に当選するまでの間、普図当りに当選した際に前記可変作動入球部１３０の作動口開閉部材１３１を第２開閉動作パターンＰ２で動作させる大当り図柄として設定される。また、前記第４の大当り遊技は、規定ラウンド数が「１６回」に設定されたラウンド大当り遊技である。この第４の大当り遊技では、１ラウンド目〜１６ラウンド目のラウンド遊技はラウンド遊技の開始から終了まで継続して特別入賞口を開放する長時間開放動作を開閉扉４３に行わせるよう設定されている。ここで、第４の大当り遊技における１ラウンド目〜１６ラウンド目のラウンド遊技は、１回のラウンド遊技に定められた規定個数(例えば１０個)のパチンコ球が入賞可能な開放時間で開閉扉４３が開放動作するよう設定されている。
【０１１２】
具体的に、第４の大当り遊技では、図２３に示すように、１ラウンド目(１Ｒ)〜１６ラウンド目(１６Ｒ)の１回のラウンド遊技のラウンド遊技時間として「２５．０(秒)」が設定されており、各ラウンド遊技において前記開閉扉４３が最大で「２５．０(秒)」の長時間に亘って開放動作するようになっている。すなわち実施例において、第４の大当り遊技は、１ラウンド目〜１６ラウンド目のラウンド遊技におけるパチンコ球の入賞により２０００個前後の賞球を獲得し得る形態で特別入賞部４０の開閉扉４３を開閉させるよう構成されている。
【０１１３】
前記図柄ｂに対応した第５の大当り遊技は、第５の大当り遊技の終了後に次の大当り遊技に当選するまで確変状態が継続して付与されると共に、該確変状態が継続する間、変短状態が付与される大当り図柄として設定されている。また、図柄ｂに対応した第５の大当り遊技は、第５の大当り遊技の終了後に次の大当り遊技に当選するまでの間、普図当りに当選した際に前記可変作動入球部１３０の作動口開閉部材１３１を第２開閉動作パターンＰ２で動作させる大当り図柄として設定される。また、前記第５の大当り遊技は、規定ラウンド数が「１６回」に設定されたラウンド大当り遊技である。この第５の大当り遊技では、１ラウンド目〜１６ラウンド目のラウンド遊技はラウンド遊技の開始から終了まで継続して特別入賞口を開放する短時間開放動作を開閉扉４３に行わせるよう設定されている。ここで、第５の大当り遊技における１ラウンド目〜１６ラウンド目のラウンド遊技は、パチンコ球が略入賞不能な開放時間で開閉扉４３が開放動作するよう設定されている。具体的に、第４の大当り遊技では、図２３に示すように、１ラウンド目(１Ｒ)〜１６ラウンド目(１６Ｒ)の１回のラウンド遊技のラウンド遊技時間として「０．０４(秒)」が設定されている。すなわち実施例において、第５の大当り遊技は、１ラウンド目〜１６ラウンド目のラウンド遊技においてパチンコ球が略入賞が不可能で賞球を殆ど獲得し得ない形態(例えば０〜５０個程度)で特別入賞部４０の開閉扉４３を開閉させるよう構成される。
【０１１４】
前記図柄ｃに対応した第６の大当り遊技は、第６の大当り遊技の終了後に確変状態および変短状態が付与されない大当り遊技として設定されている。また、前記図柄ｃに対応した第６の大当り遊技は、第６の大当り遊技の終了後に次の大当り遊技に当選するまでの間、普図当りに当選した際に前記可変作動入球部１３０の作動口開閉部材１３１を第３開閉動作パターンＰ３で動作させる大当り図柄として設定される。また、前記第６の大当り遊技は、規定ラウンド数が「１６回」に設定されたラウンド大当り遊技である。この第６の大当り遊技の各ラウンド遊技における開閉扉４３の開閉動作は、前述した第５の大当り遊技と同じに設定されていることから、その詳細は省略する。すなわち実施例では、第６の大当り遊技は、第５の大当り遊技と同様に当該第６の大当り遊技において賞球を殆ど獲得し得ない形態(例えば０〜５０個程度)で特別入賞部４０の開閉扉４３を開閉させるよう構成される。
【０１１５】
すなわち、実施例のパチンコ機１０は、決定された大当り遊技の種類に応じて、大当り遊技後に遊技可能な複数種類の遊技状態が設定されている。すなわち、確変状態および変短状態が付与されると共に作動口開閉部材１３１が第１開閉動作パターンＰ１で動作する第１の大当り遊技後に遊技可能な遊技状態と、確変状態および変短状態が付与されると共に作動口開閉部材１３１が第２開閉動作パターンＰ２で動作する第２,第４および第５の大当り遊技後に遊技可能な遊技状態と、確変状態および変短回数１０回の変短状態が付与されると共に作動口開閉部材１３１が第２開閉動作パターンＰ２で動作する第３の大当り遊技後に遊技可能な遊技状態と、確変状態および変短状態が付与されず、作動口開閉部材１３１が第３開閉動作パターンＰ３で動作する第６の大当り遊技後に遊技可能な遊技状態とが設定されている。ここで、第３開閉動作パターンＰ３は、確変状態および変短状態が付与されていない状態で作動口開閉部材１３１が動作される動作パターンであり、第３の大当り遊技後に付与された１０回の変短回数の図柄変動演出が行われた後にも、作動口開閉部材１３１が第３開閉動作パターンＰ３で動作するよう構成される。
【０１１６】
(可変作動入球部１３０および通路振分部１５０の駆動制御について)
前記メイン制御ＣＰＵ６０ａは、普図当りに伴って作動口１０１に入球したパチンコ球Ｐを通出させる分岐通路(第１または第２の分岐流入通路１４５,１４６)を決定するよう構成されている。具体的には、普図当りに伴う可変作動入球部１３０の作動口開閉部材１３１の動作態様(開閉動作パターンＰ１〜Ｐ３)をメイン制御ＣＰＵ６０ａが決定することで、前記作動口１０１に入球したパチンコ球Ｐが第１の分岐通路(第１の分岐流入通路１４５)および第２の分岐通路(第２の分岐流入通路１４６)の何れかに振り分けられるよう構成されている。ここで、作動口１０１に入球したパチンコ球Ｐが第１の分岐通路(第１の分岐流入通路１４５)および第２の分岐通路(第２の分岐流入通路１４６)の何れの通路に振り分けられるかは、前記可変入球装置１００の前記振分領域にパチンコ球Ｐが到来するタイミングと、そのタイミングにおける通路振分部１５０の振分体１５１の動作位置とにより定まる。そこで、通路振分部１５０の振分体１５１の動作態様と、メイン制御ＣＰＵ６０ａが決定する可変作動入球部１３０の作動口開閉部材１３１の動作態様との関係について、説明する。
【０１１７】
(通路振分部１５０における振分体１５１の動作について)
前記通路振分部１５０は、普図当りに伴って一定の動作パターンで第１振分位置および第２振分位置に振分体１５１が変位するよう前記メイン制御ＣＰＵ６０ａにより駆動制御される。具体的に、図２４に示すように、普図当りに当選した場合には、普図当りが開始してから所定の作動タイミングにおいて振分体１５１を第１振分位置から第２振分位置に変位させ、第２振分位置への変位から所定の時間(第１振分時間ＴＺ１)の経過後に、当該振分体１５１を第２振分位置から第１振分位置に変位させ、普図当りが開始してから所定の時間(第２振分時間ＴＺ２)の経過後に、当該振分体１５１を第１振分位置から第２振分位置に変位させると共に、普図当りが開始してから所定の時間(第３振分時間ＴＺ３)の経過後に、当該振分体１５１を第２振分位置から第１振分位置に変位させるよう構成されている。すなわち、普図当りが開始してから、振分体１５１が第１振分位置にあるタイミングで分岐領域に到来したパチンコ球Ｐが、第１の分岐通路(第１の分岐流入通路１４５)へ振り分けられ、通路振分部１５０の振分体１５１が第２振分位置にあるタイミングで可変入球装置１００の分岐領域に到来したパチンコ球Ｐが、第２の分岐通路(第２の分岐流入通路１４６)へ振り分けられる。ここで、実施例では、普図当りの場合に普図変動表示が終了してから所定の開放待機時間(例えば５００ミリ秒)が経過したタイミングが、作動タイミングに設定されている。
【０１１８】
また、前記第１振分時間ＴＺ１は、第１振分位置から第２振分位置への振分体１５１の変位(作動タイミング)と同時に作動口１０１に入球したパチンコ球Ｐが分岐領域まで移動するのに必要な時間よりも短い時間に設定されている。すなわち、振分体１５１の作動タイミングと同時に作動口１０１に入球したパチンコ球Ｐは、実質的に前記第２の分岐通路(第２の分岐流入通路１４６)へ移動不能となっており、第１振分時間ＴＺ１の経過に伴って第１位置に変位した振分体１５１により第１の分岐通路(第１の分岐流入通路１４５)へ振り分けられるようになっている。すなわち、通路振分部１５０は、実質的に、普図当りに伴って第１の分岐通路(第１の分岐流入通路１４５)へのパチンコ球Ｐの振分動作を行った後に、第２の分岐通路(第２の分岐流入通路１４６)へのパチンコ球Ｐの振分動作を行うよう前記メイン制御ＣＰＵ６０ａにより駆動制御される。
【０１１９】
(可変作動入球部１３０における作動口開閉部材１３１の動作について)
前記メイン制御ＣＰＵ６０ａは、前述のように、決定された大当り図柄の種類(大当り遊技の種類)に応じて、可変作動入球部１３０の作動口開閉部材１３１の動作態様を定めた開閉動作パターンＰ１〜Ｐ３を決定するよう構成されている。すなわち、大当り遊技後に普図当りに当選した際には、前回大当りした際に決定された開閉動作パターンＰ１〜Ｐ３に基づいて可変作動入球部１３０の作動口開閉部材１３１が動作されるようになっている。ここで、前記可変作動入球部１３０の作動口開閉部材１３１を開閉動作させる開閉動作パターンＰ１〜Ｐ３として、作動口１０１に入球したパチンコ球Ｐが前記第１の分岐通路(具体的には第１の分岐流入通路１４５)および第２の分岐通路(具体的には第２の分岐流入通路１４６)に振り分けられる割合(可能性)が異なる複数種類の開閉動作パターンＰ１〜Ｐ３が設定されている。なお、メイン制御ＣＰＵ６０ａは、決定された大当り図柄の種類(大当り遊技の種類)だけでなく、大当り遊技後の遊技状態が確変状態および変短状態が付与されていない状態への切り替わ利に応じて可変作動入球部１３０の作動口開閉部材１３１の動作態様として第３開閉動作パターンＰ３を決定するようになっている。
【０１２０】
実施例では、作動口開閉部材１３１の開放動作に伴い作動口１０１に入球したパチンコ球Ｐが第１の分岐流入通路１４５に振り分けられる割合の高い第１開閉動作パターンＰ１および第３開閉動作パターンＰ３と、作動口開閉部材１３１の開放動作に伴い作動口１０１に入球したパチンコ球Ｐが第２の分岐流入通路１４６に振り分けられる割合の高い第２開閉動作パターンＰ２とが設定されている。すなわち、実施例のメイン制御ＣＰＵ６０ａは、作動口１０１に入球したパチンコ球Ｐを通出させる分岐通路を決定する通出通路決定手段としての機能を備えている。なお、第１開閉動作パターンＰ１および第３開閉動作パターンＰ３に基づいて作動口開閉部材１３１が開閉動作した場合に作動口１０１に入球した全てのパチンコ球Ｐが、第１の分岐流入通路１４５に振り分けられるようにしてもよく、また作動口１０１へのパチンコ球Ｐの入球タイミングによって第１および第２の分岐流入通路１４５,１４６の何れかに振り分けられると共に第１の分岐流入通路１４５へ振り分けられる可能性が高くなるようにしてもよい。同様に、第２開閉動作パターンＰ２に基づいて作動口開閉部材１３１が開閉動作した場合に作動口１０１に入球した全てのパチンコ球Ｐが、第２の分岐流入通路１４６に振り分けられるようにしてもよく、また作動口１０１へのパチンコ球Ｐの入球タイミングによって第１および第２の分岐流入通路１４５,１４６の何れかに振り分けられると共に第２の分岐流入通路１４６へ振り分けられる可能性が高くなるようにしてもよい。
【０１２１】
(第１開閉動作パターンＰ１について)
前記第１開閉動作パターンＰ１は、図２４に示すように、普図当りに当選した場合には、普図当りが開始してから所定の作動タイミングにおいて前記作動口開閉部材１３１を閉鎖位置から開放位置に変位させ、開放位置への変位から第１作動口開放時間ＴＡ１の経過後に作動口開閉部材１３１を開放位置から閉鎖位置に変位させて普図当り終了まで閉鎖位置に保持する動作をメイン制御ＣＰＵ６０ａが行わせるよう設定されている。すなわち、第１開閉動作パターンＰ１では、普図当りに当選した際に、第１作動口開放時間ＴＡ１の開放動作を作動口開閉部材１３１に１回行わせるよう設定されている。ここで、第１開閉動作パターンＰ１における前記作動タイミングは、普図当りが開始してから前記通路振分部１５０の振分体１５１を、第１振分位置から第２振分位置に変位させるタイミングと同じタイミングに設定されている。
【０１２２】
前記第１作動口開放時間ＴＡ１は、前記第１振分時間ＴＺ１よりも長く、かつ第２振分時間ＴＺ２よりも短く設定されて、第１作動口開放時間ＴＡ１の経過した時点において、当該振分体１５１が第２振分位置に変位しているようになっている。そして、第２振分時間ＴＺ２と第１作動口開放時間ＴＡ１との時間差ＴＲは、第１作動口開放時間ＴＡ１が経過する直前に作動口１０１に入球したパチンコ球Ｐが分岐領域まで移動するのに必要な時間よりも長い時間に設定されている。すなわち、実施例では、第１開閉動作パターンＰ１に基づいて可変作動入球部１３０の作動口開閉部材１３１が開閉動作した際に、作動口１０１に入球したパチンコ球Ｐが分岐領域まで移動した時点で前記振分体１５１が第１振分位置に位置するよう可変作動入球部１３０および通路振分部１５０が駆動制御され、作動口１０１に入球した全てのパチンコ球Ｐが、第１の分岐流入通路１４５に振り分けられるようになっている。なお、第１作動口開放時間ＴＡ１は、所定の打ち出し間隔で連続して遊技領域２１(第２球流下経路２１ｂ)に打ち出されたパチンコ球Ｐが作動口１０１に入球可能な時間に設定され、実施例では第１作動口開放時間ＴＡ１を「２．０秒」に設定してある。すなわち、第１開閉動作パターンＰ１は、前記通路振分部１５０の振分体１５１が少なくとも第１振分位置にある状態で作動口開閉部材１３１が開放位置に変位する第１の開放動作態様である。
【０１２３】
(第２開閉動作パターンＰ２について)
前記第２開閉動作パターンＰ２は、図２４に示すように、普図当りに当選した場合には、普図当りが開始してから所定の作動タイミングにおいて前記作動口開閉部材１３１を閉鎖位置から開放位置に変位させ、開放位置への変位から第２作動口開放時間ＴＢ１の経過後に作動口開閉部材１３１を開放位置から閉鎖位置に変位させ、普図当りが開始してから第２作動口開放時間ＴＢ２の経過後に作動口開閉部材１３１を閉鎖位置から開放位置に変位させ、普図当りが開始してから第３作動口開放時間ＴＢ３の経過後に作動口開閉部材１３１を閉鎖位置から開放位置に変位させて普図当り終了まで閉鎖位置に保持する動作をメイン制御ＣＰＵ６０ａが行わせるよう設定されている。ここで、実施例では、普図当りが開始してから第２作動口開放時間ＴＢ２の経過後に、所定の打ち出し間隔で連続して遊技領域２１(第２球流下経路２１ｂ)に打ち出されたパチンコ球Ｐが作動口１０１に入球可能な第４作動口開放時間ＴＢ４となる複数回(実施例では３回)の開閉動作を作動口開閉部材１３１に行わせるようになっている。すなわち、第２開閉動作パターンＰ２では、普図当りに当選した際に、第２作動口開放時間ＴＢ１の開放動作を作動口開閉部材１３１が１回行うと共に、第４作動口開放時間ＴＢ４の開放動作を作動口開閉部材１３１が３回行うよう設定されている。ここで、第２開閉動作パターンＰ２における前記作動タイミングは、普図当りが開始してから前記通路振分部１５０の振分体１５１を、第１振分位置から第２振分位置に変位させるタイミングと同じタイミングに設定されている。
【０１２４】
前記第２作動口開放時間ＴＢ１は、第２開閉動作パターンＰ２に基づく閉鎖位置から開放位置へ作動口開閉部材１３１の変位と同時に作動口１０１に入球したパチンコ球Ｐが分岐領域まで移動するのに必要な時間よりも短い時間に設定されている。より具体的には、第２作動口開放時間ＴＢ１は、前記第１振分時間ＴＺ１と同じ時間に設定されており、作動口１０１の開放と同時に入球したパチンコ球Ｐは、実質的に前記第２の分岐流入通路１４６へ振り分けられることなく第１の分岐流入通路１４５へ振り分けられるようになっている。また、第２作動口開放時間ＴＢ２は、当該第３作動口開放時間ＴＢ３の経過に伴って作動口開閉部材１３１が開放位置に変位するのと同時に作動口１０１に入球したパチンコ球Ｐが分岐領域まで移動した際に、前記振分体１５１が第２振分位置に変位している時間に設定されている。より具体的には、第２作動口開放時間ＴＢ２は、前記第２振分時間ＴＺ２と同じ時間に設定されており、第２作動口開放時間ＴＢ２の経過に伴う作動口１０１の開放と同時に入球したパチンコ球Ｐが、前記第２の分岐流入通路１４６へ振り分けられるようになっている。すなわち、実施例では、第２開閉動作パターンＰ２に基づいて可変作動入球部１３０の作動口開閉部材１３１が開閉動作した際に、作動口１０１に入球したパチンコ球Ｐが分岐領域まで移動した時点の多くで前記振分体１５１が第２振分位置に位置するよう可変作動入球部１３０および通路振分部１５０が駆動制御され、作動口１０１に入球した殆どのパチンコ球Ｐが、第２の分岐流入通路１４６に振り分けられるようになっている。なお、第４作動口開放時間ＴＢ４は、所定の打ち出し間隔で連続して遊技領域２１(第２球流下経路２１ｂ)に打ち出されたパチンコ球Ｐが作動口１０１に入球可能な時間に設定され、実施例では第４作動口開放時間ＴＢ４を「１．６秒」に設定してある。すなわち、第２開閉動作パターンＰ２は、前記通路振分部１５０の振分体１５１が少なくとも第２振分位置にある状態で作動口開閉部材１３１が開放位置に変位する第２の開放動作態様とされている。
【０１２５】
(第３開閉動作パターンＰ３について)
前記第３開閉動作パターンＰ３は、図２４に示すように、普図当りに当選した場合には、普図当りが開始してから所定の作動タイミングにおいて前記作動口開閉部材１３１を閉鎖位置から開放位置に変位させ、開放位置への変位から第５作動口開放時間ＴＣ１の経過後に作動口開閉部材１３１を開放位置から閉鎖位置に変位させて普図当り終了まで閉鎖位置に保持する動作をメイン制御ＣＰＵ６０ａが行わせるよう設定されている。すなわち、第３開閉動作パターンＰ３では、普図当りに当選した際に、第５作動口開放時間ＴＣ１の開放動作を作動口開閉部材１３１に１回行わせるよう設定されている。ここで、第３開閉動作パターンＰ３における前記作動タイミングは、普図当りが開始してから前記通路振分部１５０の振分体１５１を、第１振分位置から第２振分位置に変位させるタイミングと同じタイミングに設定されている。
【０１２６】
前記第５作動口開放時間ＴＣ１は、第３開閉動作パターンＰ３に基づく閉鎖位置から開放位置へ作動口開閉部材１３１の変位と同時に作動口１０１に入球したパチンコ球Ｐが分岐領域まで移動するのに必要な時間よりも短い時間に設定されている。より具体的には、第５作動口開放時間ＴＣ１は、前記第１振分時間ＴＺ１(第２作動口開放時間ＴＢ１)と同じ時間に設定されており、作動口１０１の開放と同時に入球したパチンコ球Ｐは、実質的に前記第２の分岐流入通路１４６へ振り分けられることなく第１の分岐流入通路１４５へ振り分けられるようになっている。すなわち、第３開閉動作パターンＰ３は、前記通路振分部１５０の振分体１５１が少なくとも第１振分位置にある状態で作動口開閉部材１３１が開放位置に変位する第１の開放動作態様である。
【０１２７】
すなわち、実施例のパチンコ機１０では、大当り判定の肯定判定(大当りの当選)に伴って大当り図柄として図柄Ａが決定された場合には、前記第１の大当り遊技後の遊技において第１可変始動口１０２へのパチンコ球Ｐの入賞に基づく大当り遊技(すなわち第１〜第３の大当り遊技)が発生する可能性が高く、大当り図柄として図柄Ｂが決定された場合には、前記第２の大当り遊技後の遊技において第２可変始動口１０３へのパチンコ球Ｐの入賞に基づく大当り遊技(すなわち第４〜第６の大当り遊技)が発生する可能性が高くなるよう構成されている。また、大当り判定の肯定判定(大当りの当選)に伴って大当り図柄として図柄Ｃが決定された場合には、前記第３の大当り遊技後の遊技において変短状態が付与されている間(第３の大当り遊技の終了後の１０回の図柄変動演出が行われるまでの間)は、第２可変始動口１０３へのパチンコ球Ｐの入賞に基づく大当り遊技(すなわち第４〜第６の大当り遊技)が発生する可能性が高く、変短状態の付与が終了した後は、固定始動口３１へのパチンコ球Ｐの入賞に基づく大当り遊技(すなわち第１〜第３の大当り遊技)が発生する可能性が高くなるようになっている。
【０１２８】
更に、大当り判定の肯定判定(大当りの当選)に伴って大当り図柄として図柄ａまたは図柄ｂが決定された場合には、前記第４の大当り遊技または第５の大当り遊技後の遊技において第２可変始動口１０３へのパチンコ球Ｐの入賞に基づく大当り遊技(すなわち第４〜第６の大当り遊技)が発生する可能性が高く、大当り図柄として図柄ｃが決定された場合には、前記第６の大当り遊技後の遊技において、固定始動口３１へのパチンコ球Ｐの入賞に基づく大当り遊技(すなわち第１〜第３の大当り遊技)が発生する可能性が高くなるようになっている。すなわち、大当り判定の肯定判定(大当りの当選)に伴って決定される大当り図柄の種類によって、当該大当り遊技後の遊技においてパチンコ球Ｐが固定始動口３１、第１および第２可変始動口１０２,１０３へ入賞する入賞割合を変化させることで、次に発生する大当り遊技の種類が変動するようになっている。
【０１２９】
このように、実施例のパチンコ機１０では、普図当りの当選を契機(ゲート部３３へのパチンコ球Ｐの入球を契機)として開放動作する作動口開閉部材１３１の開放時間に比べて、大当りの当選(第１または第２可変始動口１０２,１０３へのパチンコ球Ｐの入賞を契機)として開放動作する前記始動口開閉部材１６５,１６６の少なくとも１つの開放態様における開放時間の方が長くなるよう前記各第１ソレノイド１３５および特別入賞ソレノイド４２が駆動されるようになっている。
【０１３０】
(パチンコ機１０の制御構成について)
次に、パチンコ機１０の制御構成について説明する。実施例のパチンコ機１０には、図２２に示す如く、パチンコ機１０を全体的に制御するメイン制御基板６０(メイン制御手段)と、該メイン制御基板６０からの制御信号に基づいて各制御対象を制御するサブ制御基板(サブ制御手段)とが設けられている。すなわち、メイン制御基板６０では、パチンコ機１０に備えられた各種検出センサ(検出手段)からの検出信号に基づいて各種処理が実行され、その処理結果に応じた各種の制御信号(制御コマンド)がサブ制御基板に出力されるようになっている。
【０１３１】
また、実施例のパチンコ機１０には、サブ制御基板として、遊技演出を全体的に制御する統括制御基板６５と、図柄表示装置１７での表示内容を制御する表示制御基板７０と、パチンコ機１０が備える各種発光演出手段(ランプ装置等)の発光制御を行うランプ制御基板７２と、パチンコ機１０が備えるスピーカの音出力制御を行う音制御基板７３とを備えている。すなわち、メイン制御基板６０が出力した制御信号(制御コマンド)に基づいて、前記統括制御基板６５が表示制御基板７０、ランプ制御基板７２および音制御基板７３を制御するよう構成されており、パチンコ機１０で実行される各種遊技演出(図柄変動演出や発光演出、音声演出)を統括的にコントロールし得るようになっている。ここで、表示制御基板７０は、統括制御基板６５から出力された制御信号(制御コマンド)に基づいて、図柄表示装置１７に表示される図柄(飾図)や背景画像等の図柄変動演出の表示内容を制御するよう構成される。また、ランプ制御基板７２は、統括制御基板６５から出力された制御信号(制御コマンド)に基づいて、パチンコ機１０が備える各種発光演出手段の点灯・消灯のタイミングや、発光強度等を制御するものである。そして、音制御基板７３は、統括制御基板６５から出力された制御信号(制御コマンド)に基づき、パチンコ機１０が備える各種スピーカからの音声出力のタイミングや大きさ等を制御するものである。
【０１３２】
(メイン制御基板６０について)
前記メイン制御基板６０は、図２２に示に示す如く、制御処理を実行するメイン制御ＣＰＵ６０ａ、該メイン制御ＣＰＵ６０ａが実行する制御プログラムを記憶するメイン制御ＲＯＭ６０ｂ、当該メイン制御ＣＰＵ６０ａの処理に必要なデータの書込み・読出しが可能なメイン制御ＲＡＭ６０ｃ等が備えられている。そして、前記固定始動検出センサ７５、第１可変始動検出センサ７７、第２可変始動検出センサ７８、特別入賞検出センサ７９、ゲートセンサ７６等の各種センサが前記メイン制御ＣＰＵ６０ａに接続されている。また、メイン制御ＣＰＵ６０ａには、入球検出センサ１４７、第２通過検出センサ８６、第１通過検出センサ８５の各センサも接続されている。また、メイン制御ＣＰＵ６０ａには、第１および第２特図表示部５０Ａ,５０Ｂ、普図表示部５５等の各表示部が接続されて、各センサの検出を契機としてメイン制御ＣＰＵ６０ａで実行された制御処理に基づいて、各表示部の表示制御が実行されるようになっている。また、メイン制御ＣＰＵ６０ａ(開放制御手段)には、前記可変作動入球部１３０の第１ソレノイド１３５、通路振分部１５０の第２ソレノイド１５２および特別入賞部４０に設けられた特別入賞ソレノイド４２が接続されており、該メイン制御ＣＰＵ６０ａでの制御処理結果に基づいて各ソレノイドの駆動制御が行われるようになっている。
【０１３３】
メイン制御ＣＰＵ６０ａは、固定始動口３１、第１可変始動口１０２、第２可変始動口１０３へパチンコ球Ｐが入賞したこと(より具体的には固定始動検出センサ７５、第１または可変始動検出センサ７７,７８がパチンコ球Ｐを検出したこと)を契機として取得する判定用乱数(入賞情報)としての大当り判定用乱数、特図決定用乱数等の各種乱数の値や、ゲート部３３をパチンコ球Ｐが通過したこと(より具体的にはゲートセンサ７６がパチンコ球Ｐを検出したこと)を契機として取得する判定用乱数(入球情報)としての普図当り判定用乱数、普図決定用乱数等の各種乱数の値を、所定の周期(実施例では４ミリ秒)で更新し、更新後の値をメイン制御ＲＡＭ６０ｃに一時的に記憶して更新前の値を書き換えている。また、メイン制御ＣＰＵ６０ａは、時間を計測するタイマ更新処理を実行する。メイン制御ＲＡＭ６０ｃには、パチンコ機１０の動作中に適宜書き換えられる各種入賞情報(乱数値、タイマ値、フラグなど)が記憶(設定)されるようになっている。
【０１３４】
大当り判定用乱数は、図柄変動演出の結果として大当りを発生するか否かの大当り判定(当り抽選)で用いる乱数である。実施例では、大当り判定用乱数として、「０」〜「６５５３５」の全６５５３６通りの整数値が設定されており、所定の周期(４ミリ秒)で１ずつ更新されるようになっている。また、特図決定用乱数は、大当り判定の結果に応じて第１特図表示部５０Ａに確定停止表示させる特図１または第２特図表示部５０Ｂに確定停止表示させる特図２を決定する際に用いる乱数である。ここで、実施例では、特図決定用乱数として、「０」〜「１００」の全１０１通りの整数値が設定されており、所定の周期(４ミリ秒)で１ずつ更新されるようになっている。特図決定用乱数の各値には、前述したはずれを示す１種類の特図表示に対応する乱数と、大当りを示す１００種類の特図表示に対応する乱数とが設定されており、該特図決定用乱数の値により、第１特図表示部５０Ａに確定停止表示される特図１または第２特図表示部５０Ｂに確定停止表示される特図２が特定されるようになっている。また、前記大当り図柄としての特図１および特図２が特定されることで、図柄変動演出の終了後に付与される大当りの種類が特定されるようになっている。また、大当りの種類毎に大当り遊技後に確変状態および変短状態が付与されるか否かが対応して定められており、特図決定用乱数が確変状態および変短状態を付与するか否かを決定する乱数としての機能も有している。また、大当りの種類毎に、大当り遊技後の可変作動入球部１３０の作動口開閉部材１３１の開閉動作パターンＰ１〜Ｐ３が対応して定められており、特図決定用乱数が開閉動作パターンＰ１〜Ｐ３を決定する乱数としても機能する。
【０１３５】
実施例のパチンコ機１０では、大当り判定用乱数および特図決定用乱数は、固定始動口３１、第１および第２可変始動口１０２,１０３の何れかにパチンコ球Ｐが入賞したこと(より具体的には固定始動検出センサ７５、第１および第２可変始動検出センサ７７,７８の何れかがパチンコ球Ｐを検出したこと)を契機として、メイン制御ＲＡＭ６０ｃに一時的に記憶されている各乱数を同じタイミングで前記メイン制御ＣＰＵ６０ａが取得するようになっている。
【０１３６】
普図当り判定用乱数は、普図変動の結果として作動口１０１の開放(普図当り)を発生させるか否かの普図当り判定(普図当り抽選)で用いられる乱数である。実施例では、普図当り判定用乱数として、「０」〜「６５５３５」の全６５５３６通りの整数値が設定されており、所定の周期(４ミリ秒)で１ずつ更新されるようになっている。また、普図決定用乱数は、普図当り判定の結果に応じて普図表示部５５に確定停止表示させる普図を決定する際に用いる乱数である。ここで、実施例では、普図決定用乱数として、「０」〜「１００」の全１０１通りの整数値が設定されており、所定の周期(４ミリ秒)で１ずつ更新されるようになっている。普図決定用乱数の各値には、普図はずれを示す１種類の普図表示に対応する乱数と、普図当りを示す１００種類の普図表示に対応する乱数とが設定されており、該普図決定用乱数の値により、普図表示部５５に確定停止表示される普図が特定されるようになっている。そして、ゲート部３３をパチンコ球Ｐが通過したこと(より具体的にはゲートセンサ７６がパチンコ球Ｐを検出したこと)を契機として、メイン制御ＲＡＭ６０ｃに一時的に記憶されている通過検出情報(普図当り判定用乱数および普図決定用乱数等)を同じタイミングで前記メイン制御ＣＰＵ６０ａが取得するようになっている。
【０１３７】
(判定値について)
一方、メイン制御ＲＯＭ６０ｂには、図柄変動演出の結果、大当りを発生させることを示す大当り判定値が記憶されている。大当り判定値は、前記大当り判定用乱数を用いて大当りか否かの判定(特図当り抽選)で用いる判定値であり、大当り判定用乱数の取り得る「０」〜「６５５３５」までの全６５５３６通りの整数の中から所定数の判定値が定められている。そして、固定始動口３１または第１可変始動口１０２、第２可変始動口１０３の何れかにパチンコ球Ｐが入賞した際に取得した大当り判定用乱数が大当り判定値と一致した場合に、図柄変動演出の終了後に大当り遊技を付与することが決定される一方、大当り判定用乱数が大当り判定値と一致しない場合に、図柄変動演出の終了後に大当り遊技を付与しないことが決定される。ここで、大当り判定値は、大当り判定を行う時点で前述した確変状態が付与されているか否かで判定値の設定数が異なっており、非確変状態よりも確変状態の場合の大当り確率(大当り判定用乱数と大当り判定値との一致確率)が高くなるよう設定される。
【０１３８】
また、メイン制御ＲＯＭ６０ｂには、特図決定用判定値が記憶されている。特図決定用判定値は、大当り判定の結果が肯定の場合に、第１特図表示部５０Ａに確定停止表示させる大当り図柄としての特図１または第２特図表示部５０Ｂに確定停止表示させる大当り図柄としての特図２を、特図決定用乱数を用いて決定する判定値である。ここで、実施例では、特図決定用判定値には、前述した大当りを示す１０１種類の特図決定用乱数に対応した「０」〜「１００」の整数値が設定されており、特図決定用判定値の夫々に個別に特図１および特図２が対応付けられている。
【０１３９】
また、メイン制御ＲＯＭ６０ｂには、普図変動演出の結果、普図当りを発生させることを示す普図当り判定値が記憶されている。普図当り判定値は、前記普図当り判定用乱数を用いて普図当りか否かの判定(普図当り抽選)で用いる判定値であり、普図当り判定用乱数の取り得る「０」〜「６５５３５」までの全６５５３６通りの整数の中から所定数の判定値が定められている。ここで、普図当り判定値は、普図当り判定を行う時点で前述した変短状態が付与されているか否かで判定値の設定数が異なっている。具体的には、変短状態の場合に設定される普図当り判定値の数(実施例では６５５３５個)は、非変短状態の場合に設定される普図当り判定値の数(実施例では１個)よりも多く設定されている。すなわち、変短状態における普図当り判定値の設定数を多くすることで、普図当りが発生し易くなっている。また、メイン制御ＲＯＭ６０ｂには、普図決定用判定値が記憶されている。普図決定用判定値は、普図当り判定の結果が肯定の場合に、普図表示部５５に確定停止表示させる普図を、普図決定用乱数を用いて決定する判定値である。ここで、実施例では、普図決定用判定値には、前述した普図当りを示す１００種類の普図決定用乱数に対応した「０」〜「１００」の整数値が設定されており、普図決定用判定値の夫々に個別に普図が対応付けられている。
【０１４０】
すなわち、固定始動口３１、第１または第２可変始動口１０２,１０３への入賞を契機として当りか否かを判定する当り判定手段、複数種類の当り遊技の中から付与する当り遊技の種類を決定する当り遊技決定手段および決定した種類の当り遊技を特図変動表示終了後(図柄変動演出終了後)に付与する当り遊技付与手段としての夫々の機能を前記メイン制御ＣＰＵ６０ａが備えている。また、前記メイン制御ＣＰＵ６０ａは、大当りが発生する場合(当り判定手段の判定結果が肯定の場合)に、決定した当り遊技の種類に応じて、大当りが発生する確率(当り判定手段による判定結果が肯定となる確率)が通常よりも高確率となる確変状態を付与することを決定する確変付与決定手段として機能するよう構成されている。
【０１４１】
更に、前記メイン制御ＣＰＵ６０ａは、大当りが発生する場合(当り判定手段の判定結果が肯定の場合)に、決定した当り遊技の種類に応じて、作動口１０１へパチンコ球Ｐが入賞する確率が高確率となる変短状態(入賞率向上状態)を付与することを決定する入賞率向上状態付与決定手段として機能し、入賞率向上状態を付与する場合に変短状態を付与する期間を決定する入賞率向上状態付与期間決定手段として機能すると共に、大当り遊技終了後に決定された入賞率向上状態を付与する期間だけ変短状態を付与する変短状態付与手段としても機能している。このように、前記メイン制御ＣＰＵ６０ａは、当り判定が肯定判定の場合に、始動入賞装置への入賞に基づいて当り遊技後に遊技者に有利な特典状態(確変状態、変短状態)を付与するか否かを決定する特典状態決定手段としての機能を備えている。また、前記メイン制御ＲＡＭ６０ｃは、固定始動口３１または第１可変始動口１０２に入賞したパチンコ球Ｐを第１始動保留球として記憶する第１保留記憶手段および前記第２可変始動口１０３に入賞したパチンコ球Ｐを第２始動保留球として記憶する第２保留記憶手段として機能する。
【０１４２】
(実施例の作用)
次に、実施例に係るパチンコ機１０の作用について説明する。
【０１４３】
前記遊技盤２０の遊技領域２１(第１球流下経路２１ａ)に打ち出されたパチンコ球Ｐが固定始動入賞部３０の固定始動口３１へ入賞することを契機とした大当り判定の当選、および遊技盤２０の遊技領域２１(第１球流下経路２１ａ)に打ち出されたパチンコ球Ｐが第１可変始動入賞部１６１の第１可変始動口１０２へ入賞することを契機とした大当り判定の当選に伴って、第１〜第３の大当り遊技の何れかがメイン制御ＣＰＵ６０ａにより決定され、大当り遊技の終了後に、決定された大当り遊技(第１〜第３の大当り遊技)の種類に応じた変短回数の変短状態が付与される。また、遊技盤２０の遊技領域２１(第２球流下経路２１ｂ)に打ち出されたパチンコ球Ｐが第２可変始動入賞部１６２の第２可変始動口１０３へ入賞することを契機とした大当り判定の当選に伴って、第４〜第６の大当り遊技の何れかがメイン制御ＣＰＵ６０ａにより決定され、大当り遊技の終了後に、決定された大当り遊技(第４〜第６の大当り遊技)の種類に応じた変短回数の変短状態が付与される。そして、この大当り遊技の種類に応じて、大当り遊技後の遊技において普図当りに当選した場合に可変作動入球部１３０の作動口開閉部材１３１を開閉動作させる開閉動作パターンＰ１〜Ｐ３が決定される。遊技盤２０の遊技領域２１(第２球流下経路２１ｂ)に打ち出されたパチンコ球Ｐがゲート部３３を通過すると、ゲートセンサ７６によるパチンコ球Ｐの検出を契機として通過検出情報としての各種乱数がメイン制御ＣＰＵ６０ａにより取得される。そして、取得した普図当り判定用乱数に基づいて普図当りを生起するか否かをメイン制御ＣＰＵ６０ａが決定すると共に、普図変動表示が行われた結果、当該普図当り判定の結果に応じた普図が普図表示部５５に確定停止表示される。普図当り判定が肯定判定の場合には、通路振分部１５０の振分体１５１が作動されると共に、大当り遊技の当選に伴って決定された開閉動作パターンＰ１〜Ｐ３に基づいて前記可変作動入球部１３０の作動口開閉部材１３１が開閉動作される。
【０１４４】
ここで、第１の大当り遊技後の遊技では、前記可変作動入球部１３０の作動口開閉部材１３１が第１開閉動作パターンＰ１に基づいて開閉動作するようメイン制御ＣＰＵ６０ａにより駆動制御されるから、作動口１０１に入球したパチンコ球Ｐが通路振分部１５０の振分体１５１により第１の分岐流入通路１４５に振り分けられる。なお、第３の大当り遊技後の変短状態が終了した後(１０回の図柄変動演出が行われた後)の遊技および第６の大当り遊技後の遊技では、変短状態が付与されておらず作動口１０１は開放され難いものの、前記可変作動入球部１３０の作動口開閉部材１３１が第３開閉動作パターンＰ３に基づいて開閉動作するようメイン制御ＣＰＵ６０ａにより駆動制御されるから、第１開閉動作パターンＰ１で動作される場合と同様に作動口１０１に入球したパチンコ球Ｐが通路振分部１５０の振分体１５１により第１の分岐流入通路１４５に振り分けられる。
【０１４５】
第１の分岐流入通路１４５に振り分けられたパチンコ球Ｐは、前記第１可変始動入賞部１６１へ導かれて、当該第１可変始動入賞部１６１の機構設置ケース１７０に形成された作動球入口１７０ａを介して第１の作動部材１７６の球受け部１７９(球受け片１８０)上に落下して、当該第１の作動部材１７６が基準位置から作動位置へ揺動変位される。この第１可変始動入賞部１６１における第１の作動部材１７６の基準位置から作動位置への揺動変位に伴って、当該第１の作動部材１７６における第１の押上げ部１８３が第１可変始動入賞部１６１の第２の作動部材２０１における開放作動部２０３を押し上げて、当該第２の作動部材２０１が閉鎖保持位置から第１入球作動位置へ回転変位され、当該閉鎖保持位置から第１入球作動位置への回転変位に伴って、前記第１始動口開閉部材１６５が閉鎖位置から開放位置へ自重により揺動して第１可変始動口１０２が開放される。その後、球受け部１７９に形成された第１および第２誘導片１８１,１８２によって前記球通路ユニット８０に形成された第１の分岐排出通路８１にパチンコ球Ｐが誘導され、当該第１の分岐排出通路８１を介して遊技盤２０の外部へ排出される。すなわち、前記第１可変始動入賞部１６１へ導かれたパチンコ球Ｐが第１の分岐排出通路８１へ案内される間、前記球受け部１７９上にパチンコ球Ｐが載置されて作動位置に保持されることで、第１の作動部材１７６が対応する第２の作動部材２０１を確実に閉鎖保持位置から第１入球作動位置へ回転変位させる。
【０１４６】
そして、前記第１可変始動入賞部１６１の第１可変始動口１０２の開放に伴って当該第１可変始動口１０２に入賞したパチンコ球Ｐは、前記可変入球装置１００に形成された第１取込通路１１５を通過して、前記球通路ユニット８０に形成された第１の始動口排出通路８８を介して遊技盤２０の外部へ排出されると共に、当該第１の始動口排出通路８８に設けられた前記第１可変始動検出センサ７７により検出されるようになっている。また、前記第１取込通路１１５(作動通路１１８)をパチンコ球Ｐが通過する過程において、第１取込通路１１５(作動通路１１８)に臨んだ第１可変始動入賞部１６１における第２の作動部材２０１の第１入球作動部２０６にパチンコ球Ｐが接触し、これに伴い順回転方向へ付勢された第２の作動部材２０１が第１入球作動位置から第２入球作動位置へ回転変位される。
【０１４７】
前記第２の作動部材２０１が第２入球作動位置に回転変位した状態では、前記第１始動口開閉部材１６５が開放位置から変位することなく第１可変始動口１０２の開放が維持され、前述と同様に、第１可変始動口１０２に入賞したパチンコ球Ｐが第１取込通路１１５および第１の始動口排出通路８８を介して遊技盤２０の外部へ排出されると共に、前記第１可変始動検出センサ７７により検出される。そして、前記第１取込通路１１５(作動通路１１８)をパチンコ球Ｐが通過する過程において、第１取込通路１１６(作動通路１１８)に臨んだ第２の作動部材２０１の第２入球作動部２０７にパチンコ球Ｐが接触し、これに伴って順回転方向へ付勢された第２の作動部材２０１が第２入球作動位置から閉鎖保持位置へ回転変位される。前記第２の作動部材２０１が第２入球作動位置から閉鎖保持位置へ回転変位する際に、第２の作動部材２０１の閉鎖作動部２０５が第１始動口開閉部材１６５の係合片１６７に上方から当接して押し下げることにより、第１始動口開閉部材１６５が開放位置から閉鎖位置に変位され、閉鎖保持位置まで回転変位した際に、第２の作動部材２０１の閉鎖保持部２０４に係合片１６７が当接して揺動規制されることにより、当該第１始動口開閉部材１６５が閉鎖位置に保持される。すなわち、第１可変始動入賞部１６１は、前記作動口１０１に入球して第１の分岐通路を通過するパチンコ球Ｐとの物理的な接触により作動されることで第１始動口開閉部材１６５が閉鎖位置から開放位置へ変位すると共に、第１可変始動口１０２に入賞して第１取込通路１１５を通過する所定個数(実施例では２個)のパチンコ球Ｐとの物理的な接触により作動されることにより第１始動口開閉部材１６５が開放位置から閉鎖位置へ変位される。
【０１４８】
また、第２〜第５の大当り遊技後の変短状態が付与された遊技では、前記可変作動入球部１３０の作動口開閉部材１３１が第２開閉動作パターンＰ２に基づいて開閉動作するようメイン制御ＣＰＵ６０ａにより駆動制御されて、作動口１０１に入球した殆どのパチンコ球Ｐが通路振分部１５０の振分体１５１により第２の分岐流入通路１４６に振り分けられる。第２の分岐流入通路１４６に振り分けられたパチンコ球Ｐが第２の分岐排出通路８３(上流側分岐排出通路８４ａ)を介して前記第２可変始動入賞部１６２へ導かれることで、前述した第１可変始動入賞部１６１と同様に、当該第２可変始動入賞部１６２における第１の作動部材１７６が基準位置から作動位置へ揺動変位され、これに伴って第２の作動部材２０１が閉鎖保持位置から第１入球作動位置へ回転変位されて、前記第２始動口開閉部材１６６が閉鎖位置から開放位置へ自重により揺動して第２可変始動口１０３が開放される。その後、前記球受け部１７９に形成された第１および第２誘導片１８１,１８２によって前記球通路ユニット８０に形成された第２の分岐排出通路８３(下流側分岐排出通路８４ｂ)へパチンコ球Ｐが誘導され、当該第２の分岐排出通路８３を介して遊技盤２０の外部へ排出される。
【０１４９】
また、前記第２可変始動入賞部１６２の第２可変始動口１０３の開放に伴って当該第２可変始動口１０３に入賞したパチンコ球Ｐは、前記可変入球装置１００に形成された第２取込通路１１６を通過して、前記球通路ユニット８０に形成された第２の始動口排出通路８９を介して遊技盤２０の外部へ排出されると共に、当該第２の始動口排出通路８９に設けられた前記第２可変始動検出センサ７８により検出されるようになっている。そして、前記第２取込通路１１６(作動通路１１８)をパチンコ球Ｐが通過する過程において、第２可変始動入賞部１６２における第２の作動部材２０１の第１入球作動部２０６にパチンコ球Ｐが接触し、これに伴い順回転方向へ付勢された第２の作動部材２０１が第１入球作動位置から第２入球作動位置へ回転変位される。更に、第２可変始動入賞部１６２の第２の作動部材２０１が第２入球作動位置に回転変位した状態で、第２可変始動口１０３に入賞したパチンコ球Ｐが第２取込通路１１６(作動通路１１８)を通過する過程において、第２の作動部材２０１の第２入球作動部２０７に接触し、これにより順回転方向へ付勢された第２の作動部材２０１が第２入球作動位置から閉鎖保持位置へ回転変位される。そして、前記第２の作動部材２０１が第２入球作動位置から閉鎖保持位置へ回転変位する際に、当該第２の作動部材２０１に設けた閉鎖作動部２０５が前記第２始動口開閉部材１６６の係合片１６７に上方から当接して当該係合片１６７を押し下げることにより、第２始動口開閉部材１６６が開放位置から閉鎖位置に変位されると共に、閉鎖保持位置まで回転変位した第２の作動部材２０１の閉鎖保持部２０４に係合片１６７が当接して揺動規制されることにより、当該第２始動口開閉部材１６６が閉鎖位置に保持される。すなわち、第２可変始動入賞部１６２は、前記作動口１０１に入球して第２の分岐通路を通過するパチンコ球Ｐとの物理的な接触により作動されることで第２始動口開閉部材１６６が閉鎖位置から開放位置へ変位すると共に、第２可変始動口１０３に入賞して第２取込通路１１６を通過する所定個数(実施例では２個)のパチンコ球Ｐとの物理的な接触により作動されることにより第２始動口開閉部材１６６が開放位置から閉鎖位置へ変位される。
【０１５０】
このように、普図当りに際して、第１ソレノイド１３５の駆動により可変作動入球部１３０の作動口開閉部材１３１が開放動作するのに伴って作動口１０１に入球したパチンコ球Ｐが、当該作動口１０１に連通する第１の分岐通路または第２の分岐通路を通過する過程で、各分岐通路に対応する可変始動入賞部１６１,１６２の第１の作動部材１７６に接触することにより、当該可変始動入賞部１６１,１６２の始動口開閉部材１６５,１６の開閉状態が閉鎖状態から開放状態に切り替わる。そして、第１始動口開閉部材１６５や第２始動口開閉部材１６６が開放位置にある状態では、所定数(実施例では２個)のパチンコ球Ｐが開放した第１可変始動口１０２や第２可変始動口１０３に入賞することで、当該始動口開閉部材１６５,１６６を閉鎖動作することにより、可変作動入球部１３０や第１可変始動入賞部１６１、第２可変始動入賞部１６２に対する遊技者の関心を高めることができる。すなわち、前記第１始動口開閉部材１６５や第２始動口開閉部材１６６が閉鎖位置にある状態では、普図当りに伴って開放した作動口１０１にパチンコ球Ｐが入球した際に、当該作動口１０１に入球したパチンコ球Ｐが振り分けられる経路に応じて、第１始動口開閉部材１６５や第２始動口開閉部材１６６を開放動作させ得るから、当該可変作動入球部１３０と、当該可変作動入球部１３０の開閉動作に関連して作動される可変始動入賞部１６１,１６２とによって新たな遊技性を創出して、遊技の興趣を高めることが可能となる。
【０１５１】
また、実施例の可変入球装置１００では、複数の分岐通路(第１および第２の分岐通路)の夫々に、複数の可変始動入賞部(第１および第２可変始動入賞部１６１,１６２)の何れかの第１の作動部材１７６を臨ませるよう構成したから、可変作動入球部１３０の作動に伴い作動口１０１に入球したパチンコ球Ｐにより、少なくとも何れかの可変始動入賞部１６１,１６２の始動口開閉部材１６５,１６６を開放させることができる。また、作動口１０１に入球したパチンコ球Ｐが通過する分岐通路(第１および第２の分岐通路)に応じて作動する可変始動入賞部１６１,１６２が変化し、作動口１０１に入球したパチンコ球Ｐに対する関心を高めることができる。作動口１０１にパチンコ球Ｐが入球した際に、当該パチンコ球Ｐにより開放される可変始動口１０２,１０３(作動する可変始動入賞部１６１,１６２)によって、その後の遊技において発生し得る大当り遊技の価値に差が生ずることで、作動口１０１に入球したパチンコ球Ｐに対する関心をより一層高めることができる。
【０１５２】
また、普図当りに伴って開放される作動口１０１に連通する球通路(導入通路１４３および連絡通路１４４)を、複数の分岐通路(すなわち第１および第２の分岐通路)に分岐させて、少なくとも何れかの分岐通路に可変始動入賞部１６１,１６２の第１の作動部材１７６が臨むよう構成することで、可変作動入球部１３０および可変始動入賞部１６１,１６２を用いた新たな遊技性を創出して遊技の興趣を高めることが可能となる。また、実施例の可変入球装置１００では、第１の分岐通路に第１可変始動入賞部１６１における第１の作動部材１７６が臨み、第２の分岐通路に第２可変始動入賞部１６２における第１の作動部材１７６が臨むように構成したから、作動口１０１に入球したパチンコ球Ｐが通過する分岐通路に応じて第１始動口開閉部材１６５を作動させたり、第２始動口開閉部材１６６を作動させたりすることができる。すなわち、前記作動口１０１に入球したパチンコ球Ｐが通過する分岐通路に応じて開閉状態が切り替わる可変始動入賞部１６１,１６２が変化する。すなわち、従来のパチンコ機では、普図当りに伴って開放される入賞口が定まっているのに対して、実施例のパチンコ機１０では、普図当りに伴って開放される入賞口を変化させることができるから、可変作動入球部１３０および複数の可変始動入賞部１６１,１６２(具体的には第１および第２可変始動入賞部１６１,１６２)により新たな遊技性を創出することが可能となり、遊技の興趣を高めることができる。
【０１５３】
また、変短状態において、可変作動入球部１３０を第１または第２開閉動作パターンＰ１,Ｐ２に基づいて駆動制御することで、作動口１０１に入球したパチンコ球Ｐを当該開閉動作パターンＰ１〜Ｐ２に応じた特定の分岐通路(第１または第２の分岐通路)に通出させるよう通路振分部１５０の振分体１５１がパチンコ球Ｐを振り分けることができるから、作動口１０１に入球したパチンコ球Ｐが通出する分岐通路を所定の条件で切り替える変更すことが可能となる。実施例では、大当り遊技の種類に応じて、大当り遊技後に可変作動入球部１３０が駆動制御される開閉動作パターンＰ１〜Ｐ２を決定することで、パチンコ球Ｐが通出する分岐通路が切り替わり得るよう構成したことで、発生する大当りの種類に対する遊技者の関心を一段と高めて、遊技の興趣を向上することに繋がる。このように、変短状態が付与される大当り遊技の種類に応じて、作動口開閉部材１３１を第１開閉動作パターンＰ１(第１の開放動作態様)および第２開閉動作パターンＰ２(第２の開放動作態様)により動作させることで、作動口１０１に入球したパチンコ球Ｐが通出する分岐通路を適宜に調整することができる。
【０１５４】
また、前記第１および第２の分岐通路には、各対応の分岐通路を通過するパチンコ球Ｐを検出する第１および第２通過検出センサ８５,８６を設けるようにしたから、可変作動入球部１３０の作動口１０１に入球した後にパチンコ球Ｐが通過する経路をメイン制御ＣＰＵ６０ａが正確に識別することができる。また、前記連絡通路１４４にパチンコ球Ｐを検出する入球検出センサ１４７を設けて、前記振分体１５１により第１および第２の分岐通路に振り分けられる前に、可変作動入球部１３０の作動口１０１に入球したパチンコ球Ｐを入球検出センサ１４７で検出するよう構成したことで、作動口１０１へのパチンコ球Ｐの入球をメイン制御ＣＰＵ６０ａが正確に識別することができる。また、上流側の入球検出センサ１４７による検出と、下流側の第１または第２通過検出センサ８５,８６による検出の時間差により、作動口１０１に入球したパチンコ球Ｐの球詰まり等の不具合を早期に発見することができる。
【０１５５】
また、実施例のパチンコ機１０では、作動口１０１へ入球したパチンコ球Ｐの第１の作動部材１７６に対する物理的な接触を契機として開放する第１可変始動入賞部１６１や第２可変始動入賞部１６２の可変始動口１０２,１０３にパチンコ球Ｐが入賞することで、大当り判定の契機となる可変始動検出センサ７７,７８で検出されるように構成し、当該大当り判定に当選することで、特別入賞部４０の開閉扉４３が開放動作するよう構成してあるから、該可変始動口１０２,１０３へパチンコ球Ｐの入賞が可能となる可変作動入球部１３０の作動口１０１へのパチンコ球Ｐの入球や、当該可変作動入球部１３０に入球した後のパチンコ球Ｐによる第１可変始動入賞部１６１や第２可変始動入賞部１６２の作動に対する関心を高めることができ、可変作動入球部１３０および可変始動入賞部１６１,１６２を利用した新たな遊技性を創出して遊技の興趣を高めることが可能となる。
【０１５６】
また、固定始動口３１へのパチンコ球Ｐの入賞を契機として開放動作する前記可変始動入賞部１６１,１６２の作動口開閉部材１３１の開放時間(すなわち普図当りに伴う作動口１０１の開放時間)に比べて、第１または第２可変始動口１０２,１０３へのパチンコ球Ｐの入賞を契機として開放動作する前記特別入賞部４０の開閉扉４３の開放時間(すなわち大当りに伴う特別入賞口４１の開放時間)の方が基本的に長く多数の賞球の獲得が期待できるから、可変作動入球部１３０に入球したパチンコ球Ｐにより可変始動入賞部１６１,１６２の始動口開閉部材１６５,１６６が作動されることへの関心を高めることができる。なお、実施例では、第１または第２可変始動口１０２,１０３へのパチンコ球Ｐの入賞を契機として第１〜４の大当り遊技(すなわち、開閉扉４３が開閉動作される少なくとも１つ以上の開放態様)が決定された場合に、前記特別入賞部４０の開閉扉４３の開放時間が長くなるよう設定され、多数の賞球を獲得する機会が与えられる。
【０１５７】
また、前記可変入球装置１００は、可変作動入球部１３０、第１および第２の可変始動入賞部１６１,１６２、通路振分部１５０を本体部材１０５に備えた単一のユニット部材として遊技盤２０に着脱し得るよう構成したから、遊技盤２０に対する可変作動入球部１３０、第１および第２の可変始動入賞部１６１,１６２、通路振分部１５０の組み付け工数を減らすことができ、作業性向上を図り得る。また、可変作動入球部１３０、第１および第２の可変始動入賞部１６１,１６２、通路振分部１５０を個別に遊技盤２０に設置する構成に比べて、これらの各構成を相対的な配置関係を一定に保つことができ、遊技盤２０毎の個体差がなくなるから、可変作動入球部１３０や可変始動入賞部１６１,１６２を利用して創出される前述した遊技性を適切に維持することができる。また、可変作動入球部１３０、第１および第２の可変始動入賞部１６１,１６２、通路振分部１５０をユニット化した可変入球装置１００と、作動口１０１や可変始動口１０２,１０３へ入球したパチンコ球Ｐの通路が形成された球通路ユニット８０を別構成として遊技盤２０に個別に配設するよう構成したことで、可動機構を有し損傷し易い可変作動入球部１３０、第１および第２の可変始動入賞部１６１,１６２、通路振分部１５０に不具合が生じた際には、可変入球装置１００のみを単独で交換することができる。
【０１５８】
(別例)
次に、電動式駆動手段の駆動に伴い第１の開閉部材が第１の入球口を開閉する第１の可変入球部と、第１の入球口へ入球したパチンコ球との接触に伴い作動して第２の開閉部材による第２の入球口の開閉状態を切り替え可能な第２の可変入球部とを備えた遊技機の別例について説明する。なお、遊技機としては、遊技球としてパチンコ球Ｐを用いて遊技が行われるパチンコ機１０を例にして説明する。
【０１５９】
別例に係るパチンコ機１０には、前記遊技盤２０の第２球流下経路２１ｂに、前記ゲート部３３とは別に、パチンコ球Ｐが入球する入球口１０１,１０２,１０３を開閉可能な開閉部材１３１,１６５,１６６を備えた可変入球部１３０,１６１,１６２を有する可変入球装置(可変入球ユニット)３００が設けられている。この可変入球装置３００は、前記可変入球装置１００と同様に、第１の可変入球部としての可変作動入球部１３０を備えると共に、第２の可変入球部としての第２可変始動入賞部１６２および第２可変始動部１６２を備える一方で、作動口１０１に入球したパチンコ球Ｐの流下経路、第２可変始動口１０３に入賞したパチンコ球Ｐの流下経路の夫々が、前述の可変入球装置１００と夫々異なっている。なお、可変入球装置３００の基本構成は、前述した可変入球装置１００と同じであり、可変入球装置３００以外の構成は、前述したパチンコ機１０と同じであるので、異なる部分について説明し、同一構成に関しては同一の符号を付して説明を省略する。
【０１６０】
図２５に示すように、可変入球装置３００における電動切替ユニット１２０には、可変作動入球部１３０が設けられると共に、作動口１０１に連通する一条の球通過路３０２が形成されている。すなわち、電動切替ユニット１２０には、通路振分部１５０が備えられておらず、作動口１０１に入球した全てのパチンコ球Ｐが球通過路３０２を通過するよう構成されている。ここで、前記球通過路３０２は、上側に位置する第１可変始動入賞部１６１における機構設置ケース１７０の作動球入口１７０ａの上方で開口するよう構成されており、当該球通過路３０２を通過したパチンコ球Ｐが作動球入口１７０ａを介して第１可変始動入賞部１６１の第１の作動部材１７６(球受け部１７９)上に落下するよう構成されている。すなわち、第１可変始動入賞部１６１における第１始動口開閉部材１６５が閉鎖位置にある状態で、普図当りに伴って前記作動口１０１にパチンコ球Ｐが入球した際には、当該パチンコ球Ｐが第１可変始動入賞部１６１の球受け部１７９(球受け片１８０)に落下して第１の作動部材１７６を基準位置から作動位置に変位させるのに伴って第２の作動部材２０１が閉鎖保持位置から第１入球作動位置へ回転変位されて、第１始動口開閉部材１６５が閉鎖位置から開放位置に変位し、これにより第１可変始動口１０２が開放するようになっている。なお、前記第１可変始動入賞部１６１における第１の作動部材１７６を作動させたパチンコ球Ｐは、前述と同様に、第１および第２誘導片１８１,１８２によって誘導され球通路ユニット８０の排出通路(具体的には前述した第１の分岐排出通路８１)を介して遊技盤２０の外部に排出される。
【０１６１】
また、図２５に示すように、前記球通路ユニット８０に設けられた第１の始動口排出通路３０４は、前記第１可変始動口１０２に連通すると共に、下側に位置する第２可変始動入賞部１６２における機構設置ケース１７０の作動球入口１７０ａの上方で開口するよう構成されて、当該第１の始動口排出通路３０４を通過したパチンコ球Ｐが作動球入口１７０ａを介して第２可変始動入賞部１６２の第１の作動部材１７６(球受け部１７９)上に落下するよう構成されている。すなわち、第２可変始動入賞部１６２における第２始動口開閉部材１６６が閉鎖位置にある状態で、第１可変始動口１０２にパチンコ球Ｐが入賞した際には、当該パチンコ球Ｐが第２可変始動入賞部１６２の球受け部１７９(球受け片１８０)に落下して第１の作動部材１７６を基準位置から作動位置に変位させるのに伴って第２の作動部材２０１が閉鎖保持位置から第１入球作動位置へ回転変位されて、第２始動口開閉部材１６６が閉鎖位置から開放位置に変位し、これにより第２可変始動口１０３が開放するようになっている。そして、前記第２可変始動入賞部１６２における第１の作動部材１７６を作動させたパチンコ球Ｐは、前述と同様に、第１および第２誘導片１８１,１８２によって誘導され球通路ユニット８０の排出通路(具体的には前述した下流側分岐排出通路８４ｂ)を介して遊技盤２０の外部に排出される。なお、可変入球装置３００には、上流側分岐排出通路８４ａが設けられていない。
【０１６２】
ここで、前記第１可変始動口１０２に連通する第１取込通路１１５には、前述のように、前記第１可変始動入賞部１６１の第２の作動部材２０１が第１または第２入球作動位置にある状態で、当該第２の作動部材２０１に設けられた第１入球作動部２０６または第２入球作動部２０７が臨んで、当該第１取込通路１１５を通過するパチンコ球Ｐが第１入球作動部２０６または第２入球作動部２０７に接触するよう構成されている。すなわち、前記第１可変始動口１０２にパチンコ球Ｐが入賞可能な状態では、前記第１可変始動入賞部１６１における第２の作動部材２０１が第１または第２入球作動位置となっており、当該第１可変始動口１０２に入賞したパチンコ球Ｐが、第１可変始動入賞部１６１における第２の作動部材２０１の第１または第２入球作動部２０６,２０７に接触して当該第２の作動部材２０１を回転変位させると共に、第２可変始動入賞部１６２における第１の作動部材１７６の球受け部１７９(球受け片１８０)に接触して当該第１の作動部材１７６を作動させるよう構成されている。
【０１６３】
このように、普図当りに当選した際に、第１ソレノイド１３５の駆動により可変作動入球部１３０における作動口開閉部材１３１が開放動作するのに伴って作動口１０１に入球したパチンコ球Ｐが、球通過路３０２を通過する過程で第１可変始動入賞部１６１における第１の作動部材１７６に接触することにより、当該第１可変始動入賞部１６１に対応した始動口開閉部材１６６が開放位置に切り替わり得るから、当該第１ソレノイド１３５により作動される可変作動入球部１３０と、当該可変作動入球部１３０の開閉動作に関連して作動される第１可変始動入賞部１６１とにより新たな遊技性を創出して遊技の興趣を高めることが可能となる。更に、第１可変始動入賞部１６１の開放が別の第２の可変入球部である第２可変始動入賞部１６２の開放に繋がるから、第１ソレノイド１３５により作動される可変作動入球部１３０に入球したパチンコ球Ｐにより、複数の可変始動入賞部１６１,１６２を連続して作動させることができる。また、作動口１０１へのパチンコ球Ｐの入球により、第１可変始動入賞部１６１の第１可変始動口１０２および第２可変始動入賞部１６２の第２可変始動口１０３へのパチンコ球Ｐの入賞機会を順に与えることで、遊技のバリエーションが拡がり、新たな遊技性を創出することができる。また，実施例では、第２可変始動口１０３への入賞を契機として付与される大当り遊技の種類と、第１可変始動口１０２への入賞を契機として付与される大当り遊技の種類とを異ならせてあるから、第１および第２可変始動口１０２,１０３への入賞機会が順に与えられることで、今までに無い斬新な遊技性を作り出すことが可能となる。また、その他にも、可変入球装置３００を備えたパチンコ機１０においても、前述した可変入球装置１００を備えたパチンコ機１０と同様の作用効果を期待することができる。
【０１６４】
すなわち、可変入球装置３００は、図２６に示すように、作動口１０１に入球したパチンコ球Ｐが第１可変始動入賞部１６１の第１の作動部材１７６に接触することで、当該第１可変始動入賞部１６１の第１始動口開閉部材１６５を閉鎖位置から開放位置へ変位させ得るよう構成され、第１可変始動口１０２に入賞したパチンコ球Ｐが第１可変始動入賞部１６１の第２の作動部材２０１に接触することで、第１始動口開閉部材１６５を開放位置から閉鎖位置へ変位させ得ると共に、当該第１可変始動口１０２に入賞したパチンコ球Ｐが第２可変始動入賞部１６２の第１の作動部材１７６に接触することで、当該第２可変始動入賞部１６２の第２始動口開閉部材１６６を閉鎖位置から開放位置へ変位させ得るよう構成され、第２可変始動口１０３に入賞したパチンコ球Ｐが第２可変始動入賞部１６２の第２の作動部材２０１に接触することで、第２始動口開閉部材１６６を開放位置から閉鎖位置へ変位させ得るよう構成されている。
【０１６５】
ここで、前記第１可変始動口１０２に連通する第１取込通路１１５には、前述のように、前記第１可変始動入賞部１６１の第２の作動部材２０１が第１または第２入球作動位置にある状態で、当該第２の作動部材２０１に設けられた第１入球作動部２０６または第２入球作動部２０７が臨んで、当該第１取込通路１１５を通過するパチンコ球Ｐが第１入球作動部２０６または第２入球作動部２０７に接触するよう構成されている。すなわち、前記第１可変始動口１０２にパチンコ球Ｐが入賞可能な状態では、前記第１可変始動入賞部１６１における第２の作動部材２０１が第１または第２入球作動位置となっており、当該第１可変始動口１０２に入賞したパチンコ球Ｐが、第１可変始動入賞部１６１における第２の作動部材２０１の第１または第２入球作動部２０６,２０７に接触して当該第２の作動部材２０１を回転変位させると共に、第２可変始動入賞部１６２における第１の作動部材１７６の球受け部１７９(球受け片１８０)に接触して当該第１の作動部材１７６を作動させるよう構成されている。
【０１６６】
このように、普図当りに当選した際に、第１ソレノイド１３５の駆動により可変作動入球部１３１における作動口開閉部材１３１が開放動作するのに伴って作動口１０１に入球したパチンコ球Ｐが、球通過路３０２を通過する過程で第１可変始動入賞部１６１における第１の作動部材１７６に接触することにより、当該第１可変始動入賞部１６１に対応した始動口開閉部材１６６が開放位置に切り替わり得るから、当該第１ソレノイド１３５により作動される可変作動入球部１３１と、当該可変作動入球部１３１の開閉動作に関連して作動される第１可変始動入賞部１６１とにより新たな遊技性を創出して遊技の興趣を高めることが可能となる。更に、第１可変始動入賞部１６１の開放が別の第２の可変入球部である第２可変始動入賞部１６２の開放に繋がるから、第１ソレノイド１３５により作動される可変作動入球部１３１に入球したパチンコ球Ｐにより、複数の可変始動入賞部１６１,１６２を連続して作動させることができる。また、作動口１０１へのパチンコ球Ｐの入球により、第２可変始動入賞部１６２の第２可変始動口１０３および第１可変始動入賞部１６１の第１可変始動口１０２へのパチンコ球Ｐの入賞機会を順に与えることで、遊技のバリエーションが拡がり、新たな遊技性を創出することができる。また，実施例では、第２可変始動口１０３への入賞を契機として付与される大当り遊技の種類と、第１可変始動口１０２への入賞を契機として付与される大当り遊技の種類とを異ならせてあるから、第１および第２可変始動口１０２,１０３への入賞機会が順に与えられることで、今までに無い斬新な遊技性を作り出すことが可能となる。また、その他にも、可変入球装置３００を備えたパチンコ機１０においても、前述した可変入球装置１００を備えたパチンコ機１０と同様の作用効果を期待することができる。
【０１６７】
（変更例）
なお、遊技機としては、前述したものに限らず、種々の変更が可能である。
【０１６８】
(１)  遊技領域に対して第１の入球口を閉鎖する閉鎖位置および該第１の入球口を開放する開放位置に変位可能な第１の開閉部材を有する第１の可変入球部としての可変始動入賞部を１つ備える構成を示したが、これに限られるものではなく、第１の可変入球部を２つ以上備えるよう構成してもよい。
(２)  遊技領域に対して第２の入球口を閉鎖する閉鎖位置および該第２の入球口を開放する開放位置に変位可能な第２の開閉部材を有する第２の可変入球部としての可変始動入賞部を２つ備える構成を示したが、これに限られるものではなく、第２の可変入球部を１つ或いは３つ以上備えるようにしてもよい。
(３)  第２の可変入球部として、第２の入球口への入球が特図変動表示の開始条件および賞球の払出条件となる可変始動入賞部として用いた例を示したが、これに限られるものではない。例えば、第２の入球口への入球により特図変動表示の開始条件のみが成立するよう構成したり、賞球の払出条件のみが成立するようにしてもよい。また、第２の入球口への入球により普図変動表示の開始条件が成立するようにしてもよい。
(４)  電動式駆動手段の駆動に伴い開放した第１の入球口(作動口)に入球した遊技球との接触に伴い作動位置に変位された作動部材(第１の作動部材)が、第２の可変入球部における第２の開閉部材を開放させるよう構成したが、作動位置に変位された作動部材(第１の作動部材)が第２の可変入球部における第２の開閉部材を閉鎖させるよう構成することも可能である。
(５)  実施例では、第１の入球口(作動口)に連通した球通路を２つ分岐通路に分岐させたが、３つ以上に分岐させてもよい。また、実施例では、分岐通路の夫々に、第２の可変入球部における作動部材(第１の作動部材)が臨んで、各分岐通路を通過する遊技球との接触により作動されるよう構成したが、各分岐通路に第２の可変入球部における作動部材(第１の作動部材)を臨ませる必要はなく、少なくとも１つの分岐通路に作動部材(第１の作動部材)を臨ませるようにことも可能である。この場合には、第１の入球口への入球に伴って第２の可変入球部が作動されるか否かという異なる遊技性を創出することができる。
(６)  実施例では、第１の入球口に入球した遊技球を何れかの分岐通路に振り分ける振分手段として、電動式駆動手段の駆動により振分体が作動する通路振分部を設けたが、これに限られるものではなく、球転動部を転動する遊技球の勢いや転動方向により自然に何れかの分岐通路に振り分けられる構成を採用することもできる。例えば、すり鉢状に形成した球転動部の底面に複数の通孔を形成した所謂クルーンとも称される球転動部を振分手段として採用したり、一定方向に延在すると共に延在方向に離間する複数箇所に球排出部を設けた所謂ステージ状の球転動部を振分手段として採用することも可能であり、その他遊技球の流下方向を複数に振分可能な従来公知の振分手段を採用可能である。
(７)  実施例では、複数の第２の可変入球部(第１および第２可変始動入賞部)に遊技球が入球した際に付与され得る特典(具体的には大当り遊技の種類)を異ならせたが、複数の第２の可変入球部に遊技球が入球した際に同じ特典を付与され得るようにすることも可能である。
(８)  実施例では、可変入球ユニットおよび球通路ユニットを遊技盤に個別に配設するよう構成したが、可変入球ユニットに対して球通路ユニットを配設することもできる。すなわち、可変入球ユニットに第１の球通路および第２の球通路を設けるようにすることも可能である。このように、第１の可変入球部および第２の可変入球部が設けられた可変入球ユニットに、第１の球通路および第２の球通路を設けることで、各可変入球部および球通路の相対的な配置関係を一義的に定めることができると共に、遊技盤に対する組み付け作業性を向上させることができる。
(９)  実施例では、第１の可変入球部および第２の可変入球部を備えた可変入球ユニットを遊技盤に配設するようにしたが、第１の可変入球部や第２の可変入球部を個別に遊技盤に配設するようにしてもよい。また、第１の可変入球部や第２の可変入球部の他に、遊技領域に対して第３の球入口(特別入賞口)を閉鎖する閉鎖位置および該第３の球入口を開放する開放位置に変位可能な第３の開閉部材を有する第３の可変入球部(特別入賞部)を可変入球ユニットに設けるようにしてもよく、また遊技領域を流下する遊技球が通過可能な第４の球入口(ゲート部)を可変入球ユニットに備えるようにしてもよい。
(１０)  実施例では、第２の可変入球部(可変始動入賞部)に対して第２の開閉部材(始動口開閉部材)を１つ備える構成を示したが、第２の開閉部材を２つ備えるようにしてもよい。具体的には、実施例の第２の開閉部材(始動口開閉部材)を左右対称に形成して、この左右対象な第２の開閉部材(始動口開閉部材)を第２の作動部材の右側方に隣接して配置すると共に、第２の作動部材に設けられた右端部側の閉鎖保持部および閉鎖作動部を用いて、右側の第２の開閉部材(始動口開閉部材)を閉鎖位置に保持したり、開放位置から閉鎖位置に変位させることで簡単に実現できる。なお、右側の第２の開閉部材(始動口開閉部材)の開閉動作は、左側の第２の開閉部材(始動口開閉部材)の開閉動作と同じであることから、詳細な説明は省略する。
(１１)  実施例では、第１の可変入球部として第１の開閉部材(作動口開閉部材)が前後方向に移動する形態の可変入球部を採用したが、第２の可変入球部に設けた第２の開閉部材(始動口開閉部材)のように第１の開閉部材が左右方向に揺動する形態としたり、第３の可変入球部(特別入賞部)における第３の開閉部材(開閉扉)のように第１の開閉部材が前後方向に揺動する形態とすることも当然可能である。同様に、第２の可変入球部として第２の開閉部材(始動口開閉部材)が左右方向に揺動する形態の可変入球部を採用したが、第１の可変入球部に設けた第１の開閉部材(作動口開閉部材)のように第２の開閉部材が前後方向に移動する形態としたり、第３の可変入球部(特別入賞部)における第３の開閉部材(開閉扉)のように第２の開閉部材が前後方向に揺動する形態とすることも当然可能である。
(１２)  実施例では、第１の可変入球部における第１の開閉部材(作動口開閉部材)の開放動作態様として、第１〜第３開閉動作パターンＰ１〜Ｐ３を設定した場合で説明したが、これに限られるものではなく、振分手段(振分体)が少なくとも第１振分位置にある状態で開放位置に変位する第１の開放動作態様と、該振分手段(振分体)が少なくとも第２振分位置にある状態で開放位置に変位する第２の開放動作態様とで動作するよう電動式駆動手段により駆動されるよう構成すればよい。なお、電動式駆動手段としてはソレノイドに限られるものではなく、モータその他従来公知の各種駆動手段を採用可能であることは当然である。ここで、第１の開放動作態様としては、第１の入球口(作動口)に入球した遊技球が特定の分岐通路(実施例では第２の分岐流入通路)へ振り分けられる割合よりも、他の分岐通路(実施例では第１の分岐流入通路)へ振り分けられる割合の方が高くなる開放動作態様であり、第２の開放動作態様としては、第１の入球口(作動口)に入球した遊技球が特定の分岐通路(実施例では第２の分岐流入通路)へ振り分けられる割合の方が、他の分岐通路(実施例では第１の分岐流入通路)へ振り分けられる割合よりも高くなる開放動作態様であればよい。例えば、実施例では、第１振分時間ＴＺ１だけ振分手段としての通路振分部１５０の振分体１５１を第１振分位置から第２振分位置に変位させるよう設定して、第１の開放動作態様としての第１開閉動作パターンＰ１または第３開閉動作パターンＰ３で第１の開閉部材(作動口開閉部材１３１)を開閉動作させた際に、当該振分体１５１が第２振分位置にある状態においても第１の開閉部材(作動口開閉部材１３１)が開放位置に変位するよう構成したが、当該第１振分時間ＴＺ１の動作を省略して第１の開閉部材(作動口開閉部材１３１)が開放位置に変位する間継続して振分体１５１を第１振分位置に位置させるようにしてもよい。同様に、前記第１振分時間ＴＺ１と同じ時間に設定された第２作動口開放時間ＴＢ１の開放動作を第１の開閉部材(作動口開閉部材１３１)に１回行わせるよう第２の開放動作態様としての第２開閉動作パターンＰ２を設定したが、当該第２作動口開放時間ＴＢ１の動作を省略することも可能である。
(１３)  また第１の開放動作態様で開閉動作された第１の開閉部材(作動口開閉部材１３１)の総開放時間と、第２の開放動作態様で開閉動作された第１の開閉部材(作動口開閉部材１３１)の総開放時間とを同じ時間に設定することもできる。この場合は、第１の開閉部材(作動口開閉部材１３１)の開放動作に伴う第１の入球口(作動口１０１)への遊技球の入球機会を均等にすることができる。例えば具体的に、実施例において、「（第１作動口開放時間ＴＡ１）＝（第２作動口開放時間ＴＢ１）＋（第４作動口開放時間ＴＢ４）×３」とすることで、実現可能である。
(１４)  実施例では、第１〜第６の大当り遊技における規定ラウンド数を同一回数(すなわち１６ラウンド)に設定し、大当り遊技毎の開閉扉の開閉動作を異ならせることで、各大当り遊技に伴って獲得可能な賞球数を変化させるようにしたが、これに限られるものではなく、大当り遊技における規定ラウンド数を異ならせることで、大当り遊技に伴って獲得可能な賞球数を変化させるようにしてもよい。例えば、実施例において、第１〜第３の大当り遊技における規定ラウンド数を「４回」に設定するようにしてもよい。この場合には、当選した大当り遊技の規定ラウンド数を報知するラウンド報知ランプを設けることで、遊技者に大当り遊技に伴って行われるラウンド遊技の回数を報知することができる。一方、実施例のように、大当り遊技における規定ラウンドを同一回数に設定することで、当選した大当り遊技の規定ラウンド数をラウンド報知ランプで報知するようにしても、大当り遊技に伴って獲得可能な賞球数を秘匿することができる。
(１５)  実施例では、第２の可変入球部としての第１可変始動入賞部より下流側に、当該第１可変始動入賞部に対応する分岐通路(第１の分岐通路)を通過する遊技球を検出する球検出手段としての第１通過検出センサを配置し、第２の可変入球部としての第２可変始動入賞部より上流側に、当該第２可変始動入賞部に対応する分岐通路(第２の分岐通路)を通過する遊技球を検出する球検出手段としての第２通過検出センサを配置するようにしたが、これに限られるものではない。例えば、各分岐通路において対応した第２の可変入球部の夫々より上流側に球検出手段を配置してもよい。反対に各分岐通路において対応した第２の可変入球部の夫々より下流側に球検出手段を配置してもよい。すなわち、前記各分岐通路において通過する遊技球を検出可能な位置であれば、球検出手段の配置位置を任意に決定できる。
(１６)  また実施例の可変入球装置において、上側に位置する可変始動入賞部を第１可変始動入賞部とし、下側に位置する可変始動入賞部を第２可変始動入賞部としたが、これに限られるものではない。すなわち、実施例の可変入球装置において、下側に位置する可変始動入賞部を第１可変始動入賞部とし、上側に位置する可変始動入賞部を第２可変始動入賞部として、当該第１可変始動入賞部に対応する可変始動口へ遊技球が入球して対応の球検出センサが検出することを契機として取得される入賞情報に基づく大当り判定の判定結果が肯定判定の場合に、固定始動口への遊技球の入賞に基づく大当り判定の判定結果が肯定判定の場合と同じ種類の大当り図柄(実施例では第１〜第３の大当り遊技)を決定可能に構成し、第１可変始動入賞部に対応する可変始動口へ遊技球が入球して対応の球検出センサが検出することを契機として取得される入賞情報に基づく大当り判定の判定結果が肯定判定の場合に、これと異なる種類の大当り図柄(実施例では第４〜第６の大当り遊技)を決定可能に構成してもよい。この場合には、第１の大当り遊技の終了後に前記可変作動入球部の作動口開閉部材１３１を第２開閉動作パターンＰ２で動作させるよう設定し、第２〜第５の大当り遊技の終了後に可変作動入球部の作動口開閉部材を第１開閉動作パターンＰ１で動作させるよう設定することにより、第１可変始動入球部および第２可変始動入球部に対して実施例と同様の通路振分が可能となる。
(１７)  メイン制御手段(メイン制御ＣＰＵ)が備える機能の全部または一部をサブ制御手段(統括制御ＣＰＵ)が備えるようにしてもよく、反対にサブ制御手段が備える機能の全部または一部をメイン制御手段が備えるようにしてもよい。そして実施例では、メイン制御基板とサブ制御基板(統括制御基板)とを分けて設けるようにしたが、単一の制御基板とすることもできる。すなわち、メイン制御手段およびサブ制御手段の機能を、単一の制御基板に設けた制御手段(ＣＰＵ)が備えるようにしてもよい。更に別途制御基板を備えて、実施例のメイン制御手段やサブ制御手段が備える機能の全部または一部を、別の制御手段に備えさせてもよい。
(１８)  また、統括制御手段(統括制御ＣＰＵ)が備える機能の全部または一部を、表示制御手段(表示制御ＣＰＵ)が備えるようにしてもよく、反対に表示制御手段(表示手段ＣＰＵ)が備える機能の全部または一部を統括制御手段(統括制御ＣＰＵ)が備えるようにしてもよい。そして、統括制御手段(統括制御ＣＰＵ)と表示制御基板(表示制御ＣＰＵ)とを分けて設けるようにしたが、単一の制御基板とすることもできる。すなわち、統括制御基板および表示制御基板の機能を、単一の制御基板に設けた制御手段(ＣＰＵ)が兼用するようにしてもよい。また、発光制御を行うランプ制御手段や音出力制御を行う音制御手段に関しても同様に、統括制御手段が兼用することができる。
(１９)  演出用の図柄(飾図)を表示する図柄表示手段(図柄表示装置)とは独立して、特図を表示する特図表示手段(特図表示器)を設けるようにしたが、これに限られるものではない。例えば、図柄表示手段において飾図および特図の両方を表示するようにしてもよい。また飾図と特図とを共用して、図柄表示手段に表示するようにしてもよい。
(２０)  実施例では、遊技機としてパチンコ機を例示して説明したが、これに限られるものではなく、アレンジボール機やピンボール機等の各種遊技機を採用し得る。すなわち、遊技領域を流下する遊技球が入球可能な入球口を備えた遊技機に対して好適に適用することができる。
【０１６９】
また本願には、例えば次のような技術的思想が含まれている。
(Ａ)  請求項１の構成を含む遊技機に関し、
前記複数の第２の可変入球部(161,162)における第２の入球口(102,103)への遊技球(P)の入球を契機として特典を付与する特典決定手段(60a)を備え、
遊技球(P)が入球した第２の入球口(102,103)に応じて前記特典決定手段(60a)による特典を異ならせるよう構成されたことを要旨とする。
このように、各第２の可変入球部への入球により遊技者に付与される特典の付与条件が異なるようにすることで、開閉状態が切り替わる複数の第２の可変入球部に対する関心を引き付けることができる。
(Ｂ)  請求項１の構成を含む遊技機に関し、
前記第１の可変入球部(130)および第２の可変入球部(161,162)が設けられた可変入球ユニット(300)を前記遊技盤(20)に配設するよう構成されたことを要旨とする。
このように、第１の可変入球部および第２の可変入球部が設けられた可変入球ユニットを遊技盤に配設することで、遊技盤に対する第１の可変入球部および第２の可変入球部の組み付け工数を低減することができる。また、第１の可変入球部および第２の可変入球部を遊技盤に個別に配設するよりも、当該第１の可変入球部および第２の可変入球部の相対的な配置関係を一定にすることができる。
(Ｃ)  前記(Ｂ)の構成を含む遊技機に関し、
前記第１の球通路(302)および第２の球通路(115,304)が形成された球通路ユニット(80)を前記遊技盤(20)に配設するよう構成され、
前記遊技盤(20)に対して可変入球ユニット(300)および球通路ユニット(80)を配設した際に、前記第１の球通路(302)に第１の作動部材(176)が臨んで該第１の球通路(302)を通過する遊技球(P)が第１の作動部材(176)に接触し得ると共に、前記第２の球通路(115,304)に第２の作動部材(201)が臨んで該第２の球通路(115,304)を通過する遊技球(P)が第２の作動部材(201)に接触し得るよう構成されたことを要旨とする。
このように、第１の可変入球部および第２の可変入球部が設けられた可変入球ユニットと、第１の球通路および第２の球通路が形成された球通路ユニットとを別に構成して、各ユニットを遊技盤に配設するよう構成したことで、可動機構を有する第１の可変入球部や第２の可変入球部が損傷した場合に、可変入球ユニットのみを単独で交換することができる。
(Ｄ)  前記(Ｂ)の構成を含む遊技機に関し、
前記可変入球ユニット(300)に、前記第１の球通路(302)および第２の球通路(115,304)が設けられる。
このように、第１の可変入球部および第２の可変入球部が設けられた可変入球ユニットに、前記第１の球通路および第２の球通路を設けることで、各可変入球部および球通路の相対的な配置関係を一義的に定めることができる。また、各可変入球部および球通路を可変入球ユニットに設けることで、遊技盤に対する組み付け作業性が向上する。
【符号の説明】
【０１７０】
２０  遊技盤
２０ａ  遊技領域
３４  ゲート入口(第４の入球口)
４０  特別入賞部(第３の可変入球部)
４１  特別入賞口(第３の入球口)
４２  特別入賞ソレノイド(別の電動式駆動手段)
４３  開閉扉(第３の開閉部材)
６０ａ  メイン制御ＣＰＵ(特典決定手段)
１００  可変入球装置(可変入球ユニット)
１０１  作動口(第１の入球口)
１０２  第１可変始動口(第２の入球口)
１０３  第２可変始動口(第２の入球口)
１１５  第１取込通路(第２の球通路)
１３０  可変作動入球部(第１の可変入球部)
１３１  作動口開閉部材(第１の開閉部材)
１３５  第１ソレノイド(電動式駆動手段)
１６１  第１可変始動入賞部(第２の可変入球部)
１６２  第２可変始動入賞部(別の第２の可変入球部)
１６５  第１始動口開閉部材(第２の開閉部材)
１７６  第１の作動部材(作動部材)
３００  可変入球装置(可変入球ユニット)
３０２  球通過路(第１の球通路)
３０４  第１の始動口排出通路(第２の球通路)
Ｐ  パチンコ球(遊技球)
【図１】
0005980728.tif 000002
【図２】
0005980728.tif 000003
【図３】
0005980728.tif 000004
【図４】
0005980728.tif 000005
【図５】
0005980728.tif 000006
【図６】
0005980728.tif 000007
【図７】
0005980728.tif 000008
【図８】
0005980728.tif 000009
【図９】
0005980728.tif 000010
【図１０】
0005980728.tif 000011
【図１１】
0005980728.tif 000012
【図１２】
0005980728.tif 000013
【図１３】
0005980728.tif 000014
【図１４】
0005980728.tif 000015
【図１５】
0005980728.tif 000016
【図１６】
0005980728.tif 000017
【図１７】
0005980728.tif 000018
【図１８】
0005980728.tif 000019
【図１９】
0005980728.tif 000020
【図２０】
0005980728.tif 000021
【図２１】
0005980728.tif 000022
【図２２】
0005980728.tif 000023
【図２３】
0005980728.tif 000024
【図２４】
0005980728.tif 000025
【図２５】
0005980728.tif 000026
【図２６】
0005980728.tif 000027